(57)【要約】参照信号送信方法、参照信号受信方法、参照信号送信装置および参照信号受信装置が開示される。参照信号送信方法は：第一の送信装置によって、第一の参照信号および第一の符号資源を決定する段階であって、前記第一の符号資源は第二の符号資源と直交であり、前記第二の符号資源は第二の参照信号を送信するために使われ、前記第一の参照信号は第一の型の参照信号であり、前記第二の参照信号は第二の型の参照信号である、段階と；前記第一の送信装置によって、前記第一の符号資源を使って前記第一の参照信号を送信する段階であって、前記第一の参照信号は少なくとも一つの第一の時間‐周波数資源グループ上に担持され、前記少なくとも一つの第一の時間‐周波数資源グループのそれぞれによって占有される資源要素REの数の値は、前記第一の符号資源の長さの値と同じであり、前記第一の参照信号および前記第二の参照信号は、前記第一の符号資源および前記第二の符号資源に基づいて、前記少なくとも一つの第一の時間‐周波数資源グループによって占有される時間‐周波数資源上で多重化される、段階とを含む。よって、時間‐周波数資源オーバーヘッドが軽減できる。
2019533331.tif 000002
【特許請求の範囲】
【請求項１】
参照信号送信方法であって：
第一の送信装置によって、第一の参照信号および第一の符号資源を決定する段階であって、前記第一の符号資源は第二の符号資源と直交であり、前記第二の符号資源は第二の参照信号を送信するために使われ、前記第一の参照信号は第一の型の参照信号であり、前記第二の参照信号は第二の型の参照信号であり、前記第一の型は前記第二の型とは異なる、段階と；
前記第一の送信装置によって、前記第一の符号資源を使って前記第一の参照信号を送信する段階であって、前記第一の参照信号は少なくとも一つの第一の時間‐周波数資源グループ上に担持され、前記少なくとも一つの第一の時間‐周波数資源グループのそれぞれによって占有される資源要素REの数の値は、前記第一の符号資源の長さの値と同じであり、前記第一の参照信号および前記第二の参照信号は、前記第一の符号資源および前記第二の符号資源に基づいて、前記少なくとも一つの第一の時間‐周波数資源グループによって占有される時間‐周波数資源上で多重化される、段階とを含む、
参照信号送信方法。
【請求項２】
前記第二の参照信号は少なくとも一つの第二の時間‐周波数資源グループ上に担持され、前記少なくとも一つの第二の時間‐周波数資源グループのそれぞれによって占有されるREの数の値は、前記第二の符号資源の長さの値と同じであり、前記少なくとも一つの第二の時間‐周波数資源グループのそれぞれによって占有されるREの数は前記少なくとも一つの第一の時間‐周波数資源グループのそれぞれによって占有されるREの数と同じであるまたは異なり、前記少なくとも一つの第二の時間‐周波数資源グループおよび前記少なくとも一つの第一の時間‐周波数資源グループは同じ時間‐周波数資源を占有する、請求項１記載の参照信号送信方法。
【請求項３】
前記少なくとも一つの第一の時間‐周波数資源グループのそれぞれは4N個のREを占有し、前記少なくとも一つの第二の時間‐周波数資源グループのそれぞれは4M個のREを占有し、Nは1以上の整数であり、Mは1以上の整数である、請求項２記載の参照信号送信方法。
【請求項４】
前記少なくとも一つの第一の時間‐周波数資源グループのそれぞれは2N個のREを占有し、前記少なくとも一つの第二の時間‐周波数資源グループのそれぞれは2M個のREを占有し、Nは1以上の整数であり、Mは1以上の整数である、請求項２記載の参照信号送信方法。
【請求項５】
前記少なくとも一つの第一の時間‐周波数資源グループのそれぞれは二つのREを占有し、前記少なくとも一つの第二の時間‐周波数資源グループのそれぞれは二つのREを占有する、請求項４記載の参照信号送信方法。
【請求項６】
前記第一の型の参照信号の機能は前記第二の型の参照信号の機能とは異なり、前記第一の型の参照信号の機能および前記第二の型の参照信号の機能は次の機能：自動利得制御AGC調節、時間‐周波数同期、位相補償、物理データ・チャネル復調、物理制御チャネル復調、チャネル状態情報測定、ビーム状態情報測定、ビーム洗練情報測定、無線資源管理RRM測定または測位測定のうちの二つである；または、
前記第一の型の参照信号および前記第二の型の参照信号の上りリンク／下りリンク方向が異なる、
請求項１ないし５のうちいずれか一項記載の参照信号送信方法。
【請求項７】
前記第一の送信装置によって、前記第一の符号資源を使って前記第一の参照信号を送信する前記段階は：
前記第一の送信装置によって、前記第一の符号資源を使って前記第一の参照信号を第一の受信装置に送信することを含み、前記第二の参照信号は前記第二の受信装置に送られ；
当該参照信号送信方法はさらに：
前記第一の送信装置によって、前記第二の符号資源を使って前記第二の参照信号を前記第二の受信装置に送信する段階を含み、前記第一の送信装置はネットワーク装置であり、前記第一の受信装置は端末装置であり、前記第二の受信装置はネットワーク装置である、
請求項１ないし６のうちいずれか一項記載の参照信号送信方法。
【請求項８】
前記第二の参照信号は第二の送信装置によって送られ；
前記第一の送信装置によって、前記第一の符号資源を使って前記第一の参照信号を送信する前記段階は：
前記第一の送信装置によって、前記第一の符号資源を使って前記第一の参照信号を前記第一の受信装置に送信することを含み；
前記第二の参照信号は前記第二の受信装置に送られ；
前記第一の送信装置は端末装置であり、前記第一の受信装置はネットワーク装置であり；
前記第二の送信装置はネットワーク装置であり、前記第二の受信装置は端末装置である、
請求項１ないし７のうちいずれか一項記載の参照信号送信方法。
【請求項９】
前記少なくとも一つの時間‐周波数資源グループは第一の時間‐周波数資源集合に属し、前記第二の参照信号は前記少なくとも一つの第二の時間‐周波数資源グループ上に担持され、前記少なくとも一つの第二の時間‐周波数資源グループは前記第一の時間‐周波数資源集合に属する、請求項１ないし８のうちいずれか一項記載の参照信号送信方法。
【請求項１０】
諸システム時間‐周波数資源における前記第一の時間‐周波数資源集合の位置は、事前設定された固定位置である、請求項９記載の参照信号送信方法。
【請求項１１】
前記第一の送信装置がネットワーク装置であるとき、前記第一の送信装置によって、前記第一の符号資源を使って前記第一の参照信号を送信する前記段階の前に、当該参照信号送信方法はさらに：
前記第一の送信装置によって、第一の指示情報を送る段階であって、前記第一の指示情報は、前記第一の時間‐周波数資源集合を示すために使われる、段階と；
前記第一の送信装置によって、第二の指示情報を送る段階であって、前記第二の指示情報は、前記第一の時間‐周波数資源集合における前記少なくとも一つの第一の時間‐周波数資源グループのいくつかまたは全部を示すために使われる、段階とを含む、
請求項９記載の参照信号送信方法。
【請求項１２】
前記第一の送信装置が端末装置であるとき、前記第一の送信装置によって、前記第一の符号資源を使って前記第一の参照信号を送信する前記段階の前に、当該参照信号送信方法はさらに：
前記第一の送信装置によって、第一の指示情報を受信する段階であって、前記第一の指示情報は、前記第一の時間‐周波数資源集合を示すために使われる、段階と；
前記第一の送信装置によって、前記第一の指示情報に基づいて、前記第一の時間‐周波数資源集合を決定する段階と；
前記第一の送信装置によって、第二の指示情報を受信する段階であって、前記第二の指示情報は、前記第一の時間‐周波数資源集合における前記少なくとも一つの第一の時間‐周波数資源グループのいくつかまたは全部を示すために使われる、段階と；
前記第一の送信装置によって、前記第二の指示情報に基づいて、前記少なくとも一つの第一の時間‐周波数資源グループを決定する段階とを含む、
請求項９記載の参照信号送信方法。
【請求項１３】
参照信号受信方法であって：
第一の受信装置によって、第一の符号資源を決定する段階であって、前記第一の符号資源は第二の符号資源と直交であり、前記第一の符号資源は第一の参照信号を伝送するために使われ、前記第二の符号資源は第二の参照信号を伝送するために使われ、前記第一の参照信号は第一の型の参照信号であり、前記第二の参照信号は第二の型の参照信号であり、前記第一の型は前記第二の型とは異なる、段階と；
前記第一の受信装置によって、前記第一の符号資源を使って前記第一の参照信号を受信する段階であって、前記第一の参照信号は少なくとも一つの第一の時間‐周波数資源グループ上に担持され、前記少なくとも一つの第一の時間‐周波数資源グループのそれぞれによって占有される資源要素REの数の値は、前記第一の符号資源の長さの値と同じであり、前記第一の参照信号および前記第二の参照信号は、前記第一の符号資源および前記第二の符号資源に基づいて、前記少なくとも一つの第一の時間‐周波数資源グループによって占有される時間‐周波数資源上で多重化される、段階とを含む、
参照信号受信方法。
【請求項１４】
前記第二の参照信号は少なくとも一つの第二の時間‐周波数資源グループ上に担持され、前記少なくとも一つの第二の時間‐周波数資源グループのそれぞれによって占有されるREの数の値は、前記第二の符号資源の長さの値と同じであり、前記少なくとも一つの第二の時間‐周波数資源グループのそれぞれによって占有されるREの数は前記少なくとも一つの第一の時間‐周波数資源グループのそれぞれによって占有されるREの数と同じであるまたは異なり、前記少なくとも一つの第二の時間‐周波数資源グループおよび前記少なくとも一つの第一の時間‐周波数資源グループは同じ時間‐周波数資源を占有する、請求項１３記載の参照信号受信方法。
【請求項１５】
前記少なくとも一つの第一の時間‐周波数資源グループのそれぞれは4N個のREを占有し、前記少なくとも一つの第二の時間‐周波数資源グループのそれぞれは4M個のREを占有し、Nは1以上の整数であり、Mは1以上の整数である、請求項１４記載の参照信号受信方法。
【請求項１６】
前記少なくとも一つの第一の時間‐周波数資源グループのそれぞれは2N個のREを占有し、前記少なくとも一つの第二の時間‐周波数資源グループのそれぞれは2M個のREを占有し、Nは1以上の整数であり、Mは1以上の整数である、請求項１４記載の参照信号受信方法。
【請求項１７】
前記少なくとも一つの第一の時間‐周波数資源グループのそれぞれは二つのREを占有し、前記少なくとも一つの第二の時間‐周波数資源グループのそれぞれは二つのREを占有する、請求項１６記載の参照信号受信方法。
【請求項１８】
前記第一の型の参照信号の機能は前記第二の型の参照信号の機能とは異なり、前記第一の型の参照信号の機能および前記第二の型の参照信号の機能は次の機能：自動利得制御AGC調節、時間‐周波数同期、位相補償、物理データ・チャネル復調、物理制御チャネル復調、チャネル状態情報測定、ビーム状態情報測定、ビーム洗練情報測定、無線資源管理RRM測定または測位測定のうちの二つである；または
前記第一の型の参照信号および前記第二の型の参照信号の上りリンク／下りリンク方向が異なる、
請求項１３ないし１７のうちいずれか一項記載の参照信号受信方法。
【請求項１９】
前記第二の参照信号は第二の受信装置に送られ、前記第一の参照信号および前記第二の参照信号は第一の送信装置によって送られ、前記第一の送信装置はネットワーク装置であり、前記第一の受信装置は端末装置であり、前記第二の受信装置はネットワーク装置である、
請求項１３ないし１８のうちいずれか一項記載の参照信号受信方法。
【請求項２０】
前記第一の参照信号は前記第一の送信装置によって送られ、前記第二の参照信号は第二の送信装置によって送られ、前記第二の参照信号は前記第二の受信装置に送られ、前記第一の送信装置は端末装置であり、前記第一の受信装置はネットワーク装置であり、前記第二の送信装置はネットワーク装置であり、前記第二の受信装置は端末装置である、請求項１３ないし１９のうちいずれか一項記載の参照信号受信方法。
【請求項２１】
前記少なくとも一つの時間‐周波数資源グループは第一の時間‐周波数資源集合に属し、前記第二の参照信号は前記少なくとも一つの第二の時間‐周波数資源グループ上に担持され、前記少なくとも一つの第二の時間‐周波数資源グループは前記第一の時間‐周波数資源集合に属する、請求項１３ないし２０のうちいずれか一項記載の参照信号受信方法。
【請求項２２】
諸システム時間‐周波数資源における前記第一の時間‐周波数資源集合の位置は、事前設定された固定位置である、請求項２１記載の参照信号受信方法。
【請求項２３】
前記第一の受信装置がネットワーク装置であるとき、前記第一の受信装置によって、前記第一の符号資源を使って前記第一の参照信号を受信する前記段階の前に、当該参照信号受信方法はさらに：
前記第一の受信装置によって、第一の指示情報を送る段階であって、前記第一の指示情報は、前記第一の時間‐周波数資源集合を示すために使われる、段階と；
前記第一の受信装置によって、第二の指示情報を送る段階であって、前記第二の指示情報は、前記第一の時間‐周波数資源集合における前記少なくとも一つの第一の時間‐周波数資源グループのいくつかまたは全部を示すために使われる、段階とを含む、
請求項２１記載の参照信号受信方法。
【請求項２４】
前記第一の受信装置が端末装置であるとき、前記第一の受信装置によって、前記第一の符号資源を使って前記第一の参照信号を受信する前記段階の前に、当該参照信号受信方法はさらに：
前記第一の受信装置によって、第一の指示情報を受信する段階であって、前記第一の指示情報は、前記第一の時間‐周波数資源集合を示すために使われる、段階と；
前記第一の受信装置によって、前記第一の指示情報に基づいて、前記第一の時間‐周波数資源集合を決定する段階と；
前記第一の受信装置によって、第二の指示情報を受信する段階であって、前記第二の指示情報は、前記第一の時間‐周波数資源集合における前記少なくとも一つの第一の時間‐周波数資源グループのいくつかまたは全部を示すために使われる、段階と；
前記第一の受信装置によって、前記第二の指示情報に基づいて、前記少なくとも一つの第一の時間‐周波数資源グループを決定する段階とを含む、
請求項２１記載の参照信号受信方法。
【請求項２５】
参照信号送信装置であって：
第一の参照信号および第一の符号資源を決定するよう構成された決定ユニットであって、前記第一の符号資源は第二の符号資源と直交であり、前記第二の符号資源は第二の参照信号を送信するために使われ、前記第一の参照信号は第一の型の参照信号であり、前記第二の参照信号は第二の型の参照信号であり、前記第一の型は前記第二の型とは異なる、決定ユニットと；
前記第一の符号資源を使って前記第一の参照信号を送信するよう構成されたトランシーバ・ユニットであって、前記第一の参照信号は少なくとも一つの第一の時間‐周波数資源グループ上に担持され、前記少なくとも一つの第一の時間‐周波数資源グループのそれぞれによって占有される資源要素REの数の値は、前記第一の符号資源の長さの値と同じであり、前記第一の参照信号および前記第二の参照信号は、前記第一の符号資源および前記第二の符号資源に基づいて、前記少なくとも一つの第一の時間‐周波数資源グループによって占有される時間‐周波数資源上で多重化される、トランシーバ・ユニットとを有する、
参照信号送信装置。
【請求項２６】
前記第二の参照信号は少なくとも一つの第二の時間‐周波数資源グループ上に担持され、前記少なくとも一つの第二の時間‐周波数資源グループのそれぞれによって占有されるREの数の値は、前記第二の符号資源の長さの値と同じであり、前記少なくとも一つの第二の時間‐周波数資源グループのそれぞれによって占有されるREの数は前記少なくとも一つの第一の時間‐周波数資源グループのそれぞれによって占有されるREの数と同じであるまたは異なり、前記少なくとも一つの第二の時間‐周波数資源グループおよび前記少なくとも一つの第一の時間‐周波数資源グループは同じ時間‐周波数資源を占有する、請求項２５記載の参照信号送信装置。
【請求項２７】
前記少なくとも一つの第一の時間‐周波数資源グループのそれぞれは4N個のREを占有し、前記少なくとも一つの第二の時間‐周波数資源グループのそれぞれは4M個のREを占有し、Nは1以上の整数であり、Mは1以上の整数である、請求項２６記載の参照信号送信装置。
【請求項２８】
前記少なくとも一つの第一の時間‐周波数資源グループのそれぞれは2N個のREを占有し、前記少なくとも一つの第二の時間‐周波数資源グループのそれぞれは2M個のREを占有し、Nは1以上の整数であり、Mは1以上の整数である、請求項２６記載の参照信号送信装置。
【請求項２９】
前記少なくとも一つの第一の時間‐周波数資源グループのそれぞれは二つのREを占有し、前記少なくとも一つの第二の時間‐周波数資源グループのそれぞれは二つのREを占有する、請求項２８記載の参照信号送信装置。
【請求項３０】
前記第一の型の参照信号の機能は前記第二の型の参照信号の機能とは異なり、前記第一の型の参照信号の機能および前記第二の型の参照信号の機能は次の機能：自動利得制御AGC調節、時間‐周波数同期、位相補償、物理データ・チャネル復調、物理制御チャネル復調、チャネル状態情報測定、ビーム状態情報測定、ビーム洗練情報測定、無線資源管理RRM測定または測位測定のうちの二つである；または
前記第一の型の参照信号および前記第二の型の参照信号の上りリンク／下りリンク方向が異なる、
請求項２５ないし２９のうちいずれか一項記載の参照信号送信装置。
【請求項３１】
前記トランシーバ・ユニットが具体的には、前記第一の参照信号を第一の受信装置に送信するよう構成されており、前記第二の参照信号は前記第二の受信装置に送られ；
前記トランシーバ・ユニットがさらに、前記第二の符号資源を使って前記第二の参照信号を前記第二の受信装置に送信するよう構成されており、当該参照信号送信装置はネットワーク装置であり、前記第一の受信装置は端末装置であり、前記第二の受信装置はネットワーク装置である、
請求項２５ないし３０のうちいずれか一項記載の参照信号送信装置。
【請求項３２】
前記第二の参照信号は第二の送信装置によって送られ；
前記トランシーバ・ユニットがさらに、前記第一の符号資源を使って前記第一の参照信号を前記第一の受信装置に送信するよう構成されており、前記第二の参照信号は前記第二の受信装置に送られ、当該参照信号送信装置は端末装置であり、前記第一の受信装置はネットワーク装置であり、前記第二の送信装置はネットワーク装置であり、前記第二の受信装置は端末装置である、
請求項２５ないし３１のうちいずれか一項記載の参照信号送信装置。
【請求項３３】
前記少なくとも一つの時間‐周波数資源グループは第一の時間‐周波数資源集合に属し、前記第二の参照信号は前記少なくとも一つの第二の時間‐周波数資源グループ上に担持され、前記少なくとも一つの第二の時間‐周波数資源グループは前記第一の時間‐周波数資源集合に属する、請求項２５ないし３２のうちいずれか一項記載の参照信号送信装置。
【請求項３４】
諸システム時間‐周波数資源における前記第一の時間‐周波数資源集合の位置は、事前設定された固定位置である、請求項３３記載の参照信号送信装置。
【請求項３５】
当該参照信号送信装置がネットワーク装置であるとき、前記トランシーバ・ユニットがさらに：第一の指示情報を送る段階であって、前記第一の指示情報は、前記第一の時間‐周波数資源集合を示すために使われる、段階と；第二の指示情報を送る段階であって、前記第二の指示情報は、前記第一の時間‐周波数資源集合における前記少なくとも一つの第一の時間‐周波数資源グループのいくつかまたは全部を示すために使われる、段階とを実行するよう構成されている、請求項３３記載の参照信号送信装置。
【請求項３６】
当該参照信号送信装置が端末装置であるとき、前記トランシーバ・ユニットがさらに：第一の指示情報を受信する段階であって、前記第一の指示情報は、前記第一の時間‐周波数資源集合を示すために使われる、段階と；第二の指示情報を受信する段階であって、前記第二の指示情報は、前記第一の時間‐周波数資源集合における前記少なくとも一つの第一の時間‐周波数資源グループのいくつかまたは全部を示すために使われる、段階とを実行するよう構成されており；
前記決定ユニットが、前記第一の指示情報に基づいて、前記第一の時間‐周波数資源集合を決定し、前記第二の指示情報に基づいて、前記少なくとも一つの第一の時間‐周波数資源グループを決定するよう構成されている、
請求項３３記載の参照信号送信装置。
【請求項３７】
参照信号受信装置であって：
第一の符号資源を決定するよう構成された決定ユニットであって、前記第一の符号資源は第二の符号資源と直交であり、前記第一の符号資源は第一の参照信号を伝送するために使われ、前記第二の符号資源は第二の参照信号を伝送するために使われ、前記第一の参照信号は第一の型の参照信号であり、前記第二の参照信号は第二の型の参照信号であり、前記第一の型は前記第二の型とは異なる、決定ユニットと；
前記第一の符号資源を使って前記第一の参照信号を受信するよう構成されたトランシーバ・ユニットであって、前記第一の参照信号は少なくとも一つの第一の時間‐周波数資源グループ上に担持され、前記少なくとも一つの第一の時間‐周波数資源グループのそれぞれによって占有される資源要素REの数の値は、前記第一の符号資源の長さの値と同じであり、前記第一の参照信号および前記第二の参照信号は、前記第一の符号資源および前記第二の符号資源に基づいて、前記少なくとも一つの第一の時間‐周波数資源グループによって占有される時間‐周波数資源上で多重化される、トランシーバ・ユニットとを有する、
参照信号受信装置。
【請求項３８】
前記第二の参照信号は少なくとも一つの第二の時間‐周波数資源グループ上に担持され、前記少なくとも一つの第二の時間‐周波数資源グループのそれぞれによって占有されるREの数の値は、前記第二の符号資源の長さの値と同じであり、前記少なくとも一つの第二の時間‐周波数資源グループのそれぞれによって占有されるREの数は前記少なくとも一つの第一の時間‐周波数資源グループのそれぞれによって占有されるREの数と同じであるまたは異なり、前記少なくとも一つの第二の時間‐周波数資源グループおよび前記少なくとも一つの第一の時間‐周波数資源グループは同じ時間‐周波数資源を占有する、
請求項３７記載の参照信号受信装置。
【請求項３９】
前記少なくとも一つの第一の時間‐周波数資源グループのそれぞれは4N個のREを占有し、前記少なくとも一つの第二の時間‐周波数資源グループのそれぞれは4M個のREを占有し、Nは1以上の整数であり、Mは1以上の整数である、請求項３８記載の参照信号受信装置。
【請求項４０】
前記少なくとも一つの第一の時間‐周波数資源グループのそれぞれは2N個のREを占有し、前記少なくとも一つの第二の時間‐周波数資源グループのそれぞれは2M個のREを占有し、Nは1以上の整数であり、Mは1以上の整数である、請求項３８記載の参照信号受信装置。
【請求項４１】
前記少なくとも一つの第一の時間‐周波数資源グループのそれぞれは二つのREを占有し、前記少なくとも一つの第二の時間‐周波数資源グループのそれぞれは二つのREを占有する、請求項４０記載の参照信号受信装置。
【請求項４２】
前記第一の型の参照信号の機能は前記第二の型の参照信号の機能とは異なり、前記第一の型の参照信号の機能および前記第二の型の参照信号の機能は次の機能：自動利得制御AGC調節、時間‐周波数同期、位相補償、物理データ・チャネル復調、物理制御チャネル復調、チャネル状態情報測定、ビーム状態情報測定、ビーム洗練情報測定、無線資源管理RRM測定または測位測定のうちの二つである；または
前記第一の型の参照信号および前記第二の型の参照信号の機能の上りリンク／下りリンク方向が異なる、
請求項３７ないし４１のうちいずれか一項記載の参照信号受信装置。
【請求項４３】
前記第二の参照信号は第二の受信装置に送られ、前記第一の参照信号および前記第二の参照信号は第一の送信装置によって送られ、前記第一の送信装置はネットワーク装置であり、当該参照信号受信装置は端末装置であり、前記第二の受信装置はネットワーク装置である、請求項３７ないし４２のうちいずれか一項記載の参照信号受信装置。
【請求項４４】
前記第一の参照信号は前記第一の送信装置によって送られ、前記第二の参照信号は第二の送信装置によって送られ、前記第二の参照信号は前記第二の受信装置に送られ、前記第一の送信装置は端末装置であり、当該参照信号受信装置はネットワーク装置であり、前記第二の送信装置はネットワーク装置であり、前記第二の受信装置は端末装置である、請求項３７ないし４３のうちいずれか一項記載の参照信号受信装置。
【請求項４５】
前記少なくとも一つの時間‐周波数資源グループは第一の時間‐周波数資源集合に属し、前記第二の参照信号は前記少なくとも一つの第二の時間‐周波数資源グループ上に担持され、前記少なくとも一つの第二の時間‐周波数資源グループは前記第一の時間‐周波数資源集合に属する、請求項３７ないし４４のうちいずれか一項記載の参照信号受信装置。
【請求項４６】
諸システム時間‐周波数資源における前記第一の時間‐周波数資源集合の位置は、事前設定された固定位置である、請求項４５記載の参照信号受信装置。
【請求項４７】
当該参照信号受信装置がネットワーク装置であるとき、前記トランシーバ・ユニットがさらに：第一の指示情報を送る段階であって、前記第一の指示情報は、前記第一の時間‐周波数資源集合を示すために使われる、段階と；第二の指示情報を送る段階であって、前記第二の指示情報は、前記第一の時間‐周波数資源集合における前記少なくとも一つの第一の時間‐周波数資源グループのいくつかまたは全部を示すために使われる、段階とを実行するよう構成されている、請求項４５記載の参照信号受信装置。
【請求項４８】
当該参照信号受信装置が端末装置であるとき、前記トランシーバ・ユニットがさらに：第一の指示情報を受信する段階であって、前記第一の指示情報は、前記第一の時間‐周波数資源集合を示すために使われる、段階と；第二の指示情報を受信する段階であって、前記第二の指示情報は、前記第一の時間‐周波数資源集合における前記少なくとも一つの第一の時間‐周波数資源グループのいくつかまたは全部を示すために使われる、段階とを実行するよう構成されており；
前記決定ユニットがさらに：前記第一の指示情報に基づいて、前記第一の時間‐周波数資源集合を決定し、前記第二の指示情報に基づいて、前記少なくとも一つの第一の時間‐周波数資源グループを決定するよう構成されている、
請求項４５記載の参照信号受信装置。
【請求項４９】
通信デバイスであって：
コンピュータ・プログラムを記憶するよう構成されたメモリと；
当該装置が請求項１ないし２４のうちいずれか一項記載の方法を実行するよう、前記メモリに記憶された前記コンピュータ・プログラムを実行するよう構成されたプロセッサとを有する、通信デバイス。
【請求項５０】
コンピュータ可読記憶媒体であって、
当該記憶媒体はコンピュータ・プログラムを記憶しており、コンピュータ上で実行されたときに前記コンピュータ・プログラムは前記コンピュータが請求項１ないし２４のうちいずれか一項記載の方法を実行できるようにする、
記憶媒体。
【請求項５１】
コンピュータ・プログラム・プロダクトであって、
コンピュータ上で実行されたときに前記コンピュータ・プログラムは前記コンピュータが請求項１ないし２４のうちいずれか一項記載の方法を実行できるようにする、
コンピュータ・プログラム・プロダクト。
【請求項５２】
参照信号送信装置であって：
コンピュータ・プログラムを記憶するよう構成されたメモリと；
当該参照信号送信装置が請求項１ないし１２のうちいずれか一項記載の方法を実行するよう、前記メモリに記憶された前記コンピュータ・プログラムを実行するよう構成されたプロセッサとを有する、
参照信号送信装置。
【請求項５３】
参照信号受信装置であって：
コンピュータ・プログラムを記憶するよう構成されたメモリと；
当該参照信号受信装置が請求項１３ないし２４のうちいずれか一項記載の方法を実行するよう、前記メモリに記憶された前記コンピュータ・プログラムを実行するよう構成されたプロセッサとを有する、
参照信号受信装置。
【発明の詳細な説明】
【技術分野】
【０００１】
関連出願への相互参照
本願は2016年8月12日に中国特許庁に出願された、「参照信号送信方法および参照信号送信装置」と題する中国特許出願第201610666616.1号の優先権を主張するものである。同出願の内容はここに参照によってその全体において組み込まれる。
【０００２】
技術分野
本発明の実施形態は、通信分野に、より詳細には参照信号送信方法および参照信号送信装置に関する。
【背景技術】
【０００３】
通信技術の発達とともに、参照信号（Reference  Signal、RS）またはパイロット信号（pilot  signal）が広く適用される。
【０００４】
機能または対応するチャネルの観点からは、参照信号は複数の異なる型に分類されうる。現在のところ、異なる型の参照信号は異なる時間‐周波数パターンを使う。具体的には、異なる型の参照信号を担持する時間‐周波数資源はシステム時間‐周波数資源の異なる位置にある、あるいは異なる型の周波数資源は異なる時間‐周波数資源を使って送信される必要がある。よって、システム時間‐周波数資源のオーバーヘッドは比較的高い。
【発明の概要】
【０００５】
本発明の実施形態は、時間‐周波数資源オーバーヘッドを軽減する参照信号送信方法、参照信号受信方法、参照信号送信装置および参照信号受信装置を提供する。
【０００６】
第一の側面によれば、参照信号送信方法であって：第一の送信装置によって、第一の参照信号および第一の符号資源を決定する段階であって、前記第一の符号資源は第二の符号資源と直交であり、前記第二の符号資源は第二の参照信号を送信するために使われ、前記第一の参照信号は第一の型の参照信号であり、前記第二の参照信号は第二の型の参照信号であり、前記第一の型は前記第二の型とは異なる、段階と；前記第一の送信装置によって、前記第一の符号資源を使って前記第一の参照信号を送信する段階であって、前記第一の参照信号は少なくとも一つの第一の時間‐周波数資源グループ上に担持され、前記少なくとも一つの第一の時間‐周波数資源グループのそれぞれによって占有される資源要素REの数の値は、前記第一の符号資源の長さの値と同じであり、前記第一の参照信号および前記第二の参照信号は、前記第一の符号資源および前記第二の符号資源に基づいて、前記少なくとも一つの第一の時間‐周波数資源グループによって占有される時間‐周波数資源上で多重化される、段階とを含む、方法が提供される。
【０００７】
したがって、異なる信号型をもつ前記第一の参照信号および前記第二の参照信号が同じ時間‐周波数資源上に多重化されることができる。
【０００８】
第一の側面を参照するに、第一の側面の第一の可能な実装では、前記第二の参照信号は少なくとも一つの第二の時間‐周波数資源グループ上に担持され、前記少なくとも一つの第二の時間‐周波数資源グループのそれぞれによって占有されるREの数の値は、前記第二の符号資源の長さの値と同じであり、前記少なくとも一つの第二の時間‐周波数資源グループのそれぞれによって占有されるREの数は前記少なくとも一つの第一の時間‐周波数資源グループのそれぞれによって占有されるREの数と同じであるまたは異なり、前記少なくとも一つの第二の時間‐周波数資源グループおよび前記少なくとも一つの第一の時間‐周波数資源グループは同じ時間‐周波数資源を占有する。
【０００９】
具体的には、異なる信号型をもつ（または異なる符号資源を使う）前記第一の参照信号および前記第二の参照信号は、異なる時間‐周波数資源グループに対応し、よって、参照信号を担持するために使われる時間‐周波数資源グループは、異なる信号型（または異なる使用される符号資源）に基づいて決定されることができ、それにより、時間‐周波数資源割り当てを容易にし、通信効率を改善する。
【００１０】
第一の側面および上記の実装を参照するに、第一の側面の第二の実装では、前記少なくとも一つの第一の時間‐周波数資源グループのそれぞれは4N個のREを占有し、前記少なくとも一つの第二の時間‐周波数資源グループのそれぞれは4M個のREを占有し、Nは1以上の整数であり、Mは1以上の整数である。
【００１１】
時間‐周波数資源グループに含まれるREの数は4の整数倍であり、よって、その時間‐周波数資源グループ上に多重化される参照信号の数が増やされることができ、それにより資源利用を改善する。
【００１２】
第一の側面および上記の実装を参照するに、第一の側面の第三の実装では、前記第一の型の参照信号の機能は前記第二の型の参照信号の機能とは異なり、前記第一の型の参照信号の機能および前記第二の型の参照信号の機能は次の機能：自動利得制御AGC調節、時間‐周波数同期、位相補償、物理データ・チャネル復調、物理制御チャネル復調、チャネル状態情報測定、ビーム状態情報測定、ビーム洗練情報測定、無線資源管理RRM測定または測位測定のうちの二つである；または、前記第一の型の参照信号および前記第二の型の参照信号の機能の上りリンク／下りリンク方向が異なる。
【００１３】
よって、送信装置は、複数の参照信号が同じ時間‐周波数資源上に多重化できるかどうかを容易に決定することができる。
【００１４】
第一の側面および上記の実装を参照するに、第一の側面の第四の実装では、前記第一の送信装置によって、前記第一の符号資源を使って前記第一の参照信号を送信する前記段階は：前記第一の送信装置によって、前記第一の符号資源を使って前記第一の参照信号を第一の受信装置に送信することを含み、前記第二の参照信号は前記第二の受信装置に送られる。
【００１５】
よって、異なる受信装置に送られる必要のある参照信号は同じ時間‐周波数資源上に多重化されることができる。
【００１６】
第一の側面および上記の実装を参照するに、第一の側面の第五の実装では、当該参照信号送信方法はさらに：前記第一の送信装置によって、前記第二の符号資源を使って前記第二の参照信号を前記第二の受信装置に送信する段階を含み、前記第一の送信装置はネットワーク装置であり、前記第一の受信装置は端末装置であり、前記第二の受信装置はネットワーク装置である。
【００１７】
第一の側面および上記の実装を参照するに、第一の側面の第六の実装では、前記第二の参照信号は第二の送信装置によって送られる。
【００１８】
よって、異なる送信装置からの参照信号が同じ時間‐周波数資源上に多重化されることができる。
【００１９】
第一の側面および上記の実装を参照するに、第一の側面の第七の実装では、前記第一の送信装置によって、前記第一の符号資源を使って前記第一の参照信号を送信する前記段階は：前記第一の送信装置によって、前記第一の符号資源を使って前記第一の参照信号を第一の受信装置に送信することを含み、前記第二の参照信号は前記第二の受信装置に送られ、前記第一の送信装置は端末装置であり、前記第一の受信装置はネットワーク装置であり、前記第二の送信装置はネットワーク装置であり、前記第二の受信装置は端末装置である。
【００２０】
第一の側面および上記の実装を参照するに、第一の側面の第八の実装では、前記少なくとも一つの時間‐周波数資源グループは第一の時間‐周波数資源集合に属し、前記第二の参照信号は前記少なくとも一つの第二の時間‐周波数資源グループ上に担持され、前記少なくとも一つの第二の時間‐周波数資源グループは前記第一の時間‐周波数資源集合に属する。
【００２１】
時間‐周波数資源集合が構成され、送信装置および受信装置は、該時間‐周波数資源集合から、参照信号を担持するために使われる時間‐周波数資源を決定し、それにより資源割り当て効率が改善されることができる。
【００２２】
第一の側面および上記の実装を参照するに、第一の側面の第九の実装では、諸システム時間‐周波数資源における前記第一の時間‐周波数資源集合の位置は、事前設定された固定位置である。
【００２３】
第一の側面および上記の実装を参照するに、第一の側面の第十の実装では、前記第一の送信装置がネットワーク装置であるとき、前記第一の送信装置によって、前記第一の符号資源を使って前記第一の参照信号を送信する前記段階の前に、当該参照信号送信方法はさらに：前記第一の送信装置によって、第一の指示情報を送る段階を含み、前記第一の指示情報は、前記第一の時間‐周波数資源集合を示すために使われる。
【００２４】
第一の側面および上記の実装を参照するに、第一の側面の第十一の実装では、前記第一の送信装置によって、前記第一の符号資源を使って前記第一の参照信号を送信する前記段階の前に、当該参照信号送信方法はさらに：前記第一の送信装置によって、第二の指示情報を送る段階を含み、前記第二の指示情報は、前記第一の時間‐周波数資源集合における前記少なくとも一つの第一の時間‐周波数資源グループのいくつかまたは全部を示すために使われる。
【００２５】
第一の側面および上記の実装を参照するに、第一の側面の第十二の実装では、前記第一の送信装置が端末装置であるとき、前記第一の送信装置によって、前記第一の符号資源を使って前記第一の参照信号を送信する前記段階の前に、当該参照信号送信方法はさらに：前記第一の送信装置によって、第一の指示情報を受信する段階であって、前記第一の指示情報は、前記第一の時間‐周波数資源集合を示すために使われる、段階と；前記第一の送信装置によって、前記第一の指示情報に基づいて、前記第一の時間‐周波数資源集合を決定する段階とを含む。
【００２６】
第一の側面および上記の実装を参照するに、第一の側面の第十三の実装では、前記第一の送信装置によって、前記第一の符号資源を使って前記第一の参照信号を送信する前記段階の前に、当該参照信号送信方法はさらに：前記第一の送信装置によって、第二の指示情報を受信する段階であって、前記第二の指示情報は、前記第一の時間‐周波数資源集合における前記少なくとも一つの第一の時間‐周波数資源グループのいくつかまたは全部を示すために使われる、段階と；前記第一の送信装置によって、前記第二の指示情報に基づいて、前記少なくとも一つの第一の時間‐周波数資源グループを決定する段階とを含む。
【００２７】
第二の側面によれば、参照信号受信方法であって：第一の受信装置によって、第一の符号資源を決定する段階であって、前記第一の符号資源は第二の符号資源と直交であり、前記第一の符号資源は第一の参照信号を送信するために使われ、前記第二の符号資源は第二の参照信号を送信するために使われ、前記第一の参照信号は第一の型の参照信号であり、前記第二の参照信号は第二の型の参照信号であり、前記第一の型は前記第二の型とは異なる、段階と；前記第一の受信装置によって、前記第一の符号資源を使って前記第一の参照信号を受信する段階であって、前記第一の参照信号は少なくとも一つの第一の時間‐周波数資源グループ上に担持され、前記少なくとも一つの第一の時間‐周波数資源グループのそれぞれによって占有される資源要素REの数の値は、前記第一の符号資源の長さの値と同じであり、前記第一の参照信号および前記第二の参照信号は、前記第一の符号資源および前記第二の符号資源に基づいて、前記少なくとも一つの第一の時間‐周波数資源グループによって占有される時間‐周波数資源上で多重化される、段階とを含む、方法が提供される。
【００２８】
第二の側面を参照するに、第二の側面の第一の可能な実装では、前記第二の参照信号は少なくとも一つの第二の時間‐周波数資源グループ上に担持され、前記少なくとも一つの第二の時間‐周波数資源グループのそれぞれによって占有されるREの数の値は、前記第二の符号資源の長さの値と同じであり、前記少なくとも一つの第二の時間‐周波数資源グループのそれぞれによって占有されるREの数は前記少なくとも一つの第一の時間‐周波数資源グループのそれぞれによって占有されるREの数と同じであるまたは異なり、前記少なくとも一つの第二の時間‐周波数資源グループおよび前記少なくとも一つの第一の時間‐周波数資源グループは同じ時間‐周波数資源を占有する。
【００２９】
第二の側面および上記の実装を参照するに、第二の側面の第二の実装では、前記少なくとも一つの第一の時間‐周波数資源グループのそれぞれは4N個のREを占有し、前記少なくとも一つの第二の時間‐周波数資源グループのそれぞれは4M個のREを占有し、Nは1以上の整数であり、Mは1以上の整数である。
【００３０】
第二の側面および上記の実装を参照するに、第二の側面の第三の実装では、前記第一の型の参照信号の機能は前記第二の型の参照信号の機能とは異なり、前記第一の型の参照信号の機能および前記第二の型の参照信号の機能は次の機能：自動利得制御AGC調節、時間‐周波数同期、位相補償、物理データ・チャネル復調、物理制御チャネル復調、チャネル状態情報測定、ビーム状態情報測定、ビーム洗練情報測定、無線資源管理RRM測定または測位測定のうちの二つである；または、前記第一の型の参照信号および前記第二の型の参照信号の機能の上りリンク／下りリンク方向が異なる。
【００３１】
第二の側面および上記の実装を参照するに、第二の側面の第四の実装では、前記第二の参照信号は第二の受信装置に送られる。
【００３２】
第二の側面および上記の実装を参照するに、第二の側面の第五の実装では、前記第一の参照信号および前記第二の参照信号は第一の送信装置によって送られ、前記第一の送信装置はネットワーク装置であり、前記第一の受信装置は端末装置であり、前記第二の受信装置はネットワーク装置である。
【００３３】
第二の側面および上記の実装を参照するに、第二の側面の第六の実装では、前記第一の参照信号は前記第一の送信装置によって送られ、前記第二の参照信号は第二の送信装置によって送られる。
【００３４】
第二の側面および上記の実装を参照するに、第二の側面の第七の実装では、前記第二の参照信号は前記第二の受信装置に送られ、前記第一の送信装置は端末装置であり、前記第一の受信装置はネットワーク装置であり、前記第二の送信装置はネットワーク装置であり、前記第二の受信装置は端末装置である。
【００３５】
第二の側面および上記の実装を参照するに、第二の側面の第八の実装では、前記少なくとも一つの時間‐周波数資源グループは第一の時間‐周波数資源集合に属し、前記第二の参照信号は前記少なくとも一つの第二の時間‐周波数資源グループ上に担持され、前記少なくとも一つの第二の時間‐周波数資源グループは前記第一の時間‐周波数資源集合に属する。
【００３６】
第二の側面および上記の実装を参照するに、第二の側面の第九の実装では、諸システム時間‐周波数資源における前記第一の時間‐周波数資源集合の位置は、事前設定された固定位置である。
【００３７】
第二の側面および上記の実装を参照するに、第二の側面の第十の実装では、前記第一の受信装置がネットワーク装置であるとき、前記第一の受信装置によって、前記第一の符号資源を使って前記第一の参照信号を受信する前記段階の前に、当該参照信号受信方法はさらに：前記第一の受信装置によって、第一の指示情報を送る段階を含み、前記第一の指示情報は、前記第一の時間‐周波数資源集合を示すために使われる。
【００３８】
第二の側面および上記の実装を参照するに、第二の側面の第十一の実装では、前記第一の受信装置によって、前記第一の符号資源を使って前記第一の参照信号を受信する前記段階の前に、当該参照信号受信方法はさらに：前記第一の受信装置によって、第二の指示情報を送る段階を含み、前記第二の指示情報は、前記第一の時間‐周波数資源集合における前記少なくとも一つの第一の時間‐周波数資源グループのいくつかまたは全部を示すために使われる。
【００３９】
第二の側面および上記の実装を参照するに、第二の側面の第十二の実装では、前記第一の受信装置が端末装置であるとき、前記第一の受信装置によって、前記第一の符号資源を使って前記第一の参照信号を受信する前記段階の前に、当該参照信号受信方法はさらに：前記第一の受信装置によって、第一の指示情報を受信する段階であって、前記第一の指示情報は、前記第一の時間‐周波数資源集合を示すために使われる、段階と；前記第一の受信装置によって、前記第一の指示情報に基づいて、前記第一の時間‐周波数資源集合を決定する段階とを含む。
【００４０】
第二の側面および上記の実装を参照するに、第二の側面の第十三の実装では、前記第一の受信装置によって、前記第一の符号資源を使って前記第一の参照信号を受信する前記段階の前に、当該参照信号受信方法はさらに：前記第一の受信装置によって、第二の指示情報を受信する段階であって、前記第二の指示情報は、前記第一の時間‐周波数資源集合における前記少なくとも一つの第一の時間‐周波数資源グループのいくつかまたは全部を示すために使われる、段階と；前記第一の受信装置によって、前記第二の指示情報に基づいて、前記少なくとも一つの第一の時間‐周波数資源グループを決定する段階とを含む。
【００４１】
第三の側面によれば、第一の側面および第一の側面の諸実装の参照信号送信方法のステップを実行するよう構成されたユニットを含む参照信号送信装置が提供される。
【００４２】
第四の側面によれば、第二の側面および第二の側面の諸実装の参照信号受信方法のステップを実行するよう構成されたユニットを含む参照信号受信装置が提供される。
【００４３】
第五の側面によれば、メモリおよびプロセッサを含む参照信号送信デバイスが提供される。前記メモリは、コンピュータ・プログラムを記憶するよう構成されており、前記プロセッサは：前記メモリから前記コンピュータ・プログラムを呼び出し、前記コンピュータ・プログラムを実行するよう構成されており、それにより前記参照信号送信デバイスは第一の側面および第一の側面の諸実装の参照信号送信方法を実行する。
【００４４】
第六の側面によれば、メモリおよびプロセッサを含む参照信号受信デバイスが提供される。前記メモリは、コンピュータ・プログラムを記憶するよう構成されており、前記プロセッサは：前記メモリから前記コンピュータ・プログラムを呼び出し、前記コンピュータ・プログラムを実行するよう構成されており、それにより前記参照信号受信デバイスは第二の側面および第二の側面の諸実装の参照信号受信方法を実行する。
【００４５】
第七の側面によれば、コンピュータ・プログラム・プロダクトが提供される。前記コンピュータ・プログラム・プロダクトは、コンピュータ・プログラム・コードを含み、処理ユニットおよび送信ユニットによってまたは送信デバイスのプロセッサおよび送信器によって実行されるときに、前記コンピュータ・プログラム・コードは、前記送信デバイスに、第一の側面および第一の側面の諸実装の参照信号送信方法を実行させる。
【００４６】
第八の側面によれば、コンピュータ・プログラム・プロダクトが提供される。前記コンピュータ・プログラム・プロダクトは、コンピュータ・プログラム・コードを含み、受信ユニットおよび処理ユニットによってまたは受信デバイスの受信器およびプロセッサによって実行されるときに、前記コンピュータ・プログラム・コードは、前記受信デバイスに、第二の側面および第二の側面の諸実装の参照信号受信方法を実行させる。
【００４７】
第九の側面によれば、コンピュータ可読記憶媒体が提供される。前記コンピュータ可読記憶媒体はプログラムを記憶しており、前記プログラムは、送信デバイスが第一の側面および第一の側面の諸実装の参照信号送信方法を実行できるようにする。
【００４８】
第十の側面によれば、コンピュータ可読記憶媒体が提供される。前記コンピュータ可読記憶媒体はプログラムを記憶しており、前記プログラムは、受信デバイスが第二の側面および第二の側面の諸実装の参照信号受信方法を実行できるようにする。
【００４９】
本発明の参照信号送信方法および装置によれば、異なる型である第一の参照信号および第二の参照信号が同じ時間‐周波数資源上に伝送のために多重化され、それにより時間‐周波数資源オーバーヘッドが軽減できる。
【図面の簡単な説明】
【００５０】
【図１】本発明のある実施形態に基づく通信システムの概略的な構成図である。
【００５１】
【図２】本発明のある実施形態に基づく参照信号送信様式の例の概略図である。
【００５２】
【図３】本発明のある実施形態に基づく参照信号受信および送信方法の概略的な対話図である。
【００５３】
【図４】本発明のある実施形態に基づく時間‐周波数資源グループの例の概略図である。
【００５４】
【図５】本発明のある実施形態に基づく時間‐周波数資源グループのもう一つの例の概略図である。
【００５５】
【図６】本発明のある実施形態に基づく時間‐周波数資源グループのさらにもう一つの例の概略図である。
【００５６】
【図７】本発明のある実施形態に基づく時間‐周波数資源グループのさらにもう一つの例の概略図である。
【００５７】
【図８】本発明のある実施形態に基づく時間‐周波数資源集合の例の概略図である。
【００５８】
【図９】本発明のある実施形態に基づく時間‐周波数資源集合のもう一つの例の概略図である。
【００５９】
【図１０】本発明のある実施形態に基づく時間‐周波数資源集合のさらにもう一つの例の概略図である。
【００６０】
【図１１】本発明のある実施形態に基づく時間‐周波数資源集合のさらにもう一つの例の概略図である。
【００６１】
【図１２】本発明のある実施形態に基づく時間‐周波数資源集合のさらにもう一つの例の概略図である。
【００６２】
【図１３】本発明のある実施形態に基づく時間‐周波数資源集合のさらにもう一つの例の概略図である。
【００６３】
【図１４】本発明のある実施形態に基づく時間‐周波数資源集合のさらにもう一つの例の概略図である。
【００６４】
【図１５】本発明のある実施形態に基づく時間‐周波数資源集合のさらにもう一つの例の概略図である。
【００６５】
【図１６】本発明のある実施形態に基づく時間‐周波数資源集合のさらにもう一つの例の概略図である。
【００６６】
【図１７】本発明のある実施形態に基づく時間‐周波数資源集合のさらにもう一つの例の概略図である。
【００６７】
【図１８】本発明のある実施形態に基づく時間‐周波数資源集合のさらにもう一つの例の概略図である。
【００６８】
【図１９】本発明のある実施形態に基づく時間‐周波数資源集合のさらにもう一つの例の概略図である。
【００６９】
【図２０】本発明のある実施形態に基づく時間‐周波数資源集合のさらにもう一つの例の概略図である。
【００７０】
【図２１】本発明のある実施形態に基づく参照信号送信装置の概略的なブロック図である。
【００７１】
【図２２】本発明のある実施形態に基づく参照信号送信装置の概略的なブロック図である。
【発明を実施するための形態】
【００７２】
下記は、付属の図面を参照して本願の技術的解決策を記述する。
【００７３】
本明細書において使われる「コンポーネント」、「モジュール」および「システム」のような用語は、コンピュータに関係したエンティティーを示すために使われる。該エンティティーは、ハードウェア、ファームウェア、ハードウェアとソフトウェアの組み合わせ、ソフトウェアまたは実行中のソフトウェアでありうる。たとえば、コンポーネントは、プロセッサ上で実行中のプロセス、プロセッサ、オブジェクト、実行可能ファイル、実行のスレッド、プログラムおよび／またはコンピュータであってもよいが、それに限られない。図面に示されるように、コンピューティング装置およびコンピューティング装置上で走るアプリケーションの両方がコンポーネントでありうる。一つまたは複数のコンポーネントがプロセスおよび／または実行スレッド内に存在してもよく、あるコンポーネントは、一つのコンピュータ上に位置されていても、および／または二つ以上のコンピュータの間で分散されていてもよい。さらに、これらのコンポーネントは、さまざまなデータ構造を記憶するさまざまなコンピュータ可読媒体から実行されてもよい。たとえば、これらのコンポーネントは、ローカルおよび／またはリモート・プロセスを使って、一つまたは複数のデータ・パケット（たとえば、信号を使って別のシステムと対話する、ローカル・システム、分散システムおよび／またはネットワーク、たとえばインターネットにおける別のコンポーネントと対話する二つのコンポーネントからのデータ）をもつ信号に基づいて、通信してもよい。
【００７４】
本発明の実施形態の解決策は、既存のセルラー通信システム、たとえばグローバル移動通信システム（英語全称はGlobal  System  for  Mobile  Communicationでありうる、英語略称はGSMでありうる）、ワイドバンド符号分割多重アクセス（英語全称はWideband  Code  Division  Multiple  Accessでありうる、英語略称はWCDMAでありうる）システムまたはロングタームエボリューション（英語全称はLong  Term  Evolutionでありうる、英語略称はLTEでありうる）システムに適用されてもよく、サポートされる通信は主として音声およびデータ通信である。通例、一つの従来型の基地局によってサポートされる接続の数は限られており、実装するのが容易である。
【００７５】
次世代通信システムは、従来の通信のみならず、MTC（英語全称はMachine  Type  Communicationでありうる）とも称されるM2M（英語全称はMachine  to  Machineでありうる）通信をもサポートする。予測されるところでは、ネットワークに接続されるMTC装置の数は2020年までには500億ないし1000億に達し、既存の接続数をはるかに超えることがありうる。M2Mサービスについては、ネットワーク要求はサービス・カテゴリーとともに変わる。一般に、以下のいくつかの要求がある：
伝送の信頼性、ただし遅延には敏感でない；および
短い遅延かつ高い伝送信頼性。
【００７６】
伝送信頼性を要求するが遅延には敏感でないサービスは簡単に処理される。しかしながら、短い遅延かつ高い伝送信頼性を要求するサービスは、短い伝送遅延および信頼性の両方についての要求をもつ。たとえばV2V（英語全称はVehicle  to  Vehicle）サービスである。伝送が信頼できない場合、再送信が引き起こされる。その結果、伝送遅延は極端に高く、要求を満たすことができない。
【００７７】
多数の接続があるので、将来の無線通信システムは既存の通信システムとは大きく異なる。接続の数の多さのため、端末装置にアクセスするためにより多くの資源が消費される必要があり、端末装置のデータ送信に関係したスケジューリング信号を送信するために、より多くの資源が消費される必要がある。本発明の実施形態の解決策は、上記の資源消費問題を効果的に解決するために使用できる。
【００７８】
任意的に、送信装置はネットワーク装置であってもよく、受信装置は端末装置であってもよい。
【００７９】
代替的に、送信装置は端末装置であってもよく、受信装置はネットワーク装置であってもよい。
【００８０】
任意的に、送信装置は端末装置であってもよく、受信装置は端末装置であってもよい。
【００８１】
任意的に、送信装置はネットワーク装置であってもよく、受信装置はネットワーク装置であってもよい。
【００８２】
具体的には、本発明の実施形態において、参照信号が端末装置によってネットワーク装置に送られてもよく、あるいは、参照信号はネットワーク装置によって端末装置に送られてもよく、あるいは、参照信号は端末装置によって端末装置に送られてもよく、あるいは参照信号はネットワーク装置によってネットワーク装置に送られてもよい。これは、本発明の実施形態において特に限定されない。
【００８３】
任意的に、ネットワーク装置は基地局であり、端末装置はユーザー装置である。
【００８４】
各実施形態は、本発明の実施形態における端末装置を参照して記述される。端末装置は、ユーザー装置（UE、User  Equipment）、アクセス端末、加入者ユニット、加入者ステーション、モバイル・ステーション、モバイル・コンソール、リモート・ステーション、リモート端末、モバイル装置、ユーザー端末、端末、無線通信装置、ユーザー・エージェントまたはユーザー装置と称されることもある。アクセス端末は、無線ローカルエリアネットワーク（Wireless  Local  Area  Networks、WLAN）におけるステーション（Station、ST）であってもよく、あるいはセルラー電話、コードレス電話、セッション開始プロトコル（Session  Initiation  Protocol、SIP）電話、無線ローカルループ（Wireless  Local  Loop、WLL）ステーション、携帯情報端末（Personal  Digital  Assistant、PDA）、無線通信機能を備えたハンドヘルド装置、コンピューティング装置、無線モデムに接続されたその他の処理装置、車載装置、ウェアラブル装置、将来の5Gネットワークにおける端末装置、将来の進化型PLMNネットワークにおける端末装置などであってもよい。
【００８５】
さらに、各実施形態は、本発明の実施形態におけるネットワーク装置を参照して記述される。ネットワーク装置は、モバイル装置と通信するよう構成された装置であってもよい。ネットワーク装置は、WLANにおけるアクセス・ポイント（ACCESS  POINT、AP）またはGSMもしくは符号分割多重アクセス（Code  Division  Multiple  Access、CDMA）におけるベーストランシーバーステーション（Base  Transceiver  Station、BTS）であってもよく、WCDMAにおけるノードB（NodeB、NB）であってもよく、あるいはロングタームエボリューション（Long  Term  Evolution、LTE）における進化型ノードB（Evolutional  Node  B、eNBまたはeNodeB）、再生成ステーション、アクセス・ポイント、車載装置、ウェアラブル装置、将来の5Gネットワークにおけるネットワーク装置または将来の進化型PLMNネットワークにおけるネットワーク装置などであってもよい。
【００８６】
さらに、各実施形態は、本発明の実施形態におけるセルを参照して記述される。セルは、ネットワーク装置（たとえば基地局）に対応するセルであってもよく、セルはマクロ基地局または小セル（small  cell）に対応する基地局に属していてもよい。本願での小セルはメトロ・セル（Metro  cell）、マイクロ・セル（Micro  cell）、ピコ・セル（Pico  cell）、フェムト・セル（Femto  cell）などを含みうる。小セルは、小さなカバレッジおよび低い送信電力によって特徴付けられ、高レートのデータ伝送サービスを提供するために好適である。
【００８７】
さらに、LTEシステムでは複数のセルがキャリア上の同じ周波数上で機能してもよい。いくつかの特殊なシナリオでは、LTEシステムにおけるキャリアの概念はセルの概念と等価であると考えられてもよい。たとえば、キャリア・アグリゲーション（CA、Carrier  Aggregation）シナリオにおいて、副次キャリアを構成されるとき、UEは、副次キャリアのキャリア・インデックスと、副次キャリア上で機能するセル識別情報（Cell  Identify、Cell  ID）との両方を担持する。この場合、キャリアの概念はセルの概念と等価であると考えられてもよい。たとえば、UEがキャリアにアクセスするというのは、UEがセルにアクセスするのと等価である。
【００８８】
本発明の実施形態において提供される信号伝送方法および装置は、端末装置またはネットワーク装置に適用されてもよい。端末装置またはネットワーク装置は、ハードウェア層、該ハードウェア層の上で走るオペレーティング・システム層および該オペレーティング・システム層の上で走るアプリケーション層を含む。ハードウェア層は、中央処理ユニット（Central  Processing  Unit、CPU）、メモリ管理ユニット（MMU、Memory  Management  Unit）およびメモリ（メイン・メモリとも称される）といったハードウェアを含む。オペレーティング・システムは、プロセス（Process）、たとえばLinuxオペレーティング・システム、Unixオペレーティング・システム、Androidオペレーティング・システム、iOSオペレーティング・システムまたはWindowsオペレーティング・システムを使うことによってサービス処理を実装する任意の一つまたは複数のオペレーティング・システムでありうる。アプリケーション層は、ブラウザー、アドレス帳、ワードプロセシング・ソフトウェアおよびインスタントメッセージング・ソフトウェアといったアプリケーションを含む。さらに、本発明の実施形態における信号伝送方法のコードを記録するプログラムを実行することによって本発明の実施形態における信号伝送方法に従って通信が実施できる限り、信号伝送方法の実行主体の具体的な構造は、本発明の実施形態において特に限定されない。たとえば、本発明の実施形態におけるフィードバック情報送信方法の実行主体は、端末装置またはネットワーク装置であってもよく、あるいは端末装置またはネットワーク装置においてプログラムを呼び出してプログラムを実行することができる機能モジュールであってもよい。
【００８９】
さらに、本発明の実施形態の側面または特徴は、標準的なプログラミングおよび／またはエンジニアリング技術を使う方法、装置またはプロダクトとして実装されうる。本願で使われる用語「プロダクト」は、任意のコンピュータ可読コンポーネント、担体または媒体からアクセスされることができるコンピュータ・プログラムをカバーする。たとえば、コンピュータ可読媒体は、磁気記憶装置（たとえば、ハードディスク、フロッピーディスクまたは磁気テープ）、光ディスク（たとえばコンパクトディスク（Compact  Disc、CD）またはデジタル多用途ディスク（Digital  Versatile  Disc、DVD））、スマートカードおよびフラッシュメモリ・デバイス（たとえば消去可能なプログラム可能型読み出し専用メモリ（Erasable  Programmable  Read-Only  Memory、EPROM）、カード、スティックまたはキー・ドライブ）を含みうるがそれに限られない。さらに、本明細書に記載されるさまざまな記憶媒体は、情報を記憶するよう構成されている一つまたは複数のデバイスおよび／または他の機械可読媒体を示しうる。用語「機械可読媒体」は、命令および／またはデータを記憶する、含む、および／または搬送することができる無線チャネルおよびさまざまな他の媒体を含みうるが、それに限られない。
【００９０】
図１は、本発明のある実施形態に基づく、情報伝送のための通信システムの概略図である。図１に示されるように、通信システム１００はネットワーク装置１０２を含み、ネットワーク装置１０２はアンテナ１０４、１０６、１０８、１１０、１１２および１１４のような複数のアンテナを含んでいてもよい。さらに、ネットワーク装置１０２は追加的に、送信器チェーンおよび受信器チェーンを含んでいてもよい。当業者は、送信器チェーンおよび受信器チェーンがそれぞれ、信号送信および受信に関係した複数のコンポーネント（たとえばプロセッサ、変調器、マルチプレクサ、復調器、デマルチプレクサまたはアンテナ）を含みうることを理解しうる。
【００９１】
ネットワーク装置１０２は、複数の端末装置（たとえば端末装置１１６および端末装置１２２）と通信しうる。しかしながら、ネットワーク装置１０２は端末装置１１６または端末装置１２２と同様の任意の数の端末装置と通信しうることは理解されうる。たとえば、端末装置１１６および１２２はそれぞれ携帯電話、スマートフォン、ポータブル・コンピュータ、ハンドヘルド通信装置、ハンドヘルド・コンピューティング装置、衛星無線装置、グローバル測位システム、PDAおよび／または無線通信システム１００において通信を実行するよう構成されている他の任意の好適な装置でありうる。
【００９２】
図１に示されるように、端末装置１１６は、アンテナ１１２および１１４と通信する。アンテナ１１２および１１４は、順方向リンク１１８を使って端末装置１１６に情報を送り、逆方向リンク１２０を使って端末装置１１６から情報を受信する。さらに、端末装置１２２はアンテナ１０４および１０６と通信する。アンテナ１０４および１０６は順方向リンク１２４を使って端末装置１２２に情報を送り、逆方向リンク１２６を使って端末１２２から情報を受け取る。
【００９３】
たとえば、周波数分割複信（FDD、Frequency  Division  Duplex）システムでは、たとえば、順方向リンク１１８および逆方向リンク１２０は異なる周波数帯域を使ってもよく、順方向リンク１２４および逆方向リンク１２６は異なる周波数帯域を使ってもよい。
【００９４】
もう一つの例として、時分割複信（TDD、Time  Division  Duplex）システムまたは全二重（Full  Duplex）システムでは、順方向リンク１１８および逆方向リンク１２０が同じ周波数帯域を使ってもよく、順方向リンク１２４および逆方向リンク１２６が同じ周波数帯域が使ってもよい。
【００９５】
通信のために設計されているそれぞれのアンテナ（または複数のアンテナを含むアンテナ群）および／またはエリアは、ネットワーク装置１０２のセクターと称される。たとえば、アンテナ群が、ネットワーク装置１０２のカバレッジ内のあるセクター内にある端末装置と通信するよう設計されうる。ネットワーク装置１０２がそれぞれ順方向リンク１１８および１２４を使って端末装置１１６および端末装置１２２と通信するプロセスにおいて、ネットワーク装置１０２の送信アンテナは、順方向リンク１１８および１２４の信号対雑音比を、ビームフォーミングを通じて改善しうる。さらに、ネットワーク装置が単一のアンテナを使ってすべての端末装置に信号を送る仕方と比べて、ネットワーク装置１０２が、関係したカバレッジ内にランダムに分散している端末装置１１６および１２２に信号を、ビームフォーミングを通じて送るとき、近傍セルにあるモバイル装置への干渉が少なくなる。
【００９６】
所与の時間内において、ネットワーク装置１０２、端末装置１１６または端末装置１２２は、無線通信送信装置および／または無線通信受信装置であってもよい。データを送信している間、無線通信送信装置は送信のためにデータをエンコードしてもよい。具体的には、無線通信送信装置は、チャネルを使って無線通信受信装置に送られる必要のある、特定の量のデータ・ビットを取得してもよい（たとえば、生成する、他の通信装置から受領するまたはメモリに記憶する）。これらのデータ・ビットは、データのトランスポート・ブロック（または複数のトランスポート・ブロック）に含められてもよく、前記トランスポート・ブロックは、セグメント分割されて複数の符号ブロックを生成してもよい。
【００９７】
さらに、通信システム１００は、公共地上モバイルネットワーク（英語全称はPublic  Land  Mobile  Networkでありうる、英語略称はPLMNでありうる）ネットワーク、D2Dネットワーク、M2Mネットワークまたはその他のネットワークであってもよい。図１は単に、例としての簡略化された概略図であり、ネットワークはさらに、図１に示されていない他のネットワーク装置を含んでいてもよい。
【００９８】
本発明のこの実施形態において、送信装置はネットワーク装置１０２であってもよく、あるいは端末装置（たとえば端末装置１１６または端末装置１２２）であってもよいことを注意しておくべきである。対応して、受信装置は端末装置（たとえば端末装置１１６または端末装置１２２）であってもよく、あるいはネットワーク装置１０２であってもよい。これは、本発明のこの実施形態において特に限定されない。
【００９９】
下記は、本発明のこの実施形態における伝送対象を詳細に記述する。
【０１００】
具体的には、本発明のこの実施形態における伝送対象は、パイロット信号（Pilot  Signal）とも称されることがある参照信号（Reference  Signal、RS）であってもよく、送信端装置によって受信装置のために与えられ、チャネル推定、チャネル測定、チャネル探測、チャネル復調などのために使われる既知の信号である。
【０１０１】
本発明のこの実施形態において、参照信号は物理層に適用されてもよく、より上位の層からのデータ情報を担持しない。さらに、参照信号は下りリンク参照信号および上りリンク参照信号を含みうる。
【０１０２】
下りリンク参照信号は、下りリンクにおいて使われるセル固有参照信号（Cell-specific  Reference  Signal、CRS）、下りリンクにおいて使われる端末装置固有参照信号（UE-specific  Reference  Signal、UE-RS）、下りリンク・チャネル測定のために使われるチャネル状態情報参照信号（CSI-RS）、下りリンクにおいて使われるグループ固有参照信号（Group-specific  Reference  Signal、GRS）、下りリンクにおいて使われる測位参照信号（Positioning  RS、PRS）、下りリンクにおいて使われるビーム参照信号（Beam  reference  signal、BRS）、下りリンクにおいて使われるビーム洗練参照信号（Beam  refinement  reference  signal、BRRS）、下りリンクにおいて使われる位相補償参照信号（Phase  compensation  reference  signal、PCRS）などを含む。下りリンクにおいて使われるUE-RSは下りリンクにおいて使われる復調参照信号（Demodulation  Reference  Signal、DMRS）とも称される。
【０１０３】
上りリンク参照信号は、上りリンク復調のために使われる復調参照信号（Demodulation  Reference  Signal、DMRS）、上りリンク・チャネル測定のために使われる探測参照信号（Sounding  reference  signal、SRS）、上りリンクにおいて使われるPCRSなどを含む。PUCCH復調のために使われるDMRSはPUCCH  DRMSと称され、PUSCH復調のために使われるDMRSはPUSCH  DRMSと称される。
【０１０４】
参照信号に加えて、本発明のこの実施形態における伝送対象は、代替的に、良好な相関特徴をもつシーケンス信号集合におけるシーケンス信号であってもよい。良好な相関特徴とは、該集合における任意のシーケンスが比較的大きな自己相関ピークをもち、該集合における任意の二つのシーケンスが比較的小さな相互相関ピークをもつことを意味する。具体的には、本発明のこの実施形態において、送信装置は、複数の信号を送ってもよく、それらの信号のうちの少なくとも一つは、良好な相関特徴をもつシーケンス信号、たとえば擬似ランダム（pseudo  random）シーケンスおよびザドフ・チュー（Zadoff-chu）・シーケンスである。
【０１０５】
具体的には、相関は、同じ集合内のあるシーケンス信号と別のシーケンス信号の間で相関計算が実行されて相関値を得ることを意味する。よって、良好な相関特徴をもつシーケンス信号については、受信装置は、相関特徴に基づいて、信号が存在するかどうかを検出できる。換言すれば、相関特徴をもつシーケンス信号は、パイロットのような検出機構を使う必要なしに伝送される。参照信号（またはパイロット信号）は、良好な相関特徴をもつ信号の一つであってもよい。
【０１０６】
シーケンス信号の上記で挙げた具体例は単に記述のための例であることを理解しておくべきである。本発明のこの実施形態はそれに限定されない。たとえば、シーケンス信号は、代替的に、フィードバック情報（たとえば受け取り確認（ACK）情報または否定受け取り確認（NACK）情報）、資源要求信号または測定要求信号を搬送するために使われる信号であってもよい。
【０１０７】
理解および記述の簡単のため、下記は参照信号を、本発明のこの実施形態における信号伝送プロセスを記述するための例として使う。
【０１０８】
本発明のこの実施形態において、信号（たとえば参照信号）は、一つまたは複数の信号パラメータ（属性パラメータとも称される）をもち、異なる型の信号は少なくとも一つの異なる信号パラメータをもつ。換言すれば、本発明のこの実施形態では、信号は信号パラメータに基づいて複数の型に分類されてもよい。この場合、本発明のこの実施形態において、「第一の型は第二の型と異なる」とは、第一の参照信号のカテゴリーが第二の参照信号のカテゴリーと異なることを意味する。
【０１０９】
さらに、任意的に、第一の型の参照信号および第二の型の参照信号は少なくとも一つの異なる信号パラメータをもつ。該信号パラメータは、次のパラメータ：その信号に対応するチャネル、その信号の機能、その信号が加えられるリンク、その信号の伝送方向、その信号の送信装置が属するセルによって使用されるキャリアおよびその信号の送信装置、のうちの少なくとも一つを含む。
【０１１０】
換言すれば、本発明のこの実施形態において、参照信号のカテゴリーは、参照信号の信号パラメータに基づいて分類されうる。
【０１１１】
下記は、信号パラメータおよび信号パラメータに基づくカテゴリー分類方法を詳細に述べる。
【０１１２】
信号パラメータAは信号に対応するチャネルである。
【０１１３】
任意的に、信号に対応するチャネルは、データを伝送するために使われるチャネルまたは制御情報を伝送するために使われるチャネルである。
【０１１４】
具体的には、本発明のこの実施形態において、たとえば、信号は、その信号（たとえば参照信号）が加えられるチャネル（または対応するチャネル）に基づいて分類されてもよい。
【０１１５】
チャネルはA1およびA2を含んでいてもよい。
【０１１６】
A1は、データを送信するために使われるチャネルを示し、たとえば
物理上りリンクデータチャネル（Physical  Uplink  Shared  Channel、PUSCH）または物理下りリンクデータチャネル（Physical  Downlink  Shared  Channel、PDSCH）である。
【０１１７】
A2は、制御情報を送信するために使われるチャネルを示し、たとえば
物理上りリンク制御チャネル（Physical  Uplink  Control  Channel、PUCCH）または物理下りリンク制御チャネル（Physical  Downlink  Control  Channel、PDCCH）である。
【０１１８】
上記に挙げた具体的なチャネルは単に記述のための例であり、本発明のこの実施形態がそれに限定されないことを理解しておくべきである。たとえば、チャネルはさらに、向上物理下りリンク制御チャネル（Enhanced  Physical  Downlink  Control  Channel、EPDCCH）、物理制御フォーマット指示子チャネル（Physical  Control  Format  Indicator  Channel、PCFICH）、物理ハイブリッド自動再送要求指示子チャネル（Physical  hybrid  ARQ  indicator  channel、PHICH）または規格において導入される、同じ機能をもつが異なる名称の新たなチャネル、たとえば短TTI伝送において導入される制御チャネル、たとえば短TTI物理下りリンク制御チャネル（sTTI  Physical  Downlink  Control  Channel、sPDCCH）または短TTI伝送において導入されるデータ・チャネル、たとえば短TTI物理下りリンク共有チャネル（sTTI  Physical  Downlink  Shared  Channel、sPDSCH）を含んでいてもよい。
【０１１９】
具体的には、本発明のこの実施形態において、「第一の型の参照信号および第二の型の参照信号は少なくとも一つの異なる信号パラメータをもつ」とは、次の意味を含みうる：第一の型の参照信号が加えられるチャネルは第二の型の参照信号が加えられるチャネルとは異なる。たとえば、第一の信号に対応するチャネルはA1およびA2によって示される前記チャネルのうちの一つ（たとえば前記PUCCH、前記PUSCH、前記PDCCHまたは前記PDSCH）であってもよく、第二の信号に対応するチャネルはA1およびA2によって示される前記チャネルのうちの他方（たとえば前記PUCCH、前記PUSCH、前記PDCCHまたは前記PDSCH）であってもよい。
【０１２０】
信号パラメータBは信号の機能である。
【０１２１】
任意的に、第一の型の参照信号の機能は第二の型の参照信号の機能とは異なり、第一の型の参照信号の機能および第二の型の参照信号の機能は次の機能：位相補償、ACK/NACK情報担持、資源要求情報担持、測定要求情報担持、自動利得制御AGC調節、時間‐周波数同期、物理データ・チャネル復調、物理制御チャネル復調、チャネル状態情報測定、ビーム状態情報測定、ビーム洗練情報測定、無線資源管理RRM測定または測位測定のうちの二つである。
【０１２２】
具体的には、本発明のこの実施形態において、たとえば、信号はその信号（たとえば参照信号）の機能に基づいて分類されてもよい。
【０１２３】
機能はB1、B2、B3、B4、B5、B6、B7、B8、B9、B10、B11を含んでいてもよい。
【０１２４】
B1は、データ・チャネル復調を示す。
【０１２５】
具体的には、本発明のこの実施形態において信号（たとえば参照信号）を搬送するチャネルは、変調されたデータを搬送してもよく、よってその信号（たとえば参照信号）はデータを復調するために使用されうる。
【０１２６】
限定ではなく例として、チャネル復調のために使われる信号はたとえば、復調参照信号（Demodulation  Reference  Signal、DMRS）または共通参照信号（Common  Reference  Signal、CRS）であってもよい。
【０１２７】
さらに、本発明のこの実施形態における「データ・チャネル復調」の具体的な方法およびプロセスは、従来技術におけるものと同様であってもよい。反復を避けるために、詳細な記述はここでは割愛する。
【０１２８】
さらに、限定ではなく例として、データ・チャネル復調のために使われる信号（たとえばDMRS）が加えられるチャネル（または復調されたチャネル）は上りリンク・チャネル（たとえばPUSCH）であってもよく、あるいは下りリンク・チャネル（たとえばPDSCH）であってもよい。これは、本発明のこの実施形態において特に限定されない。
【０１２９】
B2は制御チャネル復調を示す。
【０１３０】
具体的には、本発明のこの実施形態において信号（たとえば参照信号）を搬送するチャネルは、変調された制御情報を担持してもよく、よってその信号（たとえば参照信号）は制御情報を復調するために使用されうる。
【０１３１】
限定ではなく例として、チャネル復調のために使われる信号はたとえば、DMRSまたはCRSであってもよい。
【０１３２】
さらに、本発明のこの実施形態における「制御チャネル復調」の具体的な方法およびプロセスは、従来技術におけるものと同様であってもよい。反復を避けるために、詳細な記述はここでは割愛する。
【０１３３】
さらに、限定ではなく例として、制御チャネル復調のために使われる信号（たとえばDMRS）が加えられるチャネル（または復調されたチャネル）は上りリンク・チャネル（たとえばPUCCH）であってもよく、あるいは下りリンク・チャネル（たとえばPDCCH）であってもよい。これは、本発明のこの実施形態において特に限定されない。
【０１３４】
B3はチャネル状態情報測定を示す。
【０１３５】
具体的には、本発明のこの実施形態における信号（たとえば参照信号）は、その信号を搬送するチャネルを測定する、たとえばチャネル品質を測定するために使われてもよい。
【０１３６】
限定ではなく例として、チャネル測定のために使われる信号はたとえば、チャネル状態情報参照信号（Channel  State  Information  Reference  Signal、CSI-RS）、探測参照信号（Sounding  Reference  Signal、SRS）または共通参照信号（Common  Reference  Signal、CRS）であってもよい。
【０１３７】
さらに、本発明のこの実施形態における「チャネル測定」の具体的な方法およびプロセスは、従来技術におけるものと同様であってもよい。反復を避けるために、詳細な記述はここでは割愛する。
【０１３８】
さらに、限定ではなく例として、チャネル測定のために使われる信号（たとえばDMRS）が加えられるチャネル（または測定されたチャネル）は上りリンク・チャネル（たとえばPUSCHまたはPUCCH）であってもよく、あるいは下りリンク・チャネル（たとえばPDCCHまたはPDSCH）であってもよい。これは、本発明のこの実施形態において特に限定されない。
【０１３９】
B4は位相補償を示す。
【０１４０】
具体的には、本発明のこの実施形態における信号（たとえば参照信号）は、同相誤差（Common  phase  error、CPE）およびサブキャリア間干渉（Inter-subcarrier  Interference、ICI）を測定するために使われてもよい。
【０１４１】
限定ではなく例として、チャネル測定のために使われる信号はたとえば、位相補償参照信号（Phase  Compensation  Reference  Signal）またはチャネル状態情報参照信号（Channel  State  Information  Reference  Signal、CSI-RS）であってもよい。
【０１４２】
さらに、本発明のこの実施形態における「位相補償」の具体的な方法およびプロセスは、従来技術におけるものと同様であってもよい。反復を避けるために、詳細な記述はここでは割愛する。
【０１４３】
B5はフィードバック情報担持を示す。
【０１４４】
具体的には、本発明のこの実施形態における信号（たとえば参照信号）は、フィードバック処理、たとえばハイブリッド自動再送要求（Hybrid  Automatic  Repeat  reQuest、HARQ）処理のために使われてもよい。換言すれば、信号（たとえば第一の信号および／または第二の信号）が、受け取り確認ACK情報またはNACK情報のようなフィードバック情報を担持するために使われてもよい。
【０１４５】
B6は資源要求情報担持を示す。
【０１４６】
具体的には、本発明のこの実施形態における信号（たとえば参照信号）は、資源要求プロセスを実行するために使われてもよい。換言すれば、この信号は、資源要求情報（たとえば資源スケジューリング要求情報）を担持するために使われる信号であってもよい。限定ではなく例として、資源要求情報は、データ（たとえば上りリンク・データまたは下りリンク・データ）を伝送するために使われる時間‐周波数資源を割り当てるよう要求するための要求情報であってもよい。
【０１４７】
B7は測定情報担持を示す。
【０１４８】
具体的には、本発明のこの実施形態における信号（たとえば参照信号）は、測定要求プロセスを実行するために使われてもよい。換言すれば、この信号は、測定要求情報を担持するために使われる信号であってもよい。限定ではなく例として、測定要求情報は、下りリンク測定参照信号を送ることを要求するための要求情報であってもよい。
【０１４９】
B8は自動利得制御AGC調節を示す。
【０１５０】
具体的には、自動利得制御（Automatic  Gain  Control、AGC）は、増幅回路の利得が信号強度とともに自動的に変化できるようにする自動制御方法である。自動利得制御は振幅制限出力の一つの型であり、線形増幅および圧縮された増幅の有効的な組み合わせを使って出力信号を調節するために使われる。弱い信号が入力されるときは、線形増幅回路が機能して、出力信号の強さを確保する。入力信号が特定の強さに達したら、圧縮増幅回路が開始されて、出力振幅を減らす。換言すれば、AGCの機能は、入力および出力の増幅割合を修正することによって、自動制御利得の振幅を自動的に制御することである。
【０１５１】
本発明のこの実施形態における信号（たとえば参照信号）は、AGC調節プロセスを実行するために使われてもよい。さらに、AGC調節プロセスにおける参照信号の使用および使用法は、従来技術におけるものと同様であってもよい。反復を避けるために、詳細な記述はここでは割愛する。
【０１５２】
B9は時間‐周波数同期を示す。
【０１５３】
具体的には、本発明のこの実施形態における信号（たとえば参照信号）は、時間‐周波数同期のために使われてもよい。さらに、時間‐周波数同期プロセスにおける参照信号の使用および使用法は、従来技術におけるものと同様であってもよい。反復を避けるために、詳細な記述はここでは割愛する。
【０１５４】
B10は無線資源管理RRM測定を示す。
【０１５５】
具体的には、無線資源管理（Radio  Resource  Management、RRM）は、帯域幅が限られているときにネットワークにおける無線ユーザー端末のためのサービス品質を保証することである。基本的な出発点は、ネットワーク・トラフィックが不均等に分布しているときに無線伝送およびネットワークの利用可能な資源を柔軟に割り当て、動的に調整するということであり、チャネル特徴はチャネル減衰および干渉とともに変動し、それにより無線スペクトル利用率を最大限に改善し、ネットワーク輻輳を回避し、信号伝達負荷をできるだけ低く維持する。
【０１５６】
本発明のこの実施形態における信号（たとえば参照信号）は、RRM測定プロセスを実行するために使われてもよい。さらに、RRM測定プロセスにおける参照信号の使用および使用法は、従来技術におけるものと同様であってもよい。反復を避けるために、詳細な記述はここでは割愛する。
【０１５７】
B11は測位測定を示す。
【０１５８】
本発明のこの実施形態における信号（たとえば参照信号）は、測位測定プロセスを実行するために使われてもよい。さらに、測位測定プロセスにおける参照信号の使用および使用法は、従来技術におけるものと同様であってもよい。反復を避けるために、詳細な記述はここでは割愛する。
【０１５９】
具体的には、本発明のこの実施形態において、「第一の型の参照信号および第二の型の参照信号は少なくとも一つの異なる信号パラメータをもつ」とは、次の意味を含みうる：第一の型の参照信号の機能が第二の型の参照信号の機能と異なる。たとえば、第一の型の参照信号の機能はB1ないしB11によって示された機能のうちの一つであってもよく、第二の型の参照信号の機能はB1ないしB11によって示された機能のうちの別の一つであってもよい。
【０１６０】
信号パラメータCは、信号が加えられるリンクである。
【０１６１】
任意的に、信号が加えられるリンクは、ネットワーク装置と端末装置の間のリンク、ネットワーク装置間のリンクまたは端末装置間のリンクを含む。
【０１６２】
具体的には、本発明のこの実施形態において、たとえば信号は、その信号（たとえば参照信号）が加えられるリンク（または対応するリンク）に基づいて分類されてもよい。
【０１６３】
リンクはC1、C2、C3を含みうる。
【０１６４】
C1は、ネットワーク装置と端末装置の間のリンクを示す。
【０１６５】
このリンクはセルラー（Cellular）・リンクと称されることもあり、ネットワーク装置（たとえばeNB）と端末装置の間の通信のために使われる。
【０１６６】
C2は、ネットワーク装置間のリンクを示す。
【０１６７】
このリンクはバックホール（backhaul）・リンクと称されることもあり、ネットワーク装置（たとえばeNB）とネットワーク装置（たとえばeNBまたはゲートウェイ装置）との間の通信のために使われる。
【０１６８】
C3は、端末装置間のリンクを示す。
【０１６９】
このリンクはサイドリンク（sidelink）・リンクと称されることもあり、端末装置間の通信のために使われる。
【０１７０】
具体的には、本発明のこの実施形態において、「第一の型の参照信号および第二の型の参照信号は少なくとも一つの異なる信号パラメータをもつ」とは、次の意味を含みうる：第一の型の参照信号が加えられるリンクが第二の型の参照信号が加えられるリンクと異なる。たとえば、第一の型の参照信号に対応するリンクはC1ないしC3によって示されるリンクのうちの一つであってもよく、第二の型の参照信号に対応するリンクはC1ないしC3によって示されるリンクのうちの別の一つであってもよい。
【０１７１】
信号パラメータDは信号の伝送方向である。
【０１７２】
任意的に、信号の伝送方向は上りリンク伝送または下りリンク伝送を含む。
【０１７３】
具体的には、本発明のこの実施形態において、たとえば、信号は信号の伝送方向に基づいて分類されてもよい。
【０１７４】
伝送方向はD1およびD2を含んでいてもよい。
【０１７５】
D1は上りリンク伝送を示す。
【０１７６】
この場合、信号は端末装置によってネットワーク装置に送られてもよい。
【０１７７】
D2は下りリンク伝送を示す。
【０１７８】
この場合、信号はネットワーク装置によって端末装置に送られてもよい。
【０１７９】
具体的には、本発明のこの実施形態において、「第一の型の参照信号および第二の型の参照信号は少なくとも一つの異なる信号パラメータをもつ」とは、次の意味を含みうる：第一の型の参照信号の伝送方向が第二の型の参照信号の伝送方向と異なる。たとえば、第一の型の参照信号の伝送方向はD1およびD2によって示される伝送方向の一方であってもよく、第二の型の参照信号の伝送方向はD1およびD2によって示される伝送方向の他方であってもよい。
【０１８０】
信号パラメータEは、信号の伝送装置が属するセルによって使用されるキャリアである。
【０１８１】
具体的には、本発明のこの実施形態において、キャリアは、信号を送るまたは受け取るネットワーク装置または端末装置が位置しているセルのキャリアであってもよい。
【０１８２】
具体的には、本発明のこの実施形態において、「第一の型の参照信号および第二の型の参照信号は少なくとも一つの異なる信号パラメータをもつ」とは、次の意味を含みうる：第一の装置（つまり、第一の型の参照信号を伝送するネットワーク装置または端末装置）が位置するセルのキャリア（理解および記述の簡単のために以下では第一のキャリアと称する）が第二の装置（つまり、第一の型の参照信号を伝送するネットワーク装置または端末装置）が位置するセルのキャリア（理解および記述の簡単のために以下では第二のキャリアと称する）と異なり、第一のキャリアおよび第二のキャリアが重複をもつ。
【０１８３】
「第一のキャリアが第二のキャリアと異なり、第一のキャリアおよび第二のキャリアが重複をもつ」とは、以下の意味を含みうる。
【０１８４】
１．第一のキャリアの周波数領域の範囲が第二のキャリアの周波数領域の範囲より大きく、第二のキャリアの周波数領域の範囲が第一のキャリアの周波数領域の範囲内にはいる。
【０１８５】
２．第一のキャリアの周波数領域の範囲が第二のキャリアの周波数領域の範囲より小さく、第一のキャリアの周波数領域の範囲が第二のキャリアの周波数領域の範囲内にはいる。
【０１８６】
３．第一のキャリアの周波数領域の範囲が第二のキャリアの周波数領域の範囲と異なり、第一のキャリアの周波数領域の範囲と第二のキャリアの周波数領域の範囲が部分的に重なる。
【０１８７】
信号パラメータFは信号の送信装置である。
【０１８８】
具体的には、本発明のこの実施形態において、「第一の型の参照信号および第二の型の参照信号は少なくとも一つの異なる信号パラメータをもつ」とは、次の意味を含みうる：第一の型の参照信号の送信装置が第二の型の参照信号の送信装置と異なる。
【０１８９】
「第一の型の参照信号の送信装置が第二の型の参照信号の送信装置と異なる」は、第一の型の参照信号の送信装置がネットワーク装置であり、第二の型の参照信号の送信装置が端末装置であることを意味してもよい。
【０１９０】
あるいはまた、「第一の型の参照信号の送信装置が第二の型の参照信号の送信装置と異なる」は、第一の型の参照信号の送信装置が端末装置であり、第二の型の参照信号の送信装置がネットワーク装置であることを意味してもよい。
【０１９１】
あるいはまた、「第一の型の参照信号の送信装置が第二の型の参照信号の送信装置と異なる」は、第一の型の参照信号の送信装置が端末装置であり、第二の型の参照信号の送信装置が別の端末装置であることを意味してもよい。第一の型の参照信号を送る端末装置と第二の型の参照信号を送る端末装置は同じセル内にあってもよく（たとえば同じネットワーク装置にアクセスする）、あるいは異なるセルにあってもよい（たとえば、異なるネットワーク装置にアクセスする）。これは、本発明のこの実施形態において特に限定されない。
【０１９２】
あるいはまた、「第一の型の参照信号の送信装置が第二の型の参照信号の送信装置と異なる」は、第一の型の参照信号の送信装置がネットワーク装置であり、第二の型の参照信号の送信装置が別のネットワーク装置であることを意味してもよい。第一の型の参照信号を送るネットワーク装置と第二の型の参照信号を送るネットワーク装置は同じ周波数において展開されてもよく、あるいは異なる周波数において展開されてもよい。これは、本発明のこの実施形態において特に限定されない。
【０１９３】
上記で挙げた信号パラメータは単に記述のための例であることを理解しておくべきである。本発明のこの実施形態はそれに限定されない。たとえば、参照信号の機能は、代替的に、ビーム状態情報（Beam  state  information）測定またはビーム洗練情報（Beam  refinement  information）測定であってもよい。
【０１９４】
図２に示されるように、本発明のこの実施形態において、異なる型の参照信号は、異なる符号資源に基づいて、同じ時間‐周波数資源上に多重化されうる。
【０１９５】
任意的に、符号資源は、符号分割多重CDM符号を含む。
【０１９６】
具体的には、本発明のこの実施形態において、たとえば、異なる型の参照信号は、符号分割多重（code  division  multiplexing、CDM）技術に基づいて、伝送のために時間‐周波数資源上で多重化されてもよい。CDMは、信号符号型構造の間の直交性を使って多重化を実装する通信様式である。
【０１９７】
符号分割多重はチャネル共有方法である。各ユーザーは、同時に同じ周波数帯域を使って通信を実行でき、符号型に基づくチャネル・セグメンテーション方法を使う。具体的には、各ユーザーに一つのアドレス符号が割り当てられ、符号型が異なる。よって、通信当事者は互いに干渉せず、強い干渉耐性をもつ。これが、送信端が、信号電力を調整することによって参照信号をよりよく使うことを助ける。
【０１９８】
符号資源として使われる上記で挙げたCDM符号は単に記述のための例であり、本発明のこの実施形態はそれに限定されないことを注意しておくべきである。参照信号を伝送するために使用できる他の符号資源は、本発明の実施形態の保護範囲内にはいる。
【０１９９】
図３は、本発明のある実施形態に基づく参照信号受信および送信方法２００の概略的なフローチャートである。図３に示されるように、方法２００は下記の段階を含む。
【０２００】
S210では、送信装置#A（つまり、第一の送信装置の例）が参照信号#A（つまり、第一の参照信号の例）を生成する。参照信号#Aを生成するプロセスは従来技術におけるものと同様であってもよい。反復を避けるため、詳細な記述はここでは割愛する。
【０２０１】
本発明のこの実施形態において、参照信号#Aは型#A（つまり、第一の型の例）の参照信号であることを注意しておくべきである。ここで、型#Aは、上記の信号パラメータAないしFのうちの任意のものに基づいて決定されうる。これは、本発明のこの実施形態において特に限定されない。
【０２０２】
さらに、送信装置#Aは、参照信号#Aに対応する符号資源（たとえばCDM符号。これは理解および区別の容易のために下記では符号資源#Aとしてマークされる）を決定してもよい。「参照信号#Aに対応する符号資源」とは、次のように理解されうる：参照信号#Aは、符号資源#Aに基づいて、ある時間‐周波数資源（これは具体的には一つまたは複数の第一の時間‐周波数資源グループであり、詳細な記述はのちに与える）上に多重化される。
【０２０３】
限定ではなく例として、本発明のこの実施形態において、符号資源の長さは、同じ時間‐周波数資源上に多重化される参照信号の数に基づいて決定されてもよい。たとえば、符号資源の長さが4であれば、四つの参照信号が同じ時間‐周波数資源上で多重化されてもよい。符号資源の長さが8であれば、八つの参照信号が同じ時間‐周波数資源上で多重化されてもよい。
【０２０４】
さらに、たとえば、本発明のこの実施形態において、各参照信号に対応する符号資源が、ネットワーク装置（これは該参照信号の送信装置または受信装置として使用されうる）によって決定されて、端末装置（これは該参照信号の送信装置または受信装置として使用されうる）に通知されてもよい。
【０２０５】
もう一つの例として、本発明のこの実施形態において、各参照信号に対応する符号資源が、ネットワーク装置（これは該参照信号の送信装置または受信装置として使用されうる）および別のネットワーク装置（これは該参照信号の送信装置または受信装置として使用されうる）によって、ネゴシエーションを通じて決定されてもよい。
【０２０６】
さらにもう一つの例として、本発明のこの実施形態において、参照信号の各型に対応する符号資源は、通信システムまたは通信プロトコルによって規定されてもよく、それにより実際に送られる参照信号に対応する符号資源は、その参照信号の型に基づいて決定されることができる。
【０２０７】
上記に挙げた符号資源決定法は単に記述のための例であり、本発明のこの実施形態はそれに限定されないことを理解しておくべきである。本発明のこの実施形態における符号資源決定法は、従来技術におけるものと同様であってもよい。反復を避けるため、詳細な記述はここでは割愛する。
【０２０８】
符号資源#Aは、参照信号#B（つまり第二の参照信号の例）に対応する符号資源（たとえばCDM符号。これは理解および区別の容易のために下記では符号資源#Bとしてマークされる）と直交である。
【０２０９】
「参照信号#Bに対応する符号資源」とは、次のように理解されうる：参照信号#Bは、符号資源#Bに基づいて、ある時間‐周波数資源（これは具体的には一つまたは複数の第二の時間‐周波数資源グループであり、前記一つまたは複数の第二の時間‐周波数資源グループおよび前記一つまたは複数の第一の時間‐周波数資源グループは同じ時間‐周波数資源を占有する。詳細な記述はのちに与える）上に多重化される。
【０２１０】
よって、参照信号#Aおよび参照信号#Bは、符号資源#Aおよび符号領域資源#Bを使うことによって、同じ時間‐周波数資源上で多重化されうる。
【０２１１】
この実施形態において、参照信号#Bは型#B（つまり、第二の型の例）の参照信号であることを注意しておくべきである。ここで、型#Bは、上記の信号パラメータAないしFのうちの任意のものに基づいて決定されうる。これは、本発明のこの実施形態において特に限定されない。
【０２１２】
換言すれば、本発明のこの実施形態において、参照信号#B（つまり、第二の型の参照信号の例）および参照信号#A（つまり、第一の型の参照信号の例）は異なる型の参照信号である。
【０２１３】
任意的に、第一の参照信号は第一の受信装置に送られ、第二の参照信号は第二の受信装置に送られる。
【０２１４】
換言すれば、本発明のこの実施形態において、参照信号#Bおよび参照信号#Aは、異なる受信装置に送られる参照信号である。
【０２１５】
たとえば、「異なる受信装置」は、一方の受信装置が端末装置であり、他方の受信装置が異なる端末装置であることを意味してもよい。
【０２１６】
あるいはまた、「異なる受信装置」は、一方の受信装置がネットワーク装置であり、他方の受信装置が異なるネットワーク装置であることを意味してもよい。
【０２１７】
あるいはまた、「異なる受信装置」は、一方の受信装置がネットワーク装置であり、他方の受信装置が端末装置であることを意味してもよい。
【０２１８】
第一の参照信号および第二の参照信号の受信装置の上記で挙げた場合は単に記述のための例であり、本発明のこの実施形態はそれに限定されないことを理解しておくべきである。たとえば、第一の参照信号および第二の参照信号の受信装置は同じであってもよい。
【０２１９】
任意的に、第二の参照信号は第一の送信装置によって送られる。
【０２２０】
具体的には、送信装置#A（つまり、第一の送信装置の例）が参照信号#B（つまり、第二の参照信号の例）を生成する。参照信号#Bを生成するプロセスは、従来技術におけるものと同様であってもよい。反復を避けるため、詳細な記述はここでは割愛する。
【０２２１】
さらに、送信装置#Aが参照信号#Bに対応する符号資源（つまり符号資源#B）を決定してもよい。
【０２２２】
この場合、参照信号#Bの受信装置は参照信号#Aの受信装置とは異なっていてもよい。
【０２２３】
たとえば、第一の送信装置は第一のネットワーク装置であり、第一の受信装置は端末装置であり、第二の受信装置は第二のネットワーク装置である。
【０２２４】
具体的には、本発明のこの実施形態において、送信装置#Aは参照信号#Bおよび参照信号#A両方の送信装置として使用されてもよい。この場合、たとえば、送信装置#Aはネットワーク装置（つまり、前記第一のネットワーク装置）であってもよい。
【０２２５】
さらに、たとえば、参照信号#Aの受信装置は端末装置であってもよい。具体的には、参照信号#Aに対応する通信リンクはセルラー・リンクであってもよい。
【０２２６】
もう一つの例として、参照信号#Bの受信装置はネットワーク装置（つまり、前記第二のネットワーク装置の例）であってもよい。具体的には、参照信号#Bに対応する通信リンクはバックホール・リンクであってもよい。
【０２２７】
参照信号#Aおよび参照信号#Bの送信装置および受信装置の上記で挙げた場合は単に記述のための例であることを理解しておくべきである。これは、本発明のこの実施形態において特に限定されない。換言すれば、参照信号#Aおよび参照信号#Bの送信装置は同じであってもよく、あるいは異なっていてもよい。参照信号#Aおよび参照信号#Bの受信装置は同じであってもよく、あるいは異なっていてもよい。これは、参照信号#Aおよび参照信号#Bの型が異なっている（換言すれば、少なくとも一つの信号パラメータが異なる）ことが保証される限り、本発明のこの実施形態において特に限定されない。
【０２２８】
本発明のこの実施形態において、参照信号#Bは送信装置#B（送信装置#Aとは異なる送信装置）によって送られてもよい。この場合、送信装置#B（つまり、第二の送信装置の例）が参照信号#B（つまり、第二の参照信号の例）を生成する。参照信号#Bを生成するプロセスは、従来技術におけるものと同様であってもよい。反復を避けるため、詳細な記述はここでは割愛する。さらに、送信装置#Bは、参照信号#Bに対応する符号資源#B（つまり、第二の符号資源の例）を決定してもよい。
【０２２９】
まとめると、本発明のこの実施形態において、参照信号#Aおよび参照信号#Bの送信装置および受信装置は以下の場合を含みうる。
【０２３０】
場合１。
【０２３１】
参照信号#Aおよび参照信号#Bの送信装置が同じであり、参照信号#Aおよび参照信号#Bの受信装置も同じである。この場合、参照信号#Aおよび参照信号#Bの機能（つまり、少なくとも一つの信号パラメータ）が異なる。
【０２３２】
場合２。
【０２３３】
参照信号#Aおよび参照信号#Bの送信装置が同じであり、参照信号#Aおよび参照信号#Bの受信装置は異なる。この場合、参照信号#Aおよび参照信号#Bの機能（つまり、少なくとも一つの信号パラメータ）は同じであってもよく、あるいは異なっていてもよい。
【０２３４】
限定ではなく例として、この場合、たとえば、参照信号#Aおよび参照信号#Bの送信装置はネットワーク装置であってもよく、参照信号#Aの受信装置は端末装置であってもよく、参照信号#Bの受信装置はネットワーク装置であってもよい。
【０２３５】
場合３。
【０２３６】
参照信号#Aおよび参照信号#Bは異なっており、参照信号#Aおよび参照信号#Bの受信装置は同じである。この場合、参照信号#Aおよび参照信号#Bの機能（つまり、少なくとも一つの信号パラメータ）は同じであってもよく、あるいは異なっていてもよい。
【０２３７】
場合４。
【０２３８】
参照信号#Aおよび参照信号#Bは異なり、参照信号#Aおよび参照信号#Bの受信装置も異なる。この場合、参照信号#Aおよび参照信号#Bの機能（つまり、少なくとも一つの信号パラメータ）は同じであってもよく、あるいは異なっていてもよい。
【０２３９】
具体的には、場合４において、参照信号#Aおよび参照信号#Bは、異なるセルにおいて伝送される参照信号であってもよい。
【０２４０】
限定ではなく例として、この場合、たとえば、参照信号#Aの送信装置は端末装置であってもよく、参照信号#Aの受信装置はネットワーク装置であってもよく、参照信号#Bの送信装置はネットワーク装置であってもよく、参照信号#Bの受信装置は端末装置であってもよい。具体的には、参照信号#Aはセルの上りリンク参照信号であってもよく、参照信号#Aは別のセルの下りリンク参照信号であってもよい。
【０２４１】
符号資源#Aが符号資源#Bに直交する上記で挙げた場合は単に記述のための例であり、符号資源#Aが符号資源#Bと異なり、参照信号#Aおよび参照信号#Bが符号資源#Aおよび符号資源#Bに基づいて同じ時間‐周波数資源上に多重化できることが保証される限り、本発明のこの実施形態はそれに限定されないことを注意しておくべきである。
【０２４２】
さらに、本発明のこの実施形態において、符号資源#Aの符号長および符号資源#Bの符号長は同じであってもよく、あるいは異なっていてもよい。これは、本発明のこの実施形態において特に限定されない。
【０２４３】
さらに、本発明のこの実施形態において、参照信号#Aの送信装置はネットワーク装置または端末装置であってもよく、参照信号#Aの受信装置はネットワーク装置または端末装置であってもよい；同様に、参照信号#Bの送信装置はネットワーク装置または端末装置であってもよく、参照信号#Bの受信装置はネットワーク装置または端末装置であってもよい。本発明のこの実施形態においてこれは特に限定されない。
【０２４４】
さらに、S210において、参照信号#Aの受信装置（これは理解の容易のため下記では受信装置#Aとしてマークされる）は、符号資源#Aを決定してもよい。受信装置#Aにより符号資源#Aを決定するプロセスは、送信装置#Aにより符号資源#Aを決定するプロセスと同様であってもよい。反復を避けるため、詳細な記述はここでは割愛する。
【０２４５】
S220では、送信装置#Aは、参照信号#Aを伝送するために使われる（または参照信号#Aおよび参照信号#Bを伝送するために使われる）時間‐周波数資源（つまり、少なくとも一つの第一の時間‐周波数資源グループの例。これは、理解および記述の簡単のため下記では時間‐周波数資源＃１としてマークされる）を決定してもよい。
【０２４６】
具体的には、本発明のこの実施形態において、送信装置#Aは、符号資源#Aの符号長に基づいて時間‐周波数資源＃１を決定してもよい。それにより、時間‐周波数資源＃１によって占有される資源要素（または資源要素、Resource  Element、RE）の数の値は、符号資源#Aの符号長の値に対応する。たとえば、本発明のこの実施形態において、時間‐周波数資源＃１は複数の時間‐周波数資源グループを含んでいてもよく、各時間‐周波数資源グループのサイズ（たとえば含まれるREの数）は符号長#Aと同じであってもよい。すなわち、時間‐周波数資源＃１のサイズの値は、符号資源#Aの符号長の値の正の整数倍であってもよい。
【０２４７】
符号資源#Aと時間‐周波数資源＃１との間の上記で挙げた関係は、記述のための例であり、本発明のこの実施形態はそれに限定されないことを理解しておくべきである。たとえば、時間‐周波数資源＃１によって占められるREの数の値は符号資源#Aの符号長の値以上であってもよい。本発明のこの実施形態においてこれは特に限定されない。
【０２４８】
本発明のこの実施形態では、通信システムは複数の時間‐周波数資源グループ（第一の時間‐周波数資源グループおよび第二の時間‐周波数資源グループを含む）を提供してもよい。
【０２４９】
さらに、各時間‐周波数資源グループは、システム時間‐周波数資源における規定された数の資源要素を含んでいてもよい。資源要素は、時間‐周波数資源の最小の分割単位であってもよい。たとえば、一つの資源要素は一つのREに対応してもよい。
【０２５０】
たとえば、任意的に、前記少なくとも一つの第一の時間‐周波数資源グループのそれぞれは4N個のREを占有し、前記少なくとも一つの第二の時間‐周波数資源グループのそれぞれは4M個のREを占有し、Nは1以上の整数であり、Mは1以上の整数である。
【０２５１】
換言すれば、限定ではなく例として、本発明のこの実施形態において、一つの時間‐周波数資源グループは、4の整数倍である数のREを含んでいてもよい。
【０２５２】
一つの時間‐周波数資源グループに含まれるREの上記で挙げた数は単に記述のための例であり、本発明のこの実施形態がそれに限定されないことを理解しておくべきである。たとえば、一つの時間‐周波数資源グループは、2の正の整数倍である数のREを含んでいてもよい。
【０２５３】
たとえば、本発明のこの実施形態において、図４に示されるように、一つの時間‐周波数資源グループは二つのREを含んでいてもよい。さらに、二つのREの位置の間の関係は、時間‐周波数資源グループ＃１によって示されてもよく、あるいは時間‐周波数資源グループ＃２によって示されてもよい。
【０２５４】
あるいはまた、図５に示されるように、一つの時間‐周波数資源グループは四つのREを含んでいてもよい。さらに、四つのREの位置の間の関係は、時間‐周波数資源グループ＃３によって示されてもよく、時間‐周波数資源グループ＃４によって示されてもよく、あるいは時間‐周波数資源グループ＃５によって示されてもよい。
【０２５５】
あるいはまた、図６に示されるように、一つの時間‐周波数資源グループは八つのREを含んでいてもよい。さらに、八つのREの位置の間の関係は、時間‐周波数資源グループ＃６によって示されてもよく、時間‐周波数資源グループ＃７によって示されてもよく、時間‐周波数資源グループ＃８によって示されてもよく、あるいは時間‐周波数資源グループ＃９によって示されてもよい。
【０２５６】
あるいはまた、図７に示されるように、一つの時間‐周波数資源グループは16個のREを含んでいてもよい。さらに、16個のREの位置の間の関係は、時間‐周波数資源グループ＃１０によって示されてもよく、時間‐周波数資源グループ＃１１によって示されてもよく、時間‐周波数資源グループ＃１２によって示されてもよく、時間‐周波数資源グループ＃１３によって示されてもよく、あるいは時間‐周波数資源グループ＃１４によって示されてもよい。
【０２５７】
本発明のこの実施形態において、任意の二つの時間‐周波数資源グループに含まれる資源要素（たとえばRE）の数は同じであってもよく、あるいは異なっていてもよい。本発明のこの実施形態においてこれは特に限定されない。
【０２５８】
さらに、本発明のこの実施形態において、システム時間‐周波数資源における任意の二つの時間‐周波数資源グループの位置は、同じであってもよく、あるいは異なっていてもよい。本発明のこの実施形態においてこれは特に限定されない。
【０２５９】
本発明のこの実施形態において、一つの時間‐周波数資源グループに含まれるREは、中央集中した仕方で（あるいは連続的に）構成されてもよく、あるいは分散式に構成されてもよい。本発明のこの実施形態においてこれは特に限定されない。
【０２６０】
限定ではなく例として、たとえば、本発明のこの実施形態において、一つの時間‐周波数資源グループは、諸システム時間‐周波数資源内で周期的に現われてもよく（時間領域における周期および／または周波数領域における周期を含む）、あるいは本発明のこの実施形態において、一つの時間‐周波数資源グループは、諸システム時間‐周波数資源内の固定位置（時間領域における位置および／または周波数領域における位置）に現われてもよい。本発明のこの実施形態においてこれは特に限定されない。
【０２６１】
もう一つの例として、本発明のこの実施形態において、一つの符号資源は一つまたは複数の時間‐周波数資源グループに対応してもよく、本発明のこの実施形態において、ネットワーク装置は、各符号資源に対応する時間‐周波数資源グループを示すために使われるマッピング関係情報#A（これは第一のマッピング関係情報と称されてもよい）を記憶していてもよい。
【０２６２】
さらにもう一つの例として、本発明のこの実施形態において、ネットワーク装置が、参照信号を伝送するために使われるチャネルのチャネル品質または参照信号を伝送するために使われるリンクのリンク状態に基づいて、参照信号を担持するために使われる時間‐周波数資源グループの位置（具体的には、諸システム時間‐周波数資源における位置）と、時間‐周波数資源グループの数とを決定してもよい。たとえば、チャネル品質またはリンク状態が比較的良好な場合には、比較的少数の時間‐周波数資源グループが使用されてもよい。チャネル品質またはリンク状態が比較的貧弱な場合には、比較的多数の時間‐周波数資源グループが使用されてもよい。
【０２６３】
よって、送信装置#Aがネットワーク装置であるとき、送信装置#Aは、参照信号#Aによって使用される符号資源#Aおよびマッピング関係#Aに基づいて、符号資源#Aに対応するα個の時間‐周波数資源グループ（つまり、第一の時間‐周波数資源グループの例。理解および区別の容易のため、下記では時間‐周波数資源グループ#Aとしてマークされる）を決定し、それらの時間‐周波数資源グループを、参照信号#Aを送るために使われる時間‐周波数資源グループ＃１として使ってもよい。ここで、α≧1である。さらに、α個の時間‐周波数資源グループ#Aに対応する時間‐周波数資源は、時間‐周波数資源＃１である。さらに、各時間‐周波数資源グループ#Aに含まれるREの数の値は、符号資源#Aの長さの値と同じである。
【０２６４】
送信装置#Aが端末装置であるとき、送信装置#Aがアクセスするネットワーク装置が、参照信号#Aによって使用される符号資源#Aおよびマッピング関係#Aに基づいて、時間‐周波数資源グループ#Aを決定し、時間‐周波数資源グループ#Aの指示情報を送信装置#Aに送ってもよい。
【０２６５】
あるいはまた、本発明のこの実施形態において、参照信号の一つの型は、一つまたは複数の時間‐周波数資源グループに対応していてもよく、本発明のこの実施形態において、ネットワーク装置が、それぞれの型の参照信号に対応する時間‐周波数資源グループを示すために使われるマッピング関係情報#B（これは、第二のマッピング関係情報と称されてもよい）を記憶してもよい。
【０２６６】
したがって、送信装置#Aがネットワーク装置であるときは、送信装置#Aは、参照信号#Aの型およびマッピング関係#Bに基づいて、参照信号#Aの型に対応する時間‐周波数資源グループ#Aを決定してもよい。
【０２６７】
送信装置#Aが端末装置であるときは、送信装置#Aがアクセスするネットワーク装置が、参照信号#Aの型およびマッピング関係#Bに基づいて、時間‐周波数資源グループ#Aを決定して、時間‐周波数資源グループ#Aの指示情報を送信装置#Aに送ってもよい。
【０２６８】
同様に、参照信号#Aの受信装置（理解の容易のため下記では受信装置#Aとしてマークされる）がネットワーク装置であるときは、受信装置#Aは、参照信号#Aによって使われる符号資源#Aおよびマッピング関係#Aに基づいて、時間‐周波数資源グループ#Aを決定してもよい。
【０２６９】
受信装置#Aが端末装置であるときは、受信装置#Aがアクセスするネットワーク装置が、参照信号#Aによって使われる符号資源#Aおよびマッピング関係#Aに基づいて、時間‐周波数資源グループ#Aを決定して、時間‐周波数資源グループ#Aの指示情報を受信装置#Aに送ってもよい。
【０２７０】
したがって、代替的に、受信装置#Aがネットワーク装置であるときは、受信装置#Aは、参照信号#Aの型およびマッピング関係#Bに基づいて、時間‐周波数資源グループ#Aを決定してもよい。
【０２７１】
受信装置#Aが端末装置であるときは、受信装置#Aがアクセスするネットワーク装置が、参照信号#Aの型およびマッピング関係#Bに基づいて、時間‐周波数資源グループ#Aを決定して、時間‐周波数資源グループ#Aの指示情報を受信装置#Aに送ってもよい。
【０２７２】
さらに、本発明のこの実施形態において、参照信号#Bを担持するために使われるβ個の時間‐周波数資源グループ（つまり、第二の時間‐周波数資源グループの例。理解および区別の容易のために下記では時間‐周波数資源グループ#Bとしてマークされる）を決定する仕方は、時間‐周波数資源グループ#Aを決定する仕方と同様であってもよい。反復を避けるために、詳細な記述はここでは割愛する。β≧1であり、β個の時間‐周波数資源グループ#Bに対応する時間‐周波数資源は時間‐周波数資源＃１である。さらに、各時間‐周波数資源グループ#Bに含まれるREの数の値は、符号資源#Bの長さの値と同じである。
【０２７３】
本発明のこの実施形態において、諸システム時間‐周波数資源における各時間‐周波数資源グループの位置は、システムまたは通信プロトコルによって規定されていてもよい。この場合、送信装置および受信装置は直接、選択された時間‐周波数資源グループの時間‐周波数位置を決定しうる。
【０２７４】
あるいはまた、本発明のこの実施形態において、諸システム時間‐周波数資源における、参照信号を伝送するために使われる時間‐周波数資源グループの位置が、ネットワーク装置によって決定されて端末装置に指示されてもよい。
【０２７５】
限定ではなく例として、ネットワーク装置は、次の情報のうちの少なくとも一つを端末装置に指示してもよい。それにより、端末装置は、諸システム時間‐周波数資源における時間‐周波数資源グループの位置を決定する：
時間‐周波数資源グループの時間領域の周期；
時間‐周波数資源グループの時間領域のオフセット（たとえば、ネットワーク装置および端末装置によって受け取り確認された基準時点に対するオフセット）；
時間‐周波数資源グループの時間領域の継続時間；
時間‐周波数資源グループの周波数領域の周期；
時間‐周波数資源グループの周波数領域のオフセット（たとえば、ネットワーク装置および端末装置によって受け取り確認された基準周波数に対するオフセット）；
時間‐周波数資源グループの周波数領域の範囲。
【０２７６】
この場合、ネットワーク装置は端末装置に、諸システム時間‐周波数資源における時間‐周波数資源グループの決定された位置を示すために使われる指示情報を送る必要があるので、この場合、システム時間‐周波数資源の数が比較的多く、かつ、時間‐周波数資源グループの数が比較的多い場合、指示情報の情報量が比較的大きくなる。
【０２７７】
よって、本発明のこの実施形態において、システム時間‐周波数資源は、通信システムまたは通信プロトコルの規定に基づいて、複数の時間‐周波数資源集合に分割されてもよく、一つの時間‐周波数資源グループは一つまたは複数の時間‐周波数資源集合に位置していてもよい。
【０２７８】
本発明のこの実施形態において、第一の時間‐周波数資源集合が前記複数の時間‐周波数資源集合に属していてもよく、一つまたは複数の第一の時間‐周波数資源集合があってもよい。本発明のこの実施形態においてこれは特に限定されない。
【０２７９】
送信装置および受信装置は、まず、決定された時間‐周波数資源グループが位置している時間‐周波数資源集合を決定し、次いで、時間‐周波数資源集合から時間‐周波数資源グループを決定してもよい。それにより、指示情報の情報量が削減される。
【０２８０】
下記は、時間領域における時間‐周波数資源の構成を記述する。
【０２８１】
たとえば、本発明のこの実施形態において、時間領域における時間‐周波数資源集合の位置が固定されていてもよい。
【０２８２】
あるいはまた、図８に示されるように、時間‐周波数資源集合は、規定された継続時間の時間領域周期をもって、時間領域で繰り返し生起してもよい。換言すれば、本発明のこの実施形態では、諸システム時間‐周波数資源において時間‐周波数資源集合が現われる周期は、前記時間領域周期を含んでいてもよい。
【０２８３】
一つの時間領域周期内に時間‐周波数資源集合が現われる範囲は、たとえば図９における態様１において示されるように、時間領域周期全体をカバーしてもよい。
【０２８４】
あるいはまた、一つの時間領域周期内に時間‐周波数資源集合が現われる範囲は、たとえば図９における態様２において示されるように、周期の一部をカバーしてもよい。
【０２８５】
下記は、周波数領域における時間‐周波数資源の構成を記述する。
【０２８６】
たとえば、本発明のこの実施形態において、周波数領域における時間‐周波数資源集合の位置が固定されていてもよい。
【０２８７】
あるいはまた、時間‐周波数資源集合は、規定された周波数領域幅の周波数領域周期をもって、周波数領域で繰り返し生起してもよい。換言すれば、本発明のこの実施形態では、諸システム時間‐周波数資源において時間‐周波数資源集合が現われる周期は、前記周波数領域周期を含んでいてもよい。
【０２８８】
時間‐周波数資源集合を構成する上記で挙げた仕方は単に記述のための例であり、本発明のこの実施形態はそれに限定されないことを理解しておくべきである。たとえば、時間‐周波数資源集合は、規定された周波数領域幅の周波数領域周期をもって周波数領域において繰り返し現われてもよく、時間‐周波数資源集合は、規定された継続時間の時間領域周期をもって時間領域において繰り返し現われてもよい。換言すれば、本発明のこの実施形態において、諸システム時間‐周波数資源において時間‐周波数資源集合が現われる周期は、周波数領域周期および時間領域周期の両方を含んでいてもよい。
【０２８９】
本発明のこの実施形態において、システム時間‐周波数資源は、通信システムまたは通信プロトコルの規定に基づいて、複数の資源ブロック（Resource  Block、RB）に分割されてもよい。
【０２９０】
本発明のこの実施形態において、一つの時間‐周波数資源集合は一つまたは複数のRBを含んでいてもよい。
【０２９１】
この場合、たとえば、図１０に示されるように、諸システム時間‐周波数資源において時間‐周波数資源集合が現われる周期は、時間領域の周期であってもよく、一つの時間領域周期は、時間領域で一次元的に配列されるP個のRBを含んでいてもよく、一つの時間‐周波数資源集合は、前記P個のRBにおける規定された時間領域位置において、一つまたは複数のRBを含んでいてもよい。P≧2である。
【０２９２】
もう一つの例として、図１１に示されるように、諸システム時間‐周波数資源において時間‐周波数資源集合が現われる周期は、周波数領域の周期であってもよく、一つの周波数領域周期は、周波数領域で一次元的に配列されるQ個のRBを含んでいてもよく、一つの時間‐周波数資源集合は、前記Q個のRBにおける規定された周波数領域位置において、一つまたは複数のRBを含んでいてもよい。Q≧2である。
【０２９３】
さらにもう一つの例として、図１２に示されるように、本発明のこの実施形態において、諸システム時間‐周波数資源において時間‐周波数資源集合が現われる周期は、周波数領域の周期および時間領域の周期の両方を含んでいてもよい。具体的には、それぞれの出現周期は、W個の二次元的に配列されたRBを含み、一つの時間‐周波数資源集合は、前記W個のRBにおける規定された周波数領域位置において、一つまたは複数のRBを含んでいてもよい。W≧3である。
【０２９４】
時間‐周波数資源集合を構成する上記で挙げた仕方は単に記述のための例であり、本発明のこの実施形態はそれに限定されないことを理解しておくべきである。複数のシステム時間‐周波数資源における時間‐周波数資源（たとえばRE）の間の区別をするために使用できる他の分割態様が、本発明の実施形態の保護範囲内にはいる。
【０２９５】
たとえば、図１３に示されるように、一つの時間‐周波数資源集合は、時間領域において一つのシンボルを含み、周波数領域において12個のサブキャリアを含んでいてもよい。
【０２９６】
もう一つの例として、図１４および図１５に示されるように、一つの時間‐周波数資源集合は、時間領域において四つのシンボルを含み、周波数領域において12個のサブキャリアを含んでいてもよい。
【０２９７】
さらにもう一つの例として、図１６ないし図２０に示されるように、一つの時間‐周波数資源集合は、時間領域において14個のシンボルを含み、周波数領域において12個のサブキャリアを含んでいてもよい。
【０２９８】
図１３ないし図２０における時間‐周波数資源集合を構成する上記で挙げた仕方は単に記述のための例であり、本発明のこの実施形態はそれに限定されないことを理解しておくべきである。一つの時間‐周波数資源集合に含まれる時間領域資源の数および／または周波数領域資源の数は、必要に応じてランダムに修正されてもよい。たとえば、一つの時間‐周波数資源集合は、時間領域において7個のシンボルを含んでいてもよい。
【０２９９】
下記は、時間‐周波数資源集合において時間‐周波数資源グループを構成する仕方を記述する。
【０３００】
時間領域。
【０３０１】
たとえば、図１３に示されるように、本発明のこの実施形態において、一つの時間‐周波数資源グループは、その時間‐周波数資源グループが位置している時間‐周波数資源集合における、時間領域におけるすべての時間周期（たとえばすべてのシンボル）を含んでいてもよい。
【０３０２】
あるいはまた、図１４ないし図２０に示されるように、一つの時間‐周波数資源グループは、その時間‐周波数資源グループが位置している時間‐周波数資源集合における、いくつかの時間周期（たとえばいくつかのシンボル）を含んでいてもよい。
【０３０３】
周波数領域。
【０３０４】
たとえば、本発明のこの実施形態において、一つの時間‐周波数資源グループは、その時間‐周波数資源グループが位置している時間‐周波数資源集合における、時間領域におけるすべての周波数帯域（たとえばすべてのサブキャリア）を含んでいてもよい。
【０３０５】
あるいはまた、図１４ないし図２０に示されるように、一つの時間‐周波数資源グループは、その時間‐周波数資源グループが位置している時間‐周波数資源集合における、いくつかの周波数帯域（たとえばいくつかのサブキャリア）を含んでいてもよい。
【０３０６】
下記は、参照信号を担持するために使われる、時間‐周波数資源集合および時間‐周波数資源グループに基づく、時間‐周波数資源を指示する仕方を記述する。
【０３０７】
時間‐周波数資源集合を決定する仕方をまず記述する。
【０３０８】
たとえば、本発明のこの実施形態において、諸システム時間‐周波数資源における複数の時間‐周波数資源集合のそれぞれの位置が固定されていてもよい（たとえば通信システムまたは通信プロトコルによって規定されている）。この場合、ネットワーク装置は、時間‐周波数資源集合の指示情報（つまり、第一の指示情報の例）を端末装置に送る必要はない。
【０３０９】
もう一つの例として、本発明のこの実施形態において、諸システム時間‐周波数資源における複数の時間‐周波数資源集合のそれぞれの位置が動的に変化してもよい。この場合、ネットワーク装置は、諸システム時間‐周波数資源における各時間‐周波数資源集合の位置を示すために使われる指示情報（つまり、第一の指示情報のもう一つの例）を端末装置に送ってもよい。
【０３１０】
さらにもう一つの例として、本発明のこの実施形態において、諸システム時間‐周波数資源における複数の時間‐周波数資源集合におけるいくつかの時間‐周波数資源集合（理解および区別の容易のため下記では動的な時間‐周波数資源集合としてマークされる）の位置が動的に変化してもよく、諸システム時間‐周波数資源における前記複数の時間‐周波数資源集合における他の時間‐周波数資源集合（理解および区別の容易のため、下記では固定の時間‐周波数資源集合としてマークされる）の位置が固定されていてもよい。この場合、ネットワーク装置は、諸システム時間‐周波数資源における各動的な時間‐周波数資源集合の位置を示すために使われる指示情報（つまり、第一の指示情報のもう一つの例）を端末装置に送ってもよい。
【０３１１】
本発明のこの実施形態において、諸システム時間‐周波数資源における各時間‐周波数資源にアドレスが割り当てられてもよく、第一の指示情報は、一つまたは複数の時間‐周波数資源集合に対応する時間‐周波数資源のアドレスの指示情報であってもよい。
【０３１２】
あるいはまた、本発明のこの実施形態において、諸システム時間‐周波数資源における一つまたは複数の時間‐周波数資源（これは、理解および記述の容易のために下記では初期の時間‐周波数資源としてマークされる）の位置（たとえばアドレス）がネットワーク装置および端末装置によってネゴシエーションを通じて決定されてもよく、あるいは通信プロトコルによって規定されてもよい。この場合、第一の指示情報は、前記一つまたは複数の時間‐周波数資源集合のサイズ（たとえば含まれているRBまたはREの数）および前記初期の時間‐周波数資源に対するオフセットの指示情報であってもよい。
【０３１３】
上記のように、通信システムまたは通信プロトコルの規定および／または第一の指示情報に基づいて、ネットワーク装置および端末装置は、ネゴシエーションを通じて、参照信号（たとえば第一の参照信号）を伝送するために使われる時間‐周波数資源グループ（つまり、第一の時間‐周波数資源グループの例）が位置している時間‐周波数資源集合（つまり、第一の時間‐周波数資源集合の例）を決定してもよい。
【０３１４】
本発明のこの実施形態において、一つまたは複数の第一の時間‐周波数資源集合の位置が固定されていてもよいことを注意しておくべきである。この場合、第一の指示情報の指示は必要とされない。
【０３１５】
あるいはまた、本発明のこの実施形態において、一つまたは複数の第一の時間‐周波数資源集合の位置が動的に変化してもよい。この場合、前記一つまたは複数の第一の時間‐周波数資源集合のすべてが、第一の指示情報を使うことによって指示される必要がある。
【０３１６】
あるいはまた、本発明のこの実施形態において、複数の第一の時間‐周波数資源集合のうちいくつかのものの位置が固定されていてもよく、他の第一の時間‐周波数資源集合の位置が動的に変化してもよい。この場合、前記複数の第一の時間‐周波数資源集合における、その位置が動的に変化する第一の時間‐周波数資源集合が、第一の指示情報を使って指示される必要がある。
【０３１７】
時間‐周波数資源集合を指示する上記で挙げた仕方は単に記述のための例であり、本発明のこの実施形態はそれに限定されないことを理解しておくべきである。たとえば、第一の指示情報はさらに、下記の属性のうちの少なくとも一つを示してもよい：
時間‐周波数資源集合の時間領域の周期；
時間‐周波数資源集合の時間領域のオフセット（たとえば、ネットワーク装置および端末装置によって受け取り確認された基準時点に対するオフセット）；
時間‐周波数資源集合の時間領域の継続時間；
時間‐周波数資源集合の周波数領域の周期；
時間‐周波数資源集合の周波数領域のオフセット（たとえば、ネットワーク装置および端末装置によって受け取り確認された基準周波数に対するオフセット）；
時間領域資源集合の周波数領域の範囲。
【０３１８】
下記は、時間‐周波数資源グループを決定する仕方を記述する。
【０３１９】
たとえば、本発明のこの実施形態において、時間‐周波数資源グループが位置している時間‐周波数資源集合における該時間‐周波数資源グループの位置が固定されていてもよい（たとえば通信システムまたは通信プロトコルによって規定されている）。この場合、ネットワーク装置は、時間‐周波数資源集合の指示情報（つまり、第二の指示情報の例）を端末装置に送る必要はない。
【０３２０】
もう一つの例として、本発明のこの実施形態において、時間‐周波数資源グループの時間‐周波数資源集合における該時間‐周波数資源グループの位置が動的に変化してもよい。この場合、ネットワーク装置は、時間‐周波数資源グループの時間‐周波数資源集合における該時間‐周波数資源グループの位置を示すために使われる指示情報（つまり、第二の指示情報のもう一つの例）を端末装置に送ってもよい。
【０３２１】
さらにもう一つの例として、本発明のこの実施形態において、時間‐周波数資源グループが位置している時間‐周波数資源集合における該時間‐周波数資源グループ内のいくつかの時間‐周波数資源（理解および区別の容易のために下記では動的な時間‐周波数資源としてマークされる）が動的に変化してもよく、該時間‐周波数資源グループが位置している時間‐周波数資源集合における該時間‐周波数資源グループ内の他の時間‐周波数資源（理解および区別の容易のために下記では固定の時間‐周波数資源としてマークされる）が固定されていてもよい。この場合、ネットワーク装置は、該時間‐周波数資源グループが位置している時間‐周波数資源集合におけるそれぞれの動的な時間‐周波数資源の位置を示すために使われる指示情報（つまり、第二の指示情報のもう一つの例）を端末装置に送ってもよい。
【０３２２】
本発明のこの実施形態において、時間‐周波数資源集合における各時間‐周波数資源にアドレスが割り当てられてもよく、第二の指示情報は、時間‐周波数資源グループ（これは特定的には該時間‐周波数資源グループ内の動的な時間‐周波数資源である）のアドレスの指示情報であってもよい。
【０３２３】
あるいはまた、本発明のこの実施形態において、時間‐周波数資源集合における一つまたは複数の時間‐周波数資源（理解および記述の容易のために下記では初期の時間‐周波数資源としてマークされる）の位置（たとえばアドレス）が、ネットワーク装置および端末装置によってネゴシエーションを通じて決定されてもよく、あるいは通信プロトコルによって規定されてもよい。この場合、第二の指示情報は、時間‐周波数資源グループ（特定的には該時間‐周波数資源グループ内の動的な時間‐周波数資源）のサイズ（たとえば含まれているREの数）および前記初期の時間‐周波数資源に対するオフセットの指示情報であってもよい。
【０３２４】
上記のように、通信システムまたは通信プロトコルの規定および／または第二の指示情報に基づいて、ネットワーク装置および端末装置は、ネゴシエーションを通じて、参照信号を伝送するために使われる時間‐周波数資源グループの、時間‐周波数資源グループが位置している時間‐周波数資源集合における、位置を決定してもよい。
【０３２５】
任意的に、第一の指示情報は、物理層制御チャネル上で担持される；または
第一の指示情報は、媒体アクセス制御層制御要素上で担持される；または
第一の指示情報は、無線資源制御層制御信号上で担持される。
【０３２６】
任意的に、第二の指示情報は、物理層制御チャネル上で担持される；または
第二の指示情報は、媒体アクセス制御層制御要素上で担持される；または
第二の指示情報は、無線資源制御層制御信号上で担持される。
【０３２７】
さらに、本発明のこの実施形態において、指示情報（たとえば第一の指示情報または第二の指示情報）は、特定の端末装置に向けられてもよく、あるいは端末装置のグループに向けられてもよい。
【０３２８】
さらに、指示情報（たとえば第一の指示情報または第二の指示情報）は、当該ネットワーク装置によってサービスされる、接続されたモードにあるすべての端末装置に向けられてもよく、あるいは当該ネットワーク装置にキャンプオンする（camp  on）、非接続モードにある端末装置に向けられてもよく、あるいは当該ネットワーク装置のシステム情報を読む（たとえば復調し、デコードする）ことができる（および／または「許容されている」）すべての端末装置に向けられてもよい。
【０３２９】
特定の端末装置に向けられた指示情報は、UE固有物理層制御信号伝達、たとえばセル無線ネットワーク一時識別子（Cell  Radio  Network  Temporary  Identifier、C-RNTI）を使ってスクランブルされる信号伝達であってもよく、あるいは特定の端末装置に向けられた指示情報は、MAC層コマンド、UE固有RRC信号伝達または他のUE固有の、より上位層の信号伝達であってもよい。
【０３３０】
端末装置のグループに向けられた指示情報は、UEグループ固有物理層制御信号伝達、たとえばUEグループ固有の無線ネットワーク一時識別子（Radio  Network  Temporary  Identifier、RNTI）を使ってスクランブルされる信号伝達であってもよく、あるいは端末装置のグループに向けられた指示情報は、MAC層コマンド、UEグループ固有RRC信号伝達または他のUEグループ固有の、より上位層の信号伝達であってもよい。
【０３３１】
当該ネットワーク装置によってサービスされる、接続されたモードにあるすべての端末装置に向けられた情報は、ブロードキャスト・チャネルおよびマルチキャスト・チャネルを使って、マスター情報ブロック（Master  information  block、MIB）内に、あるいは接続状態にある端末装置が読むことのできる副次情報ブロック（System  information  block、SIB）内に置かれてもよく、あるいはRRC層の共通情報要素（Common  information  element、common  IE）内に置かれてもよい。
【０３３２】
当該ネットワーク装置にキャンプオンする、非接続モードにある端末装置に向けられた指示情報は、MIB内に、および非接続状態にある端末装置が読むことができるSIBおよびMIB内に置かれてもよい。
【０３３３】
よって、S220において、受信装置#Aは、参照信号#Aを伝送するために使われる（あるいは参照信号#Aおよび参照信号#Bを伝送するために使われる）時間‐周波数資源グループ#A（または時間‐周波数資源＃１、つまり、第一の時間‐周波数資源グループの例）を決定してもよい。
【０３３４】
その後、送信装置#Aは、参照信号#Aを、符号資源#Aに基づいて時間‐周波数資源グループ#Aに多重化してもよく、参照信号#Aを受信装置＃Aに送ってもよい。対応して、受信装置#Aは、時間‐周波数資源グループ#A上に担持される参照信号（参照信号＃Aおよび参照信号#Bを含む）を受信して、時間‐周波数資源グループ#A上に担持される参照信号から参照信号#Aを決定して、参照信号#Aの伝送プロセスを実装してもよい。
【０３３５】
本発明のこの実施形態において、参照信号#Bの伝送プロセスは参照信号#Aの伝送プロセスと同様であってもよい。反復を避けるために、詳細な記述はここでは割愛される。
【０３３６】
参照信号を伝送するために使われる時間‐周波数資源の源が上記では「システム時間‐周波数資源」に言及して記述されていることを注意しておくべきである。本発明のこの実施形態において、「システム時間‐周波数資源」は、通信システム（たとえば通信システム１００）または通信プロトコルによって規定されている、該通信システムにおいて一つまたは複数のネットワーク装置と端末装置の間で無線通信が実行されるときに使われる時間‐周波数資源であってもよい。
【０３３７】
本発明のこの実施形態において、システム時間‐周波数資源は、承認された時間‐周波数資源であってもよく、あるいは承認不要の時間‐周波数資源であってもよい。あるいはまた、本発明のこの実施形態において、送信装置および受信装置は、承認不要伝送方式に基づくシステム時間‐周波数資源を使ってもよく、あるいは承認方式に基づいてシステム時間‐周波数資源を使ってもよい。これは、本発明のこの実施形態において特に限定されない。
【０３３８】
承認不要の時間‐周波数資源は、システムによって割り当てられる必要がなく、通信装置によって共有されることができる、ライセンス不要の時間‐周波数領域資源である。ライセンス不要の周波数帯域上での資源共有は、特定の周波数スペクトルが使用されるときに、その周波数帯域を合同で使う複数の装置が基本的な共存要件を満たすことを保証するよう、送信電力または帯域外漏洩といった指標に対する制限のみが規定されることを意味する。事業者は、ライセンス不要の周波数帯域資源を使ってネットワーク容量オフロードを実装してもよいが、異なる地域およびライセンス不要の周波数帯域資源上の異なる周波数スペクトルの規制要件に従う必要がある。これらの要件は、通例、レーダーのような一般的なシステムを保護するとともに、複数のシステムがうまく共存するよう互いにできるだけ有害な効果を及ぼさないことを保証するために制定され、送信電力制限、帯域外漏洩指標、屋内および屋外使用制限、いくつかの地域におけるいくつかの追加的な共存ポリシーなどを含む。たとえば、通信装置は、競合式または傾聴式、たとえばリッスンビフォアトーク（LBT、Listen  Before  Talk）のよって規定される仕方で、時間‐周波数資源を使うことができる。
【０３３９】
将来のネットワークにおける大量のMTC型サービスを解決するとともに、短い遅延および高い信頼性のサービス伝送を満たすために、本願は承認不要の伝送方式を提供する。承認不要の伝送は英語では、Grant  Freeと表現されうる。本願での承認不要の伝送は、上りリンク・データ伝送のためであってもよい。承認不要の伝送は、次の意味のうちの任意の一つまたは複数、あるいは複数の意味におけるいくつかの技術的特徴の組み合わせ、あるいは他の同様の意味として理解されうる。
【０３４０】
承認不要の伝送は次のようなものであってもよい：ネットワーク装置が複数の伝送資源を事前割り当てし、端末装置に該複数の伝送資源を通知する。端末装置が上りリンク・データを送信する必要があるとき、端末装置は、ネットワーク装置によって事前割り当てされた前記複数の伝送資源から少なくとも一つの伝送資源を選択し、選択された伝送資源を使って、上りリンク・データを送る。ネットワーク装置は、前記複数の事前割り当てされた伝送資源のうちの一つまたは複数において、端末装置によって送られた上りリンク・データを検出する。検出は、ブラインド検出であってもよく、あるいは上りリンク・データにおける特定の制御ドメインに基づいて実行される検出であってもよく、あるいは別の仕方で実行される検出であってもよい。
【０３４１】
承認不要の伝送は次のようなものであってもよい：ネットワーク装置が複数の伝送資源を事前割り当てし、端末装置に該複数の伝送資源を通知する。それにより、端末装置が上りリンク・データを送信する必要があるとき、端末装置は、ネットワーク装置によって事前割り当てされた前記複数の伝送資源から少なくとも一つの伝送資源を選択し、選択された伝送資源を使って、上りリンク・データを送る。
【０３４２】
承認不要の伝送は次のようなものであってもよい：事前割り当てされた複数の伝送資源についての情報が取得され、上りリンク・データが伝送される必要があるとき、前記複数の伝送資源から少なくとも一つの伝送資源が選択され、選択された伝送資源を使って、上りリンク・データが送られる。前記情報はネットワーク装置から得られてもよい。
【０３４３】
承認不要の伝送は、ネットワーク装置によって実行される動的なスケジューリングなしに端末装置の上りリンク・データを送信するための方法であってもよい。動的なスケジューリングは、端末装置のそれぞれの上りリンク・データ送信について、ネットワーク装置が、信号伝達を使って、伝送資源を端末装置に示すスケジューリング様式であってもよい。任意的に、端末装置の上りリンク・データの伝送は、次のように理解されてもよい：少なくとも二つの端末装置のデータが、上りリンク・データ伝送を実装するために同じ時間‐周波数資源上で伝送されることを許容される。任意的に、伝送資源は、UEが信号伝達を受信した時点後の一つまたは複数の伝送時間単位の伝送資源であってもよい。一つの伝送時間単位は、一つの伝送のための最小の時間単位、たとえば伝送時間区間（英語全称はTransmission  Time  Interval、英語略称はTTI）であってもよく、値は1msであってもよい。あるいはまた、一つの伝送時間単位は事前設定された伝送時間単位であってもよい。
【０３４４】
承認不要の伝送は次のようなものであってもよい：端末装置が、ネットワーク装置の承認なしに上りリンク・データを送信する。前記承認は、端末装置がネットワーク装置に上りリンク・スケジューリング要求を送り、該スケジューリング要求を受信後、ネットワーク装置が上りリンク承認を端末装置に送ることを意味しうる。上りリンク承認は、端末装置に割り当てられた上りリンク伝送資源を示す。
【０３４５】
承認不要の伝送は、競合送信方式であってもよく、具体的には、複数の端末が上りリンク・データを同じ事前割り当てされた時間‐周波数資源上で同時に、基地局の承認なしに送信することを意味しうる。
【０３４６】
データは、サービス・データまたは信号伝達データでありうる。
【０３４７】
ブラインド検出は、次のように理解されてもよい：データが到着するかどうか予測されていないときに到着しうるデータが検出される。ブラインド検出は、明示的な信号伝達指示なしの検出として理解されてもよい。
【０３４８】
伝送資源は、次の資源のうちの一つまたは複数の組み合わせを含みうるが、それに限られない：
α：無線フレーム、サブフレームまたはシンボルのような時間領域資源；
β：サブキャリアまたは資源ブロックのような周波数領域資源；
γ：送信アンテナまたはビームのような空間領域資源；
θ：疎符号多重アクセスのような符号資源（英語全称はSparse  Code  Multiple  Access、英語略称はSCMA）コードブック、低密度シグネチャー（英語全称はLow  Density  Signature、英語略称はLDS）シーケンスまたはCDMA符号；および
δ：上りリンク・パイロット資源。
【０３４９】
伝送資源は、次の制御機構を含むがそれに限られない制御機構に基づいて伝送されてもよい：
ａ：上りリンク送信電力上限制御のような上りリンク電力制御；
ｂ：トランスポート・ブロック・サイズ、符号化率または変調次数のような変調および符号化方式設定；
ｃ：HARQ機構のような再送信機構。
【０３５０】
競合伝送単位（英語全称はContention  Transmission  Unitであってもよく、英語略称はCTUであってもよい）は、承認不要な伝送のための基本的な伝送資源であってもよい。CTUは、時間、周波数および符号ドメインを組み合わせた伝送資源であってもよく、あるいは時間、周波数およびパイロットを組み合わせた伝送であってもよく、あるいは時間、周波数、符号ドメインおよびパイロットを組み合わせた伝送資源であってもよい。
【０３５１】
CTUが属するアクセス領域は、CTUに対応する時間‐周波数領域であってもよい。
【０３５２】
「上りリンクの承認不要の伝送方式のためのシステムおよび方法」と題する特許出願第PCT/CN2014/073084号は、上りリンクの承認不要の伝送のための技術的解決策を提供する。出願第PCT/CN2014/073084号に記載されているように、無線資源はさまざまなCTUに分割され、割り当てられる符号のグループは、CDMA符号のグループであってもよく、あるいはSCMAコードブック・セット、LDSシーケンス・グループ、シグネチャー（signature）・グループなどであってもよい。各符号はパイロットの一つのグループに対応してもよい。ユーザーは、上りリンク伝送を実行するために、符号の一つのピースと、符号に対応するパイロット・グループ内の一つのパイロットとを選択してもよい。出願第PCT/CN2014/073084号の内容が参照によって本発明の実施形態の内容の一部として理解されてもよく、詳細はここでは述べない。
【０３５３】
源ネットワーク装置のカバー範囲にはいるとき、端末装置は、そのネットワーク装置によって送られる、より上位層の信号伝達を受信しうる。より上位層の信号伝達はCTUアクセス領域定義（CTU  access  region  definition）、CTUの総数、デフォルト・マッピング規則などを担持していてもよい。あるいはまた、端末装置は、デフォルト・マッピング規則を事前構成してもよい。端末装置は、CTU上で承認不要の伝送を実行するよう適切なCTUを決定してもよい。異なる端末装置が同じCTU上で承認不要の伝送を実行するとき、換言すれば同じCTUを求めて競合するとき、コンフリクトが生じうる。端末装置は、ネットワーク装置の指示に基づいて、コンフリクトがあるかどうかを判定してもよい。たとえば、コンフリクトによって引き起こされる問題は、非同期HARQ方法を使って解決されてもよい。しかしながら、コンフリクトの数が事前設定された閾値を超える場合、ネットワーク装置は、CTU再マッピングを実行するよう要求されることがある。ネットワーク装置は、端末装置に、再マッピングが実行されるCTUについての情報を送り、それにより、端末装置は、承認不要の伝送を、再マッピングが実行されるCTU上で実行する。
【０３５４】
この場合、本発明のこの実施形態において、一つの時間‐周波数資源集合は一つまたは複数のCTUを含んでいてもよい。
【０３５５】
限定ではなく例として、本発明のこの実施形態では、承認不要のスペクトル資源は、5GHzの近傍における約900MHzの周波数帯および2.4GHzの近傍における約90MHzの周波数帯域を含んでいてもよい。
【０３５６】
さらに、本発明のこの実施形態において、端末装置およびネットワーク装置はさらに、承認されたスペクトル資源を使って無線通信を実行してもよい。換言すれば、本発明のこの実施形態における通信システム１００は、承認された周波数帯域を使うことのできる通信システムである。
【０３５７】
承認された時間‐周波数資源は、通例、国または地方の無線委員会が認可を承認した後にのみ使用されることができる時間‐周波数資源であり、LTEシステムおよびWi-Fiシステムのような異なるシステムまたは異なる事業者に含まれるシステムは、承認された時間‐周波数資源を共有することができない。
【０３５８】
さらに、本発明の実施形態のいくつかでは、ネットワーク装置は、一つまたは複数の承認不要のセル（承認不要のキャリアとも称されうる）および一つまたは複数の承認されるセル（承認されるキャリアとも称されうる）を提供することができる。
【０３５９】
本発明のこの実施形態において参照信号を伝送するために使われる時間‐周波数資源を示すプロセスは、上記ではネットワーク装置および端末装置を参照して記述されていることを理解しておくべきである。本発明のこの実施形態における送信装置はネットワーク装置であってもよく、その場合、送信装置は、指示プロセスにおけるネットワーク装置のアクションを実行しうる。あるいはまた、本発明のこの実施形態における送信装置は端末装置であってもよく、その場合、送信装置は、指示プロセスにおける端末装置のアクションを実行しうる。同様に、本発明のこの実施形態における受信装置はネットワーク装置であってもよく、その場合、受信装置は、指示プロセスにおけるネットワーク装置のアクションを実行しうる。あるいはまた、本発明のこの実施形態における送信装置は端末装置であってもよく、その場合、受信装置は、指示プロセスにおける端末装置のアクションを実行しうる。
【０３６０】
図２１は、本発明のある実施形態に基づく参照信号送信装置３００の概略的なブロック図である。参照信号送信装置３００は、方法２００において記述された第一の送信装置（たとえば送信装置#A）に対応していてもよく、参照信号送信装置３００におけるモジュールまたはユニットは、方法２００において送信装置によって実行されるアクションまたは処理プロセスを実行するよう別個に構成される。反復を避けるため、詳細な記述はここでは割愛する。
【０３６１】
本発明のこの実施形態において、装置３００は、プロセッサおよびトランシーバを含んでいてもよく、プロセッサはトランシーバに接続される。任意的に、本装置はさらにメモリを含み、該メモリはプロセッサに接続される。さらに任意的に、本装置はバス・システムを含む。プロセッサ、メモリおよびトランシーバは、バス・システムを使って接続されうる。メモリは、命令を記憶するよう構成されてもよく、プロセッサはメモリに記憶された命令を実行して情報または信号を送るようトランシーバを制御するよう構成される。
【０３６２】
図２１に示した装置４００における決定ユニットは、上記プロセッサに対応していてもよく、図２１に示した装置３００におけるトランシーバ・ユニットは、上記トランシーバに対応していてもよい。
【０３６３】
図２２は、本発明のある実施形態に基づく参照信号受信装置４００の概略的なブロック図である。参照信号受信装置４００は、方法２００において記述された第一の受信装置（たとえば受信装置#A）に対応していてもよく、参照信号受信装置４００におけるモジュールまたはユニットは、方法２００において受信装置によって実行されるアクションまたは処理プロセスを実行するよう別個に構成される。反復を避けるため、詳細な記述はここでは割愛する。
【０３６４】
本発明のこの実施形態において、装置４００は、プロセッサおよびトランシーバを含んでいてもよく、プロセッサはトランシーバに接続される。任意的に、本装置はさらにメモリを含み、該メモリはプロセッサに接続される。さらに任意的に、本装置はバス・システムを含む。プロセッサ、メモリおよびトランシーバは、バス・システムを使って接続されうる。メモリは、命令を記憶するよう構成されてもよく、プロセッサはメモリに記憶された命令を実行して情報または信号を送るようトランシーバを制御するよう構成される。
【０３６５】
図２２に示した装置４００における決定ユニットは、上記プロセッサに対応していてもよく、図２２に示した装置４００におけるトランシーバ・ユニットは、上記トランシーバに対応していてもよい。
【０３６６】
本発明の実施形態における上記の方法実施形態はプロセッサに適用されてもよく、あるいはプロセッサによって実装されてもよいことを注意しておくべきである。プロセッサは、集積回路チップであってもよく、信号処理機能をもつ。ある実装プロセスでは、上記の方法実施形態における段階は、プロセッサ内のハードウェア集積論理回路を使って、あるいはソフトウェアの形の命令を使って実装されうる。プロセッサは、汎用プロセッサ、デジタル信号プロセッサ（Digital  Signal  Processor、DSP）、特定用途向け集積回路（Application  Specific  Integrated  Circuit、ASIC）、フィールドプログラマブルゲートアレイ（Field  Programmable  Gate  Array、FPGA）または他のプログラム可能な論理デバイス、離散的なゲートまたはトランジスタ論理デバイスまたは離散的なハードウェアコンポーネントでありうる。本発明の実施形態において開示されている方法、段階および論理ブロック図を、プロセッサが実装または実行しうる。汎用プロセッサはマイクロプロセッサであってもよく、プロセッサは任意の通常のプロセッサなどであってもよい。本発明の実施形態を参照して開示されている方法の段階は、ハードウェア・デコーディング・プロセッサによって直接、実行され、完了されてもよく、あるいはデコーディング・プロセッサにおけるハードウェアおよびソフトウェアの組み合わせを使って実行され、完了されてもよい。ソフトウェア・モジュールは当技術分野における成熟した記憶媒体、たとえばランダムアクセスメモリ、フラッシュメモリ、読み出し専用メモリ、プログラム可能型読み出し専用メモリまたは電気的に消去可能なプログラム可能型メモリまたはレジスタに位置されていてもよい。記憶媒体はメモリに位置されており、プロセッサはメモリ内の情報を読み、プロセッサのハードウェアとの組み合わせで上記方法における段階を完了する。
【０３６７】
本発明の実施形態におけるメモリは、揮発性メモリまたは不揮発性メモリであってもよく、あるいは揮発メモリおよび不揮発性メモリを含んでいてもよい。不揮発性メモリは、読み出し専用メモリ（Read-Only  Memory、ROM）、プログラム可能型読み出し専用メモリ（Programmable  ROM、PROM）、消去可能なプログラム可能型読み出し専用メモリ（Erasable  PROM、EPROM）、電気的に消去可能なプログラム可能型読み出し専用メモリ（Electrically  EPROM、EEPROM）またはフラッシュメモリでありうる。揮発性メモリは、外部キャッシュとして使われるランダムアクセスメモリ（Random  Access  Memory、RAM）であってもよい。限定ではなく例として、RAMの多くの形が利用されうる。たとえば、静的ランダムアクセスメモリ（Static  RAM、SRAM）、動的ランダムアクセスメモリ（Dynamic  RAM、DRAM）、同期動的ランダムアクセスメモリ（Synchronous  DRAM,  SDRAM）、倍速同期動的ランダムアクセスメモリ（Double  Data  Rate  SDRAM、DDR  SDRAM）、向上同期動的ランダムアクセスメモリ（Enhanced  SDRAM、ESDRAM）、同期リンク動的ランダムアクセスメモリ（Synchlink  DRAM、SLDRAM）および直接ランバス・ランダムアクセスメモリ（Direct  Rambus  RAM、DR  RAM）である。本明細書に記載されるシステムおよび方法のメモリは、これらのメモリおよび他の適切な型の任意のメモリを含むが、それに限られないことを注意しておくべきである。
【０３６８】
本明細書における用語「および／または」は、関連するオブジェクトを記述するための関連関係を述べるだけであり、三つの関係が存在しうることを表わすことを理解しておくべきである。たとえば、Aおよび／またはBは、次の三つの場合を表わしうる：Aのみが存在する、AおよびBの両方が存在する、Bのみが存在する。加えて、本明細書における記号「／」は、一般に、関連するオブジェクトの間の「または」の関係を示す。
【０３６９】
上記の諸プロセスのシーケンス番号は本発明のさまざまな実施形態の実行シーケンスを意味するものではないことを理解しておくべきである。プロセスの実行シーケンスは、プロセスの機能および内部論理に基づいて決定されるべきであり、前記シーケンスは、本発明の実施形態の実装プロセスに対するいかなる限定としても解釈されるべきではない。
る。
【０３７０】
当業者は、本明細書において開示される実施形態を参照して記述される例におけるユニットおよびアルゴリズム段階は、電子的ハードウェア、あるいはコンピュータ・ソフトウェアおよび電子的ハードウェアの組み合わせによって実装されてもよいことを認識しうる。機能がハードウェアによって実行されるかソフトウェアによって実行されるかは、技術的解決策の具体的な用途および設計制約条件に依存する。当業者は、それぞれの特定の用途のために、記載される機能を実装するために異なる方法を使ってもよいが、かかる実装が本発明の実施形態の範囲を超えると考えられるべきではない。
【０３７１】
当業者は、簡潔な記述のために、上記のシステム、装置およびユニットの詳細な作動プロセスについては、上記の方法実施形態における対応するプロセスが参照されうることを明瞭に理解しうる。詳細をここで再び述べることはしない。
【０３７２】
本願で提供されるいくつかの実施形態では、開示されるシステム、装置および方法が他の仕方で実装されうることが理解されるべきである。たとえば、記載される装置実施形態は単に例である。たとえば、ユニット分割は単に論理的な機能分割であり、実際の実装では他の分割であってもよい。たとえば、複数のユニットまたはコンポーネントが組み合わされ、あるいは別のシステムに統合されてもよいし、あるいはいくつかの特徴が無視されたり、あるいは実行されなかったりしてもよい。さらに、表示されるまたは論じられる相互結合または直接結合または通信接続は、いくつかのインターフェースによって実装されてもよい。装置またはユニットの間の間接的な結合または通信接続は、電気的、機械的または他の形で実装されうる。
【０３７３】
別個の部分として記載されるユニットは、物理的に別個であってもなくてもよい。ユニットとして表示される部分は物理的なユニットであってもなくてもよく、一つの位置に位置していてもよく、あるいは複数のネットワーク・ユニット上に分散されていてもよい。それらのユニットの一部または全部は、実施形態の解決策の目的を達成するために実際の必要性に依存して選択されうる。
【０３７４】
さらに、本発明の実施形態における機能ユニットは、一つの処理ユニットに統合されてもよく、あるいは各ユニットが物理的に単体で存在していてもよく、あるいは二つ以上のユニットが一つのユニットに統合されてもよい。
【０３７５】
機能がソフトウェア機能ユニットの形で実装され、独立したプロダクトとして販売または使用されるときは、それらの機能はコンピュータ可読記憶媒体において記憶されてもよい。そのような理解に基づいて、本発明の実施形態の技術的解決策、あるいは従来技術に貢献する部分または技術的解決策の一部は、ソフトウェア・プロダクトの形で実装されてもよい。コンピュータ・ソフトウェア・プロダクトは記憶媒体に記憶され、本発明の実施形態において記載された方法の段階の全部または一部を実行するようコンピュータ装置（これはパーソナル・コンピュータ、サーバー、ネットワーク装置などでありうる）に命令するためのいくつかの命令を含む。上記の記憶媒体は、プログラム・コードを記憶することのできる任意の媒体、たとえばUSBフラッシュドライブ、リムーバブルハードディスク、読み出し専用メモリ（Read-Only  Memory、ROM）、ランダムアクセスメモリ（Random  Access  Memory、RAM）、磁気ディスクまたは光ディスクを含む。
【０３７６】
上記の記述は単に本発明の実施形態の具体的実装であり、本発明の実施形態の保護範囲を限定することは意図されていない。本発明において開示されている技術的範囲内で当業者によって容易に割り出されるいかなる変形または置換も、本発明の実施形態の保護範囲内にはいる。したがって、本発明の実施形態の保護範囲は、請求項の保護範囲に従う。
【図１】
2019533331.tif 000003
【図２】
2019533331.tif 000004
【図３】
2019533331.tif 000005
【図４】
2019533331.tif 000006
【図５】
2019533331.tif 000007
【図６】
2019533331.tif 000008
【図７】
2019533331.tif 000009
【図８】
2019533331.tif 000010
【図９】
2019533331.tif 000011
【図１０】
2019533331.tif 000012
【図１１】
2019533331.tif 000013
【図１２】
2019533331.tif 000014
【図１３】
2019533331.tif 000015
【図１４】
2019533331.tif 000016
【図１５】
2019533331.tif 000017
【図１６】
2019533331.tif 000018
【図１７】
2019533331.tif 000019
【図１８】
2019533331.tif 000020
【図１９】
2019533331.tif 000021
【図２０】
2019533331.tif 000022
【図２１】
2019533331.tif 000023
【図２２】
2019533331.tif 000024
【手続補正書】
【提出日】平成31年2月14日(2019.2.14)
【手続補正１】
【補正対象書類名】特許請求の範囲
【補正対象項目名】全文
【補正方法】変更
【補正の内容】
【特許請求の範囲】
【請求項１】
参照信号送信方法であって：
第一の送信装置によって、第一の参照信号および第一の符号資源を決定する段階であって、前記第一の符号資源は第二の符号資源と直交であり、前記第二の符号資源は第二の参照信号を送信するために使われ、前記第一の参照信号は第一の型の参照信号であり、前記第二の参照信号は第二の型の参照信号であり、前記第一の型は前記第二の型とは異なる、段階と；
前記第一の送信装置によって、前記第一の符号資源を使って前記第一の参照信号を送信する段階であって、前記第一の参照信号は少なくとも一つの第一の時間‐周波数資源グループ上に担持され、前記少なくとも一つの第一の時間‐周波数資源グループのそれぞれによって占有される資源要素（RE）の数の値は、前記第一の符号資源の長さの値と同じであり、前記第一の参照信号および前記第二の参照信号は、前記第一の符号資源および前記第二の符号資源に基づいて、前記少なくとも一つの第一の時間‐周波数資源グループによって占有される時間‐周波数資源上で多重化される、段階とを含む、
参照信号送信方法。
【請求項２】
前記第二の参照信号は少なくとも一つの第二の時間‐周波数資源グループ上に担持され、前記少なくとも一つの第二の時間‐周波数資源グループのそれぞれによって占有されるREの数の値は、前記第二の符号資源の長さの値と同じであり、前記少なくとも一つの第二の時間‐周波数資源グループのそれぞれによって占有されるREの数は前記少なくとも一つの第一の時間‐周波数資源グループのそれぞれによって占有されるREの数と同じであるまたは異なり、前記少なくとも一つの第二の時間‐周波数資源グループおよび前記少なくとも一つの第一の時間‐周波数資源グループは同じ時間‐周波数資源を占有する、請求項１記載の参照信号送信方法。
【請求項３】
前記少なくとも一つの第一の時間‐周波数資源グループのそれぞれは4N個のREを占有し、前記少なくとも一つの第二の時間‐周波数資源グループのそれぞれは4M個のREを占有し、Nは1以上の整数であり、Mは1以上の整数である、請求項２記載の参照信号送信方法。
【請求項４】
前記少なくとも一つの第一の時間‐周波数資源グループのそれぞれは2N個のREを占有し、前記少なくとも一つの第二の時間‐周波数資源グループのそれぞれは2M個のREを占有し、Nは1以上の整数であり、Mは1以上の整数である、請求項２記載の参照信号送信方法。
【請求項５】
参照信号受信方法であって：
第一の受信装置によって、第一の符号資源を決定する段階であって、前記第一の符号資源は第二の符号資源と直交であり、前記第一の符号資源は第一の参照信号を伝送するために使われ、前記第二の符号資源は第二の参照信号を伝送するために使われ、前記第一の参照信号は第一の型の参照信号であり、前記第二の参照信号は第二の型の参照信号であり、前記第一の型は前記第二の型とは異なる、段階と；
前記第一の受信装置によって、前記第一の符号資源を使って前記第一の参照信号を受信する段階であって、前記第一の参照信号は少なくとも一つの第一の時間‐周波数資源グループ上に担持され、前記少なくとも一つの第一の時間‐周波数資源グループのそれぞれによって占有される資源要素（RE）の数の値は、前記第一の符号資源の長さの値と同じであり、前記第一の参照信号および前記第二の参照信号は、前記第一の符号資源および前記第二の符号資源に基づいて、前記少なくとも一つの第一の時間‐周波数資源グループによって占有される時間‐周波数資源上で多重化される、段階とを含む、
参照信号受信方法。
【請求項６】
参照信号送信装置であって：
第一の参照信号および第一の符号資源を決定するよう構成された決定ユニットであって、前記第一の符号資源は第二の符号資源と直交であり、前記第二の符号資源は第二の参照信号を送信するために使われ、前記第一の参照信号は第一の型の参照信号であり、前記第二の参照信号は第二の型の参照信号であり、前記第一の型は前記第二の型とは異なる、決定ユニットと；
前記第一の符号資源を使って前記第一の参照信号を送信するよう構成されたトランシーバ・ユニットであって、前記第一の参照信号は少なくとも一つの第一の時間‐周波数資源グループ上に担持され、前記少なくとも一つの第一の時間‐周波数資源グループのそれぞれによって占有される資源要素（RE）の数の値は、前記第一の符号資源の長さの値と同じであり、前記第一の参照信号および前記第二の参照信号は、前記第一の符号資源および前記第二の符号資源に基づいて、前記少なくとも一つの第一の時間‐周波数資源グループによって占有される時間‐周波数資源上で多重化される、トランシーバ・ユニットとを有する、
参照信号送信装置。
【請求項７】
前記第二の参照信号は少なくとも一つの第二の時間‐周波数資源グループ上に担持され、前記少なくとも一つの第二の時間‐周波数資源グループのそれぞれによって占有されるREの数の値は、前記第二の符号資源の長さの値と同じであり、前記少なくとも一つの第二の時間‐周波数資源グループのそれぞれによって占有されるREの数は前記少なくとも一つの第一の時間‐周波数資源グループのそれぞれによって占有されるREの数と同じであるまたは異なり、前記少なくとも一つの第二の時間‐周波数資源グループおよび前記少なくとも一つの第一の時間‐周波数資源グループは同じ時間‐周波数資源を占有する、請求項６記載の参照信号送信装置。
【請求項８】
前記少なくとも一つの第一の時間‐周波数資源グループのそれぞれは4N個のREを占有し、前記少なくとも一つの第二の時間‐周波数資源グループのそれぞれは4M個のREを占有し、Nは1以上の整数であり、Mは1以上の整数である、請求項７記載の参照信号送信装置。
【請求項９】
前記少なくとも一つの第一の時間‐周波数資源グループのそれぞれは2N個のREを占有し、前記少なくとも一つの第二の時間‐周波数資源グループのそれぞれは2M個のREを占有し、Nは1以上の整数であり、Mは1以上の整数である、請求項７記載の参照信号送信装置。
【請求項１０】
参照信号受信装置であって：
第一の符号資源を決定するよう構成された決定ユニットであって、前記第一の符号資源は第二の符号資源と直交であり、前記第一の符号資源は第一の参照信号を伝送するために使われ、前記第二の符号資源は第二の参照信号を伝送するために使われ、前記第一の参照信号は第一の型の参照信号であり、前記第二の参照信号は第二の型の参照信号であり、前記第一の型は前記第二の型とは異なる、決定ユニットと；
前記第一の符号資源を使って前記第一の参照信号を受信するよう構成されたトランシーバ・ユニットであって、前記第一の参照信号は少なくとも一つの第一の時間‐周波数資源グループ上に担持され、前記少なくとも一つの第一の時間‐周波数資源グループのそれぞれによって占有される資源要素（RE）の数の値は、前記第一の符号資源の長さの値と同じであり、前記第一の参照信号および前記第二の参照信号は、前記第一の符号資源および前記第二の符号資源に基づいて、前記少なくとも一つの第一の時間‐周波数資源グループによって占有される時間‐周波数資源上で多重化される、トランシーバ・ユニットとを有する、
参照信号受信装置。
【請求項１１】
前記第二の参照信号は少なくとも一つの第二の時間‐周波数資源グループ上に担持され、前記少なくとも一つの第二の時間‐周波数資源グループのそれぞれによって占有されるREの数の値は、前記第二の符号資源の長さの値と同じであり、前記少なくとも一つの第二の時間‐周波数資源グループのそれぞれによって占有されるREの数は前記少なくとも一つの第一の時間‐周波数資源グループのそれぞれによって占有されるREの数と同じであるまたは異なり、前記少なくとも一つの第二の時間‐周波数資源グループおよび前記少なくとも一つの第一の時間‐周波数資源グループは同じ時間‐周波数資源を占有する、
請求項１０記載の参照信号受信装置。
【請求項１２】
前記少なくとも一つの第一の時間‐周波数資源グループのそれぞれは4N個のREを占有し、前記少なくとも一つの第二の時間‐周波数資源グループのそれぞれは4M個のREを占有し、Nは1以上の整数であり、Mは1以上の整数である、請求項１１記載の参照信号受信装置。
【請求項１３】
前記少なくとも一つの第一の時間‐周波数資源グループのそれぞれは2N個のREを占有し、前記少なくとも一つの第二の時間‐周波数資源グループのそれぞれは2M個のREを占有し、Nは1以上の整数であり、Mは1以上の整数である、請求項１１記載の参照信号受信装置。
【請求項１４】
通信デバイスであって：
コンピュータ・プログラムを記憶するよう構成されたメモリと；
当該通信デバイスが請求項１ないし５のうちいずれか一項記載の方法を実行するよう、前記メモリに記憶された前記コンピュータ・プログラムを実行するよう構成されたプロセッサとを有する、通信デバイス。
【請求項１５】
コンピュータに請求項１ないし５のうちいずれか一項記載の方法を実行させるためのコンピュータ・プログラム。
【手続補正２】
【補正対象書類名】明細書
【補正対象項目名】全文
【補正方法】変更
【補正の内容】
【発明の詳細な説明】
【技術分野】
【０００１】
関連出願への相互参照
本願は2016年8月12日に中国特許庁に出願された、「参照信号送信方法および参照信号送信装置」と題する中国特許出願第201610666616.1号の優先権を主張するものである。同出願の内容はここに参照によってその全体において組み込まれる。
【０００２】
技術分野
本発明の実施形態は、通信分野に、より詳細には参照信号送信方法および参照信号送信装置に関する。
【背景技術】
【０００３】
通信技術の発達とともに、参照信号（RS）またはパイロット信号が広く適用される。
【０００４】
機能または対応するチャネルの観点からは、参照信号は複数の異なる型に分類されうる。現在のところ、異なる型の参照信号は異なる時間‐周波数パターンを使う。具体的には、異なる型の参照信号を担持する時間‐周波数資源はシステム時間‐周波数資源の異なる位置にある、あるいは異なる型の周波数資源は異なる時間‐周波数資源を使って送信される必要がある。よって、システム時間‐周波数資源のオーバーヘッドは比較的高い。
【発明の概要】
【０００５】
本発明の実施形態は、時間‐周波数資源オーバーヘッドを軽減する参照信号送信方法、参照信号受信方法、参照信号送信装置および参照信号受信装置を提供する。
【０００６】
第一の側面によれば、参照信号送信方法であって：第一の送信装置によって、第一の参照信号および第一の符号資源を決定する段階であって、前記第一の符号資源は第二の符号資源と直交であり、前記第二の符号資源は第二の参照信号を送信するために使われ、前記第一の参照信号は第一の型の参照信号であり、前記第二の参照信号は第二の型の参照信号であり、前記第一の型は前記第二の型とは異なる、段階と；前記第一の送信装置によって、前記第一の符号資源を使って前記第一の参照信号を送信する段階であって、前記第一の参照信号は少なくとも一つの第一の時間‐周波数資源グループ上に担持され、前記少なくとも一つの第一の時間‐周波数資源グループのそれぞれによって占有される資源要素（RE）の数の値は、前記第一の符号資源の長さの値と同じであり、前記第一の参照信号および前記第二の参照信号は、前記第一の符号資源および前記第二の符号資源に基づいて、前記少なくとも一つの第一の時間‐周波数資源グループによって占有される時間‐周波数資源上で多重化される、段階とを含む、方法が提供される。
【０００７】
したがって、異なる信号型をもつ前記第一の参照信号および前記第二の参照信号が同じ時間‐周波数資源上に多重化されることができる。
【０００８】
第一の側面を参照するに、第一の側面の第一の可能な実装では、前記第二の参照信号は少なくとも一つの第二の時間‐周波数資源グループ上に担持され、前記少なくとも一つの第二の時間‐周波数資源グループのそれぞれによって占有されるREの数の値は、前記第二の符号資源の長さの値と同じであり、前記少なくとも一つの第二の時間‐周波数資源グループのそれぞれによって占有されるREの数は前記少なくとも一つの第一の時間‐周波数資源グループのそれぞれによって占有されるREの数と同じであるまたは異なり、前記少なくとも一つの第二の時間‐周波数資源グループおよび前記少なくとも一つの第一の時間‐周波数資源グループは同じ時間‐周波数資源を占有する。
【０００９】
具体的には、異なる信号型をもつ（または異なる符号資源を使う）前記第一の参照信号および前記第二の参照信号は、異なる時間‐周波数資源グループに対応し、よって、参照信号を担持するために使われる時間‐周波数資源グループは、異なる信号型（または異なる使用される符号資源）をもつ前記第一の参照信号および前記第二の参照信号に基づいて決定されることができ、それにより、時間‐周波数資源割り当てを容易にし、通信効率を改善する。
【００１０】
第一の側面および上記の実装を参照するに、第一の側面の第二の実装では、前記少なくとも一つの第一の時間‐周波数資源グループのそれぞれは4N個のREを占有し、前記少なくとも一つの第二の時間‐周波数資源グループのそれぞれは4M個のREを占有し、Nは1以上の整数であり、Mは1以上の整数である。
【００１１】
時間‐周波数資源グループに含まれるREの数は4の整数倍であり、よって、その時間‐周波数資源グループ上に多重化される参照信号の数が増やされることができ、それにより資源利用を改善する。
【００１２】
第一の側面および上記の実装を参照するに、第一の側面の第三の実装では、前記第一の型の参照信号の機能は前記第二の型の参照信号の機能とは異なり、前記第一の型の参照信号の機能および前記第二の型の参照信号の機能は次の機能：自動利得制御AGC調節、時間‐周波数同期、位相補償、物理データ・チャネル復調、物理制御チャネル復調、チャネル状態情報測定、ビーム状態情報測定、ビーム洗練情報測定、無線資源管理RRM測定または測位測定のうちの二つである；または、前記第一の型の参照信号および前記第二の型の参照信号の上りリンク／下りリンク方向が異なる。
【００１３】
よって、送信装置は、複数の参照信号が同じ時間‐周波数資源上に多重化できるかどうかを容易に決定することができる。
【００１４】
第一の側面および上記の実装を参照するに、第一の側面の第四の実装では、前記第一の送信装置によって、前記第一の符号資源を使って前記第一の参照信号を送信する前記段階は：前記第一の送信装置によって、前記第一の符号資源を使って前記第一の参照信号を第一の受信装置に送信することを含み、前記第二の参照信号は第二の受信装置に送られる。
【００１５】
よって、異なる受信装置に送られる必要のある参照信号は同じ時間‐周波数資源上に多重化されることができる。
【００１６】
第一の側面および上記の実装を参照するに、第一の側面の第五の実装では、当該参照信号送信方法はさらに：前記第一の送信装置によって、前記第二の符号資源を使って前記第二の参照信号を前記第二の受信装置に送信する段階を含み、前記第一の送信装置はネットワーク装置であり、前記第一の受信装置は端末装置であり、前記第二の受信装置はネットワーク装置である。
【００１７】
第一の側面および上記の実装を参照するに、第一の側面の第六の実装では、前記第二の参照信号は第二の送信装置によって送られる。
【００１８】
よって、異なる送信装置からの参照信号が同じ時間‐周波数資源上に多重化されることができる。
【００１９】
第一の側面および上記の実装を参照するに、第一の側面の第七の実装では、前記第一の送信装置によって、前記第一の符号資源を使って前記第一の参照信号を送信する前記段階は：前記第一の送信装置によって、前記第一の符号資源を使って前記第一の参照信号を第一の受信装置に送信することを含み、前記第二の参照信号は前記第二の受信装置に送られ、前記第一の送信装置は端末装置であり、前記第一の受信装置はネットワーク装置であり、前記第二の送信装置はネットワーク装置であり、前記第二の受信装置は端末装置である。
【００２０】
第一の側面および上記の実装を参照するに、第一の側面の第八の実装では、前記少なくとも一つの時間‐周波数資源グループは第一の時間‐周波数資源集合に属し、前記第二の参照信号は前記少なくとも一つの第二の時間‐周波数資源グループ上に担持され、前記少なくとも一つの第二の時間‐周波数資源グループは前記第一の時間‐周波数資源集合に属する。
【００２１】
時間‐周波数資源集合が構成され、送信装置および受信装置は、該時間‐周波数資源集合から、参照信号を担持するために使われる時間‐周波数資源を決定し、それにより資源割り当て効率が改善されることができる。
【００２２】
第一の側面および上記の実装を参照するに、第一の側面の第九の実装では、諸システム時間‐周波数資源における前記第一の時間‐周波数資源集合の位置は、事前設定された固定位置である。
【００２３】
第一の側面および上記の実装を参照するに、第一の側面の第十の実装では、前記第一の送信装置がネットワーク装置であるとき、前記第一の送信装置によって、前記第一の符号資源を使って前記第一の参照信号を送信する前記段階の前に、当該参照信号送信方法はさらに：前記第一の送信装置によって、第一の指示情報を送る段階を含み、前記第一の指示情報は、前記第一の時間‐周波数資源集合を示すために使われる。
【００２４】
第一の側面および上記の実装を参照するに、第一の側面の第十一の実装では、前記第一の送信装置によって、前記第一の符号資源を使って前記第一の参照信号を送信する前記段階の前に、当該参照信号送信方法はさらに：前記第一の送信装置によって、第二の指示情報を送る段階を含み、前記第二の指示情報は、前記第一の時間‐周波数資源集合における前記少なくとも一つの第一の時間‐周波数資源グループのいくつかまたは全部を示すために使われる。
【００２５】
第一の側面および上記の実装を参照するに、第一の側面の第十二の実装では、前記第一の送信装置が端末装置であるとき、前記第一の送信装置によって、前記第一の符号資源を使って前記第一の参照信号を送信する前記段階の前に、当該参照信号送信方法はさらに：前記第一の送信装置によって、第一の指示情報を受信する段階であって、前記第一の指示情報は、前記第一の時間‐周波数資源集合を示すために使われる、段階と；前記第一の送信装置によって、前記第一の指示情報に基づいて、前記第一の時間‐周波数資源集合を決定する段階とを含む。
【００２６】
第一の側面および上記の実装を参照するに、第一の側面の第十三の実装では、前記第一の送信装置によって、前記第一の符号資源を使って前記第一の参照信号を送信する前記段階の前に、当該参照信号送信方法はさらに：前記第一の送信装置によって、第二の指示情報を受信する段階であって、前記第二の指示情報は、前記第一の時間‐周波数資源集合における前記少なくとも一つの第一の時間‐周波数資源グループのいくつかまたは全部を示すために使われる、段階と；前記第一の送信装置によって、前記第二の指示情報に基づいて、前記少なくとも一つの第一の時間‐周波数資源グループを決定する段階とを含む。
【００２７】
第二の側面によれば、参照信号受信方法であって：第一の受信装置によって、第一の符号資源を決定する段階であって、前記第一の符号資源は第二の符号資源と直交であり、前記第一の符号資源は第一の参照信号を送信するために使われ、前記第二の符号資源は第二の参照信号を送信するために使われ、前記第一の参照信号は第一の型の参照信号であり、前記第二の参照信号は第二の型の参照信号であり、前記第一の型は前記第二の型とは異なる、段階と；前記第一の受信装置によって、前記第一の符号資源を使って前記第一の参照信号を受信する段階であって、前記第一の参照信号は少なくとも一つの第一の時間‐周波数資源グループ上に担持され、前記少なくとも一つの第一の時間‐周波数資源グループのそれぞれによって占有される資源要素（RE）の数の値は、前記第一の符号資源の長さの値と同じであり、前記第一の参照信号および前記第二の参照信号は、前記第一の符号資源および前記第二の符号資源に基づいて、前記少なくとも一つの第一の時間‐周波数資源グループによって占有される時間‐周波数資源上で多重化される、段階とを含む、方法が提供される。
【００２８】
第二の側面を参照するに、第二の側面の第一の可能な実装では、前記第二の参照信号は少なくとも一つの第二の時間‐周波数資源グループ上に担持され、前記少なくとも一つの第二の時間‐周波数資源グループのそれぞれによって占有されるREの数の値は、前記第二の符号資源の長さの値と同じであり、前記少なくとも一つの第二の時間‐周波数資源グループのそれぞれによって占有されるREの数は前記少なくとも一つの第一の時間‐周波数資源グループのそれぞれによって占有されるREの数と同じであるまたは異なり、前記少なくとも一つの第二の時間‐周波数資源グループおよび前記少なくとも一つの第一の時間‐周波数資源グループは同じ時間‐周波数資源を占有する。
【００２９】
第二の側面および上記の実装を参照するに、第二の側面の第二の実装では、前記少なくとも一つの第一の時間‐周波数資源グループのそれぞれは4N個のREを占有し、前記少なくとも一つの第二の時間‐周波数資源グループのそれぞれは4M個のREを占有し、Nは1以上の整数であり、Mは1以上の整数である。
【００３０】
第二の側面および上記の実装を参照するに、第二の側面の第三の実装では、前記第一の型の参照信号の機能は前記第二の型の参照信号の機能とは異なり、前記第一の型の参照信号の機能および前記第二の型の参照信号の機能は次の機能：自動利得制御AGC調節、時間‐周波数同期、位相補償、物理データ・チャネル復調、物理制御チャネル復調、チャネル状態情報測定、ビーム状態情報測定、ビーム洗練情報測定、無線資源管理RRM測定または測位測定のうちの二つである；または、前記第一の型の参照信号および前記第二の型の参照信号の上りリンク／下りリンク方向が異なる。
【００３１】
第二の側面および上記の実装を参照するに、第二の側面の第四の実装では、前記第二の参照信号は第二の受信装置に送られる。
【００３２】
第二の側面および上記の実装を参照するに、第二の側面の第五の実装では、前記第一の参照信号および前記第二の参照信号は第一の送信装置によって送られ、前記第一の送信装置はネットワーク装置であり、前記第一の受信装置は端末装置であり、前記第二の受信装置はネットワーク装置である。
【００３３】
第二の側面および上記の実装を参照するに、第二の側面の第六の実装では、前記第一の参照信号は前記第一の送信装置によって送られ、前記第二の参照信号は第二の送信装置によって送られる。
【００３４】
第二の側面および上記の実装を参照するに、第二の側面の第七の実装では、前記第二の参照信号は前記第二の受信装置に送られ、前記第一の送信装置は端末装置であり、前記第一の受信装置はネットワーク装置であり、前記第二の送信装置はネットワーク装置であり、前記第二の受信装置は端末装置である。
【００３５】
第二の側面および上記の実装を参照するに、第二の側面の第八の実装では、前記少なくとも一つの時間‐周波数資源グループは第一の時間‐周波数資源集合に属し、前記第二の参照信号は前記少なくとも一つの第二の時間‐周波数資源グループ上に担持され、前記少なくとも一つの第二の時間‐周波数資源グループは前記第一の時間‐周波数資源集合に属する。
【００３６】
第二の側面および上記の実装を参照するに、第二の側面の第九の実装では、諸システム時間‐周波数資源における前記第一の時間‐周波数資源集合の位置は、事前設定された固定位置である。
【００３７】
第二の側面および上記の実装を参照するに、第二の側面の第十の実装では、前記第一の受信装置がネットワーク装置であるとき、前記第一の受信装置によって、前記第一の符号資源を使って前記第一の参照信号を受信する前記段階の前に、当該参照信号受信方法はさらに：前記第一の受信装置によって、第一の指示情報を送る段階を含み、前記第一の指示情報は、前記第一の時間‐周波数資源集合を示すために使われる。
【００３８】
第二の側面および上記の実装を参照するに、第二の側面の第十一の実装では、前記第一の受信装置によって、前記第一の符号資源を使って前記第一の参照信号を受信する前記段階の前に、当該参照信号受信方法はさらに：前記第一の受信装置によって、第二の指示情報を送る段階を含み、前記第二の指示情報は、前記第一の時間‐周波数資源集合における前記少なくとも一つの第一の時間‐周波数資源グループのいくつかまたは全部を示すために使われる。
【００３９】
第二の側面および上記の実装を参照するに、第二の側面の第十二の実装では、前記第一の受信装置が端末装置であるとき、前記第一の受信装置によって、前記第一の符号資源を使って前記第一の参照信号を受信する前記段階の前に、当該参照信号受信方法はさらに：前記第一の受信装置によって、第一の指示情報を受信する段階であって、前記第一の指示情報は、前記第一の時間‐周波数資源集合を示すために使われる、段階と；前記第一の受信装置によって、前記第一の指示情報に基づいて、前記第一の時間‐周波数資源集合を決定する段階とを含む。
【００４０】
第二の側面および上記の実装を参照するに、第二の側面の第十三の実装では、前記第一の受信装置によって、前記第一の符号資源を使って前記第一の参照信号を受信する前記段階の前に、当該参照信号受信方法はさらに：前記第一の受信装置によって、第二の指示情報を受信する段階であって、前記第二の指示情報は、前記第一の時間‐周波数資源集合における前記少なくとも一つの第一の時間‐周波数資源グループのいくつかまたは全部を示すために使われる、段階と；前記第一の受信装置によって、前記第二の指示情報に基づいて、前記少なくとも一つの第一の時間‐周波数資源グループを決定する段階とを含む。
【００４１】
第三の側面によれば、第一の側面および第一の側面の諸実装の参照信号送信方法のステップを実行するよう構成されたユニットを含む参照信号送信装置が提供される。
【００４２】
第四の側面によれば、第二の側面および第二の側面の諸実装の参照信号受信方法のステップを実行するよう構成されたユニットを含む参照信号受信装置が提供される。
【００４３】
第五の側面によれば、メモリおよびプロセッサを含む参照信号送信デバイスが提供される。前記メモリは、コンピュータ・プログラムを記憶するよう構成されており、前記プロセッサは：前記メモリから前記コンピュータ・プログラムを呼び出し、前記コンピュータ・プログラムを実行するよう構成されており、それにより前記参照信号送信デバイスは第一の側面および第一の側面の諸実装の参照信号送信方法を実行する。
【００４４】
第六の側面によれば、メモリおよびプロセッサを含む参照信号受信デバイスが提供される。前記メモリは、コンピュータ・プログラムを記憶するよう構成されており、前記プロセッサは：前記メモリから前記コンピュータ・プログラムを呼び出し、前記コンピュータ・プログラムを実行するよう構成されており、それにより前記参照信号受信デバイスは第二の側面および第二の側面の諸実装の参照信号受信方法を実行する。
【００４５】
第七の側面によれば、コンピュータ・プログラム・プロダクトが提供される。前記コンピュータ・プログラム・プロダクトは、コンピュータ・プログラム・コードを含み、処理ユニットおよび送信ユニットによってまたは送信デバイスのプロセッサおよび送信器によって実行されるときに、前記コンピュータ・プログラム・コードは、前記送信デバイスに、第一の側面および第一の側面の諸実装の参照信号送信方法を実行させる。
【００４６】
第八の側面によれば、コンピュータ・プログラム・プロダクトが提供される。前記コンピュータ・プログラム・プロダクトは、コンピュータ・プログラム・コードを含み、受信ユニットおよび処理ユニットによってまたは受信デバイスの受信器およびプロセッサによって実行されるときに、前記コンピュータ・プログラム・コードは、前記受信デバイスに、第二の側面および第二の側面の諸実装の参照信号受信方法を実行させる。
【００４７】
第九の側面によれば、コンピュータ可読記憶媒体が提供される。前記コンピュータ可読記憶媒体はプログラムを記憶しており、前記プログラムは、送信デバイスが第一の側面および第一の側面の諸実装の参照信号送信方法を実行できるようにする。
【００４８】
第十の側面によれば、コンピュータ可読記憶媒体が提供される。前記コンピュータ可読記憶媒体はプログラムを記憶しており、前記プログラムは、受信デバイスが第二の側面および第二の側面の諸実装の参照信号受信方法を実行できるようにする。
【００４９】
本発明の参照信号送信方法および装置によれば、異なる型である第一の参照信号および第二の参照信号が同じ時間‐周波数資源上に伝送のために多重化され、それにより時間‐周波数資源オーバーヘッドが軽減できる。
【図面の簡単な説明】
【００５０】
【図１】本発明のある実施形態に基づく通信システムの概略的な構成図である。
【００５１】
【図２】本発明のある実施形態に基づく参照信号送信様式の例の概略図である。
【００５２】
【図３】本発明のある実施形態に基づく参照信号受信および送信方法の概略的な対話図である。
【００５３】
【図４】本発明のある実施形態に基づく時間‐周波数資源グループの例の概略図である。
【００５４】
【図５】本発明のある実施形態に基づく時間‐周波数資源グループのもう一つの例の概略図である。
【００５５】
【図６】本発明のある実施形態に基づく時間‐周波数資源グループのさらにもう一つの例の概略図である。
【００５６】
【図７】本発明のある実施形態に基づく時間‐周波数資源グループのさらにもう一つの例の概略図である。
【００５７】
【図８】本発明のある実施形態に基づく時間‐周波数資源集合の例の概略図である。
【００５８】
【図９】本発明のある実施形態に基づく時間‐周波数資源集合のもう一つの例の概略図である。
【００５９】
【図１０】本発明のある実施形態に基づく時間‐周波数資源集合のさらにもう一つの例の概略図である。
【００６０】
【図１１】本発明のある実施形態に基づく時間‐周波数資源集合のさらにもう一つの例の概略図である。
【００６１】
【図１２】本発明のある実施形態に基づく時間‐周波数資源集合のさらにもう一つの例の概略図である。
【００６２】
【図１３】本発明のある実施形態に基づく時間‐周波数資源集合のさらにもう一つの例の概略図である。
【００６３】
【図１４】本発明のある実施形態に基づく時間‐周波数資源集合のさらにもう一つの例の概略図である。
【００６４】
【図１５】本発明のある実施形態に基づく時間‐周波数資源集合のさらにもう一つの例の概略図である。
【００６５】
【図１６】本発明のある実施形態に基づく時間‐周波数資源集合のさらにもう一つの例の概略図である。
【００６６】
【図１７】本発明のある実施形態に基づく時間‐周波数資源集合のさらにもう一つの例の概略図である。
【００６７】
【図１８】本発明のある実施形態に基づく時間‐周波数資源集合のさらにもう一つの例の概略図である。
【００６８】
【図１９】本発明のある実施形態に基づく時間‐周波数資源集合のさらにもう一つの例の概略図である。
【００６９】
【図２０】本発明のある実施形態に基づく時間‐周波数資源集合のさらにもう一つの例の概略図である。
【００７０】
【図２１】本発明のある実施形態に基づく参照信号送信装置の概略的なブロック図である。
【００７１】
【図２２】本発明のある実施形態に基づく参照信号受信装置の概略的なブロック図である。
【発明を実施するための形態】
【００７２】
下記は、付属の図面を参照して本願の技術的解決策を記述する。
【００７３】
本明細書において使われる「コンポーネント」、「モジュール」および「システム」のような用語は、コンピュータに関係したエンティティーを示すために使われる。該エンティティーは、ハードウェア、ファームウェア、ハードウェアとソフトウェアの組み合わせ、ソフトウェアまたは実行中のソフトウェアでありうる。たとえば、コンポーネントは、プロセッサ上で実行中のプロセス、プロセッサ、オブジェクト、実行可能ファイル、実行のスレッド、プログラムおよび／またはコンピュータであってもよいが、それに限られない。図面に示されるように、コンピューティング装置およびコンピューティング装置上で走るアプリケーションの両方がコンポーネントでありうる。一つまたは複数のコンポーネントがプロセスおよび／または実行スレッド内に存在してもよく、あるコンポーネントは、一つのコンピュータ上に位置されていても、および／または二つ以上のコンピュータの間で分散されていてもよい。さらに、これらのコンポーネントは、さまざまなデータ構造を記憶するさまざまなコンピュータ可読媒体から実行されてもよい。たとえば、これらのコンポーネントは、ローカルおよび／またはリモート・プロセスを使って、一つまたは複数のデータ・パケット（たとえば、信号を使って別のシステムと対話する、ローカル・システム、分散システムおよび／またはネットワーク、たとえばインターネットにおける別のコンポーネントと対話する二つのコンポーネントからのデータ）をもつ信号に基づいて、通信してもよい。
【００７４】
本発明の実施形態の解決策は、既存のセルラー通信システム、たとえばグローバル移動通信システム（GSM）、ワイドバンド符号分割多重アクセス（WCDMA）システムまたはロングタームエボリューション（LTE）システムに適用されてもよく、サポートされる通信は主として音声およびデータ通信である。通例、一つの従来型の基地局によってサポートされる接続の数は限られており、実装するのが容易である。
【００７５】
次世代通信システムは、従来の通信のみならず、マシン型通信（MTC）とも称されるマシン間（M2M）通信をもサポートする。予測されるところでは、ネットワークに接続されるMTC装置の数は2020年までには500億ないし1000億に達し、既存の接続数をはるかに超えることがありうる。M2Mサービスについては、ネットワーク要求はサービス・カテゴリーとともに変わる。一般に、以下のいくつかの要求がある：
伝送の信頼性、ただし遅延には敏感でない；および
短い遅延かつ高い伝送信頼性。
【００７６】
伝送信頼性を要求するが遅延には敏感でないサービスは簡単に処理される。しかしながら、短い遅延かつ高い伝送信頼性を要求するサービスは、短い伝送遅延および信頼性の両方についての要求をもつ。たとえば車両間（V2V）サービスである。伝送が信頼できない場合、再送信が引き起こされる。その結果、伝送遅延は極端に高く、要求を満たすことができない。
【００７７】
多数の接続があるので、将来の無線通信システムは既存の通信システムとは大きく異なる。接続の数の多さのため、端末装置にアクセスするためにより多くの資源が消費される必要があり、端末装置のデータ送信に関係したスケジューリング信号を送信するために、より多くの資源が消費される必要がある。本発明の実施形態の解決策は、上記の資源消費問題を効果的に解決するために使用できる。
【００７８】
任意的に、ある送信装置がネットワーク装置であってもよく、ある受信装置が端末装置であってもよい。
【００７９】
代替的に、ある送信装置が端末装置であってもよく、ある受信装置がネットワーク装置であってもよい。
【００８０】
任意的に、ある送信装置が端末装置であってもよく、ある受信装置が端末装置であってもよい。
【００８１】
任意的に、ある送信装置がネットワーク装置であってもよく、ある受信装置がネットワーク装置であってもよい。
【００８２】
具体的には、本発明の実施形態において、参照信号が端末装置によってネットワーク装置に送られてもよく、あるいは、参照信号はネットワーク装置によって端末装置に送られてもよく、あるいは、参照信号は端末装置によって別の端末装置に送られてもよく、あるいは参照信号はネットワーク装置によって別のネットワーク装置に送られてもよい。これは、本発明の実施形態において特に限定されない。
【００８３】
任意的に、ネットワーク装置は基地局であり、端末装置はユーザー装置である。
【００８４】
各実施形態は、本発明の実施形態における端末装置を参照して記述される。端末装置は、ユーザー装置（UE）、アクセス端末、加入者ユニット、加入者ステーション、モバイル・ステーション、モバイル・コンソール、リモート・ステーション、リモート端末、モバイル装置、ユーザー端末、端末、無線通信装置、ユーザー・エージェントまたはユーザー装置と称されることもある。アクセス端末は、無線ローカルエリアネットワーク（WLAN）におけるステーション（ST）であってもよく、あるいはセルラー電話、コードレス電話、セッション開始プロトコル（SIP）電話、無線ローカルループ（WLL）ステーション、携帯情報端末（PDA）、無線通信機能を備えたハンドヘルド装置、コンピューティング装置、無線モデムに接続されたその他の処理装置、車載装置、ウェアラブル装置、将来の5Gネットワークにおける端末装置、将来の進化型PLMNネットワークにおける端末装置などであってもよい。
【００８５】
さらに、各実施形態は、本発明の実施形態におけるネットワーク装置を参照して記述される。ネットワーク装置は、モバイル装置と通信するよう構成された装置であってもよい。ネットワーク装置は、WLANにおけるアクセス・ポイント（AP）またはGSMもしくは符号分割多重アクセス（CDMA）におけるベーストランシーバーステーション（BTS）であってもよく、WCDMAにおけるノードB（NB）であってもよく、あるいはロングタームエボリューション（LTE）における進化型ノードB（eNBまたはeNodeB）、再生成ステーション、アクセス・ポイント、車載装置、ウェアラブル装置、将来の5Gネットワークにおけるネットワーク装置または将来の進化型PLMNネットワークにおけるネットワーク装置などであってもよい。
【００８６】
さらに、各実施形態は、本発明の実施形態におけるセルを参照して記述される。セルは、ネットワーク装置（たとえば基地局）に対応するセルであってもよく、セルはマクロ基地局または小セルに対応する基地局に属していてもよい。本願での小セルはメトロ・セル、マイクロ・セル、ピコ・セル、フェムト・セルなどを含みうる。小セルは、小さなカバレッジおよび低い送信電力によって特徴付けられ、高レートのデータ伝送サービスを提供するために好適である。
【００８７】
さらに、LTEシステムでは複数のセルがキャリア上の同じ周波数上で機能してもよい。いくつかの特殊なシナリオでは、LTEシステムにおけるキャリアの概念はセルの概念と等価であると考えられてもよい。たとえば、キャリア・アグリゲーション（CA）シナリオにおいて、副次キャリアを構成されるとき、UEは、副次キャリアのキャリア・インデックスと、副次キャリア上で機能するセル識別情報（Cell  ID）との両方を担持する。この場合、キャリアの概念はセルの概念と等価であると考えられてもよい。たとえば、UEがキャリアにアクセスするというのは、UEがセルにアクセスするのと等価である。
【００８８】
本発明の実施形態において提供される信号伝送方法および装置は、端末装置またはネットワーク装置に適用されてもよい。端末装置またはネットワーク装置は、ハードウェア層、該ハードウェア層の上で走るオペレーティング・システム層および該オペレーティング・システム層の上で走るアプリケーション層を含む。ハードウェア層は、中央処理ユニット（CPU）、メモリ管理ユニット（MMU）およびメモリ（メイン・メモリとも称される）といったハードウェアを含む。オペレーティング・システムは、プロセス、たとえばLinuxオペレーティング・システム、Unixオペレーティング・システム、Androidオペレーティング・システム、iOSオペレーティング・システムまたはWindowsオペレーティング・システムを使うことによってサービス処理を実装する任意の一つまたは複数のオペレーティング・システムでありうる。アプリケーション層は、ブラウザー、アドレス帳、ワードプロセシング・ソフトウェアおよびインスタントメッセージング・ソフトウェアといったアプリケーションを含む。さらに、本発明の実施形態における信号伝送方法のコードを記録するプログラムを実行することによって本発明の実施形態における信号伝送方法に従って通信が実施できる限り、信号伝送方法の実行主体の具体的な構造は、本発明の実施形態において特に限定されない。たとえば、本発明の実施形態における信号伝送方法の実行主体は、端末装置またはネットワーク装置であってもよく、あるいは端末装置またはネットワーク装置においてプログラムを呼び出してプログラムを実行することができる機能モジュールであってもよい。
【００８９】
さらに、本発明の実施形態の側面または特徴は、標準的なプログラミングおよび／またはエンジニアリング技術を使う方法、装置またはプロダクトとして実装されうる。本願で使われる用語「プロダクト」は、任意のコンピュータ可読コンポーネント、担体または媒体からアクセスされることができるコンピュータ・プログラムをカバーする。たとえば、コンピュータ可読媒体は、磁気記憶装置（たとえば、ハードディスク、フロッピーディスクまたは磁気テープ）、光ディスク（たとえばコンパクトディスク（CD）またはデジタル多用途ディスク（DVD））、スマートカードおよびフラッシュメモリ・デバイス（たとえば消去可能なプログラム可能型読み出し専用メモリ（EPROM）、カード、スティックまたはキー・ドライブ）を含みうるがそれに限られない。さらに、本明細書に記載されるさまざまな記憶媒体は、情報を記憶するよう構成されている一つまたは複数のデバイスおよび／または他の機械可読媒体を示しうる。用語「機械可読媒体」は、命令および／またはデータを記憶する、含む、および／または搬送することができる無線チャネルおよびさまざまな他の媒体を含みうるが、それに限られない。
【００９０】
図１は、本発明のある実施形態に基づく、情報伝送のための通信システムの概略図である。図１に示されるように、通信システム１００はネットワーク装置１０２を含み、ネットワーク装置１０２はアンテナ１０４、１０６、１０８、１１０、１１２および１１４のような複数のアンテナを含んでいてもよい。さらに、ネットワーク装置１０２は追加的に、送信器チェーンおよび受信器チェーンを含んでいてもよい。当業者は、送信器チェーンおよび受信器チェーンがそれぞれ、信号送信および受信に関係した複数のコンポーネント（たとえばプロセッサ、変調器、マルチプレクサ、復調器、デマルチプレクサまたはアンテナ）を含みうることを理解しうる。
【００９１】
ネットワーク装置１０２は、複数の端末装置（たとえば端末装置１１６および端末装置１２２）と通信しうる。しかしながら、ネットワーク装置１０２は端末装置１１６または端末装置１２２と同様の任意の数の端末装置と通信しうることは理解されうる。たとえば、端末装置１１６および１２２はそれぞれ携帯電話、スマートフォン、ポータブル・コンピュータ、ハンドヘルド通信装置、ハンドヘルド・コンピューティング装置、衛星無線装置、グローバル測位システム、PDAおよび／または無線通信システム１００において通信を実行するよう構成されている他の任意の好適な装置でありうる。
【００９２】
図１に示されるように、端末装置１１６は、アンテナ１１２および１１４と通信する。アンテナ１１２および１１４は、順方向リンク１１８を使って端末装置１１６に情報を送り、逆方向リンク１２０を使って端末装置１１６から情報を受信する。さらに、端末装置１２２はアンテナ１０４および１０６と通信する。アンテナ１０４および１０６は順方向リンク１２４を使って端末装置１２２に情報を送り、逆方向リンク１２６を使って端末１２２から情報を受け取る。
【００９３】
たとえば、周波数分割複信（FDD）システムでは、順方向リンク１１８および逆方向リンク１２０は異なる周波数帯域を使ってもよく、順方向リンク１２４および逆方向リンク１２６は異なる周波数帯域を使ってもよい。
【００９４】
もう一つの例として、時分割複信（TDD）システムまたは全二重システムでは、順方向リンク１１８および逆方向リンク１２０が同じ周波数帯域を使ってもよく、順方向リンク１２４および逆方向リンク１２６が同じ周波数帯域が使ってもよい。
【００９５】
通信のために設計されているそれぞれのアンテナ（または複数のアンテナを含むアンテナ群）および／またはエリアは、ネットワーク装置１０２のセクターと称される。たとえば、アンテナ群が、ネットワーク装置１０２のカバレッジ内のあるセクター内にある端末装置と通信するよう設計されうる。ネットワーク装置１０２がそれぞれ順方向リンク１１８および１２４を使って端末装置１１６および端末装置１２２と通信するプロセスにおいて、ネットワーク装置１０２の送信アンテナは、順方向リンク１１８および１２４の信号対雑音比を、ビームフォーミングを通じて改善しうる。さらに、ネットワーク装置が単一のアンテナを使ってすべての端末装置に信号を送る仕方と比べて、ネットワーク装置１０２が、関係したカバレッジ内にランダムに分散している端末装置１１６および１２２に信号を、ビームフォーミングを通じて送るとき、近傍セルにあるモバイル装置への干渉が少なくなる。
【００９６】
所与の時間内において、ネットワーク装置１０２、端末装置１１６または端末装置１２２は、無線通信送信装置および／または無線通信受信装置であってもよい。データを送信している間、無線通信送信装置は送信のためにデータをエンコードしてもよい。具体的には、無線通信送信装置は、チャネルを使って無線通信受信装置に送られる必要のある、特定の量のデータ・ビットを取得してもよい（たとえば、生成する、他の通信装置から受領するまたはメモリに記憶する）。これらのデータ・ビットは、データのトランスポート・ブロック（または複数のトランスポート・ブロック）に含められてもよく、前記トランスポート・ブロックは、セグメント分割されて複数の符号ブロックを生成してもよい。
【００９７】
さらに、通信システム１００は、公共地上モバイルネットワーク（PLMN）、D2Dネットワーク、M2Mネットワークまたはその他のネットワークであってもよい。図１は単に、例としての簡略化された概略図であり、ネットワークはさらに、図１に示されていない他のネットワーク装置を含んでいてもよい。
【００９８】
本発明のこの実施形態において、送信装置はネットワーク装置１０２であってもよく、あるいは端末装置（たとえば端末装置１１６または端末装置１２２）であってもよいことを注意しておくべきである。対応して、受信装置は端末装置（たとえば端末装置１１６または端末装置１２２）であってもよく、あるいはネットワーク装置１０２であってもよい。これは、本発明のこの実施形態において特に限定されない。
【００９９】
下記は、本発明のこの実施形態における伝送対象を詳細に記述する。
【０１００】
具体的には、本発明のこの実施形態における伝送対象は、パイロット信号とも称されることがある参照信号（RS）であってもよく、送信装置によって受信装置のために与えられ、チャネル推定、チャネル測定、チャネル探測、チャネル復調などのために使われる既知の信号である。
【０１０１】
本発明のこの実施形態において、参照信号は物理層に適用されてもよく、より上位の層からのデータ情報を担持しない。さらに、参照信号は下りリンク参照信号および上りリンク参照信号を含みうる。
【０１０２】
下りリンク参照信号は、下りリンクにおいて使われるセル固有参照信号（CRS）、下りリンクにおいて使われるUE固有参照信号（UE-RS）、下りリンク・チャネル測定のために使われるチャネル状態情報参照信号（CSI-RS）、下りリンクにおいて使われるグループ固有参照信号（GRS）、下りリンクにおいて使われる測位参照信号（PRS）、下りリンクにおいて使われるビーム参照信号（BRS）、下りリンクにおいて使われるビーム洗練参照信号（BRRS）、下りリンクにおいて使われる位相補償参照信号（PCRS）などを含む。下りリンクにおいて使われるUE-RSは下りリンクにおいて使われる復調参照信号（DMRS）とも称される。
【０１０３】
上りリンク参照信号は、上りリンク復調のために使われる復調参照信号（DMRS）、上りリンク・チャネル測定のために使われる探測参照信号（SRS）、上りリンクにおいて使われるPCRSなどを含む。PUCCH復調のために使われるDMRSはPUCCH  DRMSと称され、PUSCH復調のために使われるDMRSはPUSCH  DRMSと称される。
【０１０４】
参照信号に加えて、本発明のこの実施形態における伝送対象は、代替的に、良好な相関特徴をもつシーケンス信号集合におけるシーケンス信号であってもよい。良好な相関特徴とは、該集合における任意のシーケンスが比較的大きな自己相関ピークをもち、該集合における任意の二つのシーケンスが比較的小さな相互相関ピークをもつことを意味する。具体的には、本発明のこの実施形態において、送信装置は、複数の信号を送ってもよく、それらの信号のうちの少なくとも一つは、良好な相関特徴をもつシーケンス信号、たとえば擬似ランダム・シーケンスおよびザドフ・チュー・シーケンスである。
【０１０５】
具体的には、相関は、同じ集合内のあるシーケンス信号と別のシーケンス信号の間で相関計算が実行されて相関値を得ることを意味する。よって、良好な相関特徴をもつシーケンス信号については、受信装置は、相関特徴に基づいて、信号が存在するかどうかを検出できる。換言すれば、相関特徴をもつシーケンス信号は、パイロットのような検出機構を使う必要なしに伝送される。参照信号（またはパイロット信号）は、良好な相関特徴をもつ信号の一つであってもよい。
【０１０６】
シーケンス信号の上記で挙げた具体例は単に記述のための例であることを理解しておくべきである。本発明のこの実施形態はそれに限定されない。たとえば、シーケンス信号は、代替的に、フィードバック情報（たとえば受け取り確認（ACK）情報または否定受け取り確認（NACK）情報）、資源要求信号または測定要求信号を搬送するために使われる信号であってもよい。
【０１０７】
理解および記述の簡単のため、下記は参照信号を、本発明のこの実施形態における信号伝送プロセスを記述するための例として使う。
【０１０８】
本発明のこの実施形態において、信号（たとえば参照信号）は、一つまたは複数の信号パラメータ（属性パラメータとも称される）をもち、異なる型の信号は少なくとも一つの異なる信号パラメータをもつ。換言すれば、本発明のこの実施形態では、信号は信号パラメータに基づいて複数の型に分類されてもよい。この場合、本発明のこの実施形態において、「第一の型は第二の型と異なる」とは、第一の参照信号のカテゴリーが第二の参照信号のカテゴリーと異なることを意味する。
【０１０９】
さらに、任意的に、第一の型の参照信号および第二の型の参照信号は少なくとも一つの異なる信号パラメータをもつ。該信号パラメータは、次のパラメータ：その信号に対応するチャネル、その信号の機能、その信号が加えられるリンク、その信号の伝送方向、その信号の送信装置が属するセルによって使用されるキャリアおよびその信号の送信装置、のうちの少なくとも一つを含む。
【０１１０】
換言すれば、本発明のこの実施形態において、参照信号のカテゴリーは、参照信号の信号パラメータに基づいて分類されうる。
【０１１１】
下記は、信号パラメータおよび信号パラメータに基づくカテゴリー分類方法を詳細に述べる。
【０１１２】
信号パラメータAは信号に対応するチャネルである。
【０１１３】
任意的に、信号に対応するチャネルは、データを伝送するために使われるチャネルまたは制御情報を伝送するために使われるチャネルである。
【０１１４】
具体的には、本発明のこの実施形態において、たとえば、信号は、その信号（たとえば参照信号）が加えられるチャネル（または対応するチャネル）に基づいて分類されてもよい。
【０１１５】
チャネルはA1およびA2を含んでいてもよい。
【０１１６】
A1は、データを送信するために使われるチャネルを示し、たとえば
物理上りリンク共有チャネル（PUSCH）または物理下りリンク共有チャネル（PDSCH）である。
【０１１７】
A2は、制御情報を送信するために使われるチャネルを示し、たとえば
物理上りリンク制御チャネル（PUCCH）または物理下りリンク制御チャネル（PDCCH）である。
【０１１８】
上記に挙げた具体的なチャネルは単に記述のための例であり、本発明のこの実施形態がそれに限定されないことを理解しておくべきである。たとえば、チャネルはさらに、向上物理下りリンク制御チャネル（EPDCCH）、物理制御フォーマット指示子チャネル（PCFICH）、物理ハイブリッド自動再送要求指示子チャネル（PHICH）または規格において導入される、同じ機能をもつが異なる名称の新たなチャネル、たとえば短TTI伝送において導入される制御チャネル、たとえば短TTI物理下りリンク制御チャネル（sTTI  Physical  Downlink  Control  Channel、sPDCCH）または短TTI伝送において導入されるデータ・チャネル、たとえば短TTI物理下りリンク共有チャネル（sTTI  Physical  Downlink  Shared  Channel、sPDSCH）を含んでいてもよい。
【０１１９】
具体的には、本発明のこの実施形態において、「第一の型の参照信号および第二の型の参照信号は少なくとも一つの異なる信号パラメータをもつ」とは、次の意味を含みうる：第一の型の参照信号が加えられるチャネルは第二の型の参照信号が加えられるチャネルとは異なる。たとえば、第一の信号に対応するチャネルはA1およびA2によって示される前記チャネルのうちの一つ（たとえば前記PUCCH、前記PUSCH、前記PDCCHまたは前記PDSCH）であってもよく、第二の信号に対応するチャネルはA1およびA2によって示される前記チャネルのうちの他方（たとえば前記PUCCH、前記PUSCH、前記PDCCHまたは前記PDSCH）であってもよい。
【０１２０】
信号パラメータBは信号の機能である。
【０１２１】
任意的に、第一の型の参照信号の機能は第二の型の参照信号の機能とは異なり、第一の型の参照信号の機能および第二の型の参照信号の機能は次の機能：位相補償、ACK/NACK情報担持、資源要求情報担持、測定要求情報担持、自動利得制御AGC調節、時間‐周波数同期、物理データ・チャネル復調、物理制御チャネル復調、チャネル状態情報測定、ビーム状態情報測定、ビーム洗練情報測定、無線資源管理RRM測定または測位測定のうちの二つである。
【０１２２】
具体的には、本発明のこの実施形態において、たとえば、信号はその信号（たとえば参照信号）の機能に基づいて分類されてもよい。
【０１２３】
機能はB1、B2、B3、B4、B5、B6、B7、B8、B9、B10、B11を含んでいてもよい。
【０１２４】
B1は、データ・チャネル復調を示す。
【０１２５】
具体的には、本発明のこの実施形態において信号（たとえば参照信号）を搬送するチャネルは、変調されたデータを搬送してもよく、よってその信号（たとえば参照信号）はデータを復調するために使用されうる。
【０１２６】
限定ではなく例として、チャネル復調のために使われる信号はたとえば、復調参照信号（DMRS）または共通参照信号（CRS）であってもよい。
【０１２７】
さらに、本発明のこの実施形態における「データ・チャネル復調」の具体的な方法およびプロセスは、従来技術におけるものと同様であってもよい。反復を避けるために、詳細な記述はここでは割愛する。
【０１２８】
さらに、限定ではなく例として、データ・チャネル復調のために使われる信号（たとえばDMRS）が加えられるチャネル（または復調されたチャネル）は上りリンク・チャネル（たとえばPUSCH）であってもよく、あるいは下りリンク・チャネル（たとえばPDSCH）であってもよい。これは、本発明のこの実施形態において特に限定されない。
【０１２９】
B2は制御チャネル復調を示す。
【０１３０】
具体的には、本発明のこの実施形態において信号（たとえば参照信号）を搬送するチャネルは、変調された制御情報を担持してもよく、よってその信号（たとえば参照信号）は制御情報を復調するために使用されうる。
【０１３１】
限定ではなく例として、チャネル復調のために使われる信号はたとえば、DMRSまたはCRSであってもよい。
【０１３２】
さらに、本発明のこの実施形態における「制御チャネル復調」の具体的な方法およびプロセスは、従来技術におけるものと同様であってもよい。反復を避けるために、詳細な記述はここでは割愛する。
【０１３３】
さらに、限定ではなく例として、制御チャネル復調のために使われる信号（たとえばDMRS）が加えられるチャネル（または復調されたチャネル）は上りリンク・チャネル（たとえばPUCCH）であってもよく、あるいは下りリンク・チャネル（たとえばPDCCH）であってもよい。これは、本発明のこの実施形態において特に限定されない。
【０１３４】
B3はチャネル状態情報測定を示す。
【０１３５】
具体的には、本発明のこの実施形態における信号（たとえば参照信号）は、その信号を搬送するチャネルを測定する、たとえばチャネル品質を測定するために使われてもよい。
【０１３６】
限定ではなく例として、チャネル測定のために使われる信号はたとえば、チャネル状態情報参照信号（CSI-RS）、探測参照信号（SRS）または共通参照信号（CRS）であってもよい。
【０１３７】
さらに、本発明のこの実施形態における「チャネル測定」の具体的な方法およびプロセスは、従来技術におけるものと同様であってもよい。反復を避けるために、詳細な記述はここでは割愛する。
【０１３８】
さらに、限定ではなく例として、チャネル測定のために使われる信号（たとえばDMRS）が加えられるチャネル（または測定されたチャネル）は上りリンク・チャネル（たとえばPUSCHまたはPUCCH）であってもよく、あるいは下りリンク・チャネル（たとえばPDCCHまたはPDSCH）であってもよい。これは、本発明のこの実施形態において特に限定されない。
【０１３９】
B4は位相補償を示す。
【０１４０】
具体的には、本発明のこの実施形態における信号（たとえば参照信号）は、同相誤差（CPE）およびサブキャリア間干渉（ICI）を測定するために使われてもよい。
【０１４１】
限定ではなく例として、チャネル測定のために使われる信号はたとえば、位相補償参照信号またはチャネル状態情報参照信号（CSI-RS）であってもよい。
【０１４２】
さらに、本発明のこの実施形態における「位相補償」の具体的な方法およびプロセスは、従来技術におけるものと同様であってもよい。反復を避けるために、詳細な記述はここでは割愛する。
【０１４３】
B5はフィードバック情報担持を示す。
【０１４４】
具体的には、本発明のこの実施形態における信号（たとえば参照信号）は、フィードバック処理、たとえばハイブリッド自動再送要求（HARQ）処理のために使われてもよい。換言すれば、信号（たとえば第一の信号および／または第二の信号）が、受け取り確認ACK情報またはNACK情報のようなフィードバック情報を担持するために使われてもよい。
【０１４５】
B6は資源要求情報担持を示す。
【０１４６】
具体的には、本発明のこの実施形態における信号（たとえば参照信号）は、資源要求プロセスを実行するために使われてもよい。換言すれば、この信号は、資源要求情報（たとえば資源スケジューリング要求情報）を担持するために使われる信号であってもよい。限定ではなく例として、資源要求情報は、データ（たとえば上りリンク・データまたは下りリンク・データ）を伝送するために使われる時間‐周波数資源を割り当てるよう要求するための要求情報であってもよい。
【０１４７】
B7は測定情報担持を示す。
【０１４８】
具体的には、本発明のこの実施形態における信号（たとえば参照信号）は、測定要求プロセスを実行するために使われてもよい。換言すれば、この信号は、測定要求情報を担持するために使われる信号であってもよい。限定ではなく例として、測定要求情報は、下りリンク測定参照信号を送ることを要求するための要求情報であってもよい。
【０１４９】
B8は自動利得制御AGC調節を示す。
【０１５０】
具体的には、自動利得制御（AGC）は、増幅回路の利得が信号強度とともに自動的に変化できるようにする自動制御方法である。自動利得制御は振幅制限出力の一つの型であり、線形増幅および圧縮された増幅の有効的な組み合わせを使って出力信号を調節するために使われる。弱い信号が入力されるときは、線形増幅回路が機能して、出力信号の強さを確保する。入力信号が特定の強さに達したら、圧縮増幅回路が開始されて、出力振幅を減らす。換言すれば、AGCの機能は、入力および出力の増幅割合を修正することによって、自動制御利得の振幅を自動的に制御することである。
【０１５１】
本発明のこの実施形態における信号（たとえば参照信号）は、AGC調節プロセスを実行するために使われてもよい。さらに、AGC調節プロセスにおける参照信号の使用および使用法は、従来技術におけるものと同様であってもよい。反復を避けるために、詳細な記述はここでは割愛する。
【０１５２】
B9は時間‐周波数同期を示す。
【０１５３】
具体的には、本発明のこの実施形態における信号（たとえば参照信号）は、時間‐周波数同期のために使われてもよい。さらに、時間‐周波数同期プロセスにおける参照信号の使用および使用法は、従来技術におけるものと同様であってもよい。反復を避けるために、詳細な記述はここでは割愛する。
【０１５４】
B10は無線資源管理RRM測定を示す。
【０１５５】
具体的には、無線資源管理（RRM）は、帯域幅が限られているときにネットワークにおける無線ユーザー端末のためのサービス品質を保証することである。基本的な出発点は、ネットワーク・トラフィックが不均等に分布しているときに無線伝送およびネットワークの利用可能な資源を柔軟に割り当て、動的に調整するということであり、チャネル特徴はチャネル減衰および干渉とともに変動し、それにより無線スペクトル利用率を最大限に改善し、ネットワーク輻輳を回避し、信号伝達負荷をできるだけ低く維持する。
【０１５６】
本発明のこの実施形態における信号（たとえば参照信号）は、RRM測定プロセスを実行するために使われてもよい。さらに、RRM測定プロセスにおける参照信号の使用および使用法は、従来技術におけるものと同様であってもよい。反復を避けるために、詳細な記述はここでは割愛する。
【０１５７】
B11は測位測定を示す。
【０１５８】
本発明のこの実施形態における信号（たとえば参照信号）は、測位測定プロセスを実行するために使われてもよい。さらに、測位測定プロセスにおける参照信号の使用および使用法は、従来技術におけるものと同様であってもよい。反復を避けるために、詳細な記述はここでは割愛する。
【０１５９】
具体的には、本発明のこの実施形態において、「第一の型の参照信号および第二の型の参照信号は少なくとも一つの異なる信号パラメータをもつ」とは、次の意味を含みうる：第一の型の参照信号の機能が第二の型の参照信号の機能と異なる。たとえば、第一の型の参照信号の機能はB1ないしB11によって示された機能のうちの一つであってもよく、第二の型の参照信号の機能はB1ないしB11によって示された機能のうちの別の一つであってもよい。
【０１６０】
信号パラメータCは、信号が加えられるリンクである。
【０１６１】
任意的に、信号が加えられるリンクは、ネットワーク装置と端末装置の間のリンク、ネットワーク装置間のリンクまたは端末装置間のリンクを含む。
【０１６２】
具体的には、本発明のこの実施形態において、たとえば信号は、その信号（たとえば参照信号）が加えられるリンク（または対応するリンク）に基づいて分類されてもよい。
【０１６３】
リンクはC1、C2、C3を含みうる。
【０１６４】
C1は、ネットワーク装置と端末装置の間のリンクを示す。
【０１６５】
このリンクはセルラー・リンクと称されることもあり、ネットワーク装置（たとえばeNB）と端末装置の間の通信のために使われる。
【０１６６】
C2は、ネットワーク装置間のリンクを示す。
【０１６７】
このリンクはバックホール（backhaul）・リンクと称されることもあり、ネットワーク装置（たとえばeNB）と別のネットワーク装置（たとえばeNBまたはゲートウェイ装置）との間の通信のために使われる。
【０１６８】
C3は、端末装置間のリンクを示す。
【０１６９】
このリンクはサイドリンク・リンクと称されることもあり、端末装置間の通信のために使われる。
【０１７０】
具体的には、本発明のこの実施形態において、「第一の型の参照信号および第二の型の参照信号は少なくとも一つの異なる信号パラメータをもつ」とは、次の意味を含みうる：第一の型の参照信号が加えられるリンクが第二の型の参照信号が加えられるリンクと異なる。たとえば、第一の型の参照信号に対応するリンクはC1ないしC3によって示されるリンクのうちの一つであってもよく、第二の型の参照信号に対応するリンクはC1ないしC3によって示されるリンクのうちの別の一つであってもよい。
【０１７１】
信号パラメータDは信号の伝送方向である。
【０１７２】
任意的に、信号の伝送方向は上りリンク伝送または下りリンク伝送を含む。
【０１７３】
具体的には、本発明のこの実施形態において、たとえば、信号は信号の伝送方向に基づいて分類されてもよい。
【０１７４】
伝送方向はD1およびD2を含んでいてもよい。
【０１７５】
D1は上りリンク伝送を示す。
【０１７６】
この場合、信号は端末装置によってネットワーク装置に送られてもよい。
【０１７７】
D2は下りリンク伝送を示す。
【０１７８】
この場合、信号はネットワーク装置によって端末装置に送られてもよい。
【０１７９】
具体的には、本発明のこの実施形態において、「第一の型の参照信号および第二の型の参照信号は少なくとも一つの異なる信号パラメータをもつ」とは、次の意味を含みうる：第一の型の参照信号の伝送方向が第二の型の参照信号の伝送方向と異なる。たとえば、第一の型の参照信号の伝送方向はD1およびD2によって示される伝送方向の一方であってもよく、第二の型の参照信号の伝送方向はD1およびD2によって示される伝送方向の他方であってもよい。
【０１８０】
信号パラメータEは、信号の伝送装置が属するセルによって使用されるキャリアである。
【０１８１】
具体的には、本発明のこの実施形態において、キャリアは、信号を送るまたは受け取るネットワーク装置または端末装置が位置しているセルのキャリアであってもよい。
【０１８２】
具体的には、本発明のこの実施形態において、「第一の型の参照信号および第二の型の参照信号は少なくとも一つの異なる信号パラメータをもつ」とは、次の意味を含みうる：第一の装置（つまり、第一の型の参照信号を伝送するネットワーク装置または端末装置）が位置するセルのキャリア（理解および記述の簡単のために以下では第一のキャリアと称する）が第二の装置（つまり、第二の型の参照信号を伝送するネットワーク装置または端末装置）が位置するセルのキャリア（理解および記述の簡単のために以下では第二のキャリアと称する）と異なり、第一のキャリアおよび第二のキャリアが重複をもつ。
【０１８３】
「第一のキャリアが第二のキャリアと異なり、第一のキャリアおよび第二のキャリアが重複をもつ」とは、以下の意味を含みうる。
【０１８４】
１．第一のキャリアの周波数領域の範囲が第二のキャリアの周波数領域の範囲より大きく、第二のキャリアの周波数領域の範囲が第一のキャリアの周波数領域の範囲内にはいる。
【０１８５】
２．第一のキャリアの周波数領域の範囲が第二のキャリアの周波数領域の範囲より小さく、第一のキャリアの周波数領域の範囲が第二のキャリアの周波数領域の範囲内にはいる。
【０１８６】
３．第一のキャリアの周波数領域の範囲が第二のキャリアの周波数領域の範囲と異なり、第一のキャリアの周波数領域の範囲と第二のキャリアの周波数領域の範囲が部分的に重なる。
【０１８７】
信号パラメータFは信号の送信装置である。
【０１８８】
具体的には、本発明のこの実施形態において、「第一の型の参照信号および第二の型の参照信号は少なくとも一つの異なる信号パラメータをもつ」とは、次の意味を含みうる：第一の型の参照信号の送信装置が第二の型の参照信号の送信装置と異なる。
【０１８９】
「第一の型の参照信号の送信装置が第二の型の参照信号の送信装置と異なる」は、第一の型の参照信号の送信装置がネットワーク装置であり、第二の型の参照信号の送信装置が端末装置であることを意味してもよい。
【０１９０】
あるいはまた、「第一の型の参照信号の送信装置が第二の型の参照信号の送信装置と異なる」は、第一の型の参照信号の送信装置が端末装置であり、第二の型の参照信号の送信装置がネットワーク装置であることを意味してもよい。
【０１９１】
あるいはまた、「第一の型の参照信号の送信装置が第二の型の参照信号の送信装置と異なる」は、第一の型の参照信号の送信装置が端末装置であり、第二の型の参照信号の送信装置が別の端末装置であることを意味してもよい。第一の型の参照信号を送る端末装置と第二の型の参照信号を送る端末装置は同じセル内にあってもよく（たとえば同じネットワーク装置にアクセスする）、あるいは異なるセルにあってもよい（たとえば、異なるネットワーク装置にアクセスする）。これは、本発明のこの実施形態において特に限定されない。
【０１９２】
あるいはまた、「第一の型の参照信号の送信装置が第二の型の参照信号の送信装置と異なる」は、第一の型の参照信号の送信装置がネットワーク装置であり、第二の型の参照信号の送信装置が別のネットワーク装置であることを意味してもよい。第一の型の参照信号を送るネットワーク装置と第二の型の参照信号を送るネットワーク装置は同じ周波数において展開されてもよく、あるいは異なる周波数において展開されてもよい。これは、本発明のこの実施形態において特に限定されない。
【０１９３】
上記で挙げた信号パラメータは単に記述のための例であることを理解しておくべきである。本発明のこの実施形態はそれに限定されない。たとえば、参照信号の機能は、代替的に、ビーム状態情報測定またはビーム洗練情報測定であってもよい。
【０１９４】
図２に示されるように、本発明のこの実施形態において、異なる型の参照信号は、異なる符号資源に基づいて、同じ時間‐周波数資源上に多重化されうる。
【０１９５】
任意的に、符号資源は、符号分割多重CDM符号を含む。
【０１９６】
具体的には、本発明のこの実施形態において、たとえば、異なる型の参照信号は、符号分割多重（CDM）技術に基づいて、伝送のために時間‐周波数資源上で多重化されてもよい。CDMは、信号符号型構造の間の直交性を使って多重化を実装する通信様式である。
【０１９７】
符号分割多重はチャネル共有方法である。各ユーザーは、同時に同じ周波数帯域を使って通信を実行でき、符号型に基づくチャネル・セグメンテーション方法を使う。具体的には、各ユーザーに一つのアドレス符号が割り当てられ、符号型が異なる。よって、通信当事者は互いに干渉せず、強い干渉耐性をもつ。これが、送信端が、信号電力を調整することによって参照信号をよりよく使うことを助ける。
【０１９８】
符号資源として使われる上記で挙げたCDM符号は単に記述のための例であり、本発明のこの実施形態はそれに限定されないことを注意しておくべきである。参照信号を伝送するために使用できる他の符号資源は、本発明の実施形態の保護範囲内にはいる。
【０１９９】
図３は、本発明のある実施形態に基づく参照信号受信および送信方法２００の概略的なフローチャートである。図３に示されるように、方法２００は下記の段階を含む。
【０２００】
S210では、送信装置#A（つまり、第一の送信装置の例）が参照信号#A（つまり、第一の参照信号の例）を生成する。参照信号#Aを生成するプロセスは従来技術におけるものと同様であってもよい。反復を避けるため、詳細な記述はここでは割愛する。
【０２０１】
本発明のこの実施形態において、参照信号#Aは型#A（つまり、第一の型の例）の参照信号であることを注意しておくべきである。ここで、型#Aは、上記の信号パラメータAないしFのうちの任意のものに基づいて決定されうる。これは、本発明のこの実施形態において特に限定されない。
【０２０２】
さらに、送信装置#Aは、参照信号#Aに対応する符号資源（たとえばCDM符号。これは理解および区別の容易のために下記では符号資源#Aとしてマークされる）を決定してもよい。「参照信号#Aに対応する符号資源」とは、次のように理解されうる：参照信号#Aは、符号資源#Aに基づいて、ある時間‐周波数資源（これは具体的には一つまたは複数の第一の時間‐周波数資源グループであり、詳細な記述はのちに与える）上に多重化される。
【０２０３】
限定ではなく例として、本発明のこの実施形態において、符号資源の長さは、同じ時間‐周波数資源上に多重化される参照信号の数に基づいて決定されてもよい。たとえば、符号資源の長さが4であれば、四つの参照信号が同じ時間‐周波数資源上で多重化されてもよい。符号資源の長さが8であれば、八つの参照信号が同じ時間‐周波数資源上で多重化されてもよい。
【０２０４】
さらに、たとえば、本発明のこの実施形態において、各参照信号に対応する符号資源が、ネットワーク装置（これは該参照信号の送信装置または受信装置として使用されうる）によって決定されて、端末装置（これは該参照信号の送信装置または受信装置として使用されうる）に通知されてもよい。
【０２０５】
もう一つの例として、本発明のこの実施形態において、各参照信号に対応する符号資源が、ネットワーク装置（これは該参照信号の送信装置または受信装置として使用されうる）および別のネットワーク装置（これは該参照信号の送信装置または受信装置として使用されうる）によって、ネゴシエーションを通じて決定されてもよい。
【０２０６】
さらにもう一つの例として、本発明のこの実施形態において、参照信号の各型に対応する符号資源は、通信システムまたは通信プロトコルによって規定されてもよく、それにより実際に送られる参照信号に対応する符号資源は、その参照信号の型に基づいて決定されることができる。
【０２０７】
上記に挙げた符号資源決定法は単に記述のための例であり、本発明のこの実施形態はそれに限定されないことを理解しておくべきである。本発明のこの実施形態における符号資源決定法は、従来技術におけるものと同様であってもよい。反復を避けるため、詳細な記述はここでは割愛する。
【０２０８】
符号資源#Aは、参照信号#B（つまり第二の参照信号の例）に対応する符号資源（たとえばCDM符号。これは理解および区別の容易のために下記では符号資源#Bとしてマークされる）と直交である。
【０２０９】
「参照信号#Bに対応する符号資源」とは、次のように理解されうる：参照信号#Bは、符号資源#Bに基づいて、ある時間‐周波数資源（これは具体的には一つまたは複数の第二の時間‐周波数資源グループであり、前記一つまたは複数の第二の時間‐周波数資源グループおよび前記一つまたは複数の第一の時間‐周波数資源グループは同じ時間‐周波数資源を占有する。詳細な記述はのちに与える）上に多重化される。
【０２１０】
よって、参照信号#Aおよび参照信号#Bは、符号資源#Aおよび符号資源#Bを使うことによって、同じ時間‐周波数資源上で多重化されうる。
【０２１１】
この実施形態において、参照信号#Bは型#B（つまり、第二の型の例）の参照信号であることを注意しておくべきである。ここで、型#Bは、上記の信号パラメータAないしFのうちの任意のものに基づいて決定されうる。これは、本発明のこの実施形態において特に限定されない。
【０２１２】
換言すれば、本発明のこの実施形態において、参照信号#B（つまり、第二の型の参照信号の例）および参照信号#A（つまり、第一の型の参照信号の例）は異なる型の参照信号である。
【０２１３】
任意的に、第一の参照信号は第一の受信装置に送られ、第二の参照信号は第二の受信装置に送られる。
【０２１４】
換言すれば、本発明のこの実施形態において、参照信号#Bおよび参照信号#Aは、異なる受信装置に送られる参照信号である。
【０２１５】
たとえば、「異なる受信装置」は、一方の受信装置が端末装置であり、他方の受信装置が異なる端末装置であることを意味してもよい。
【０２１６】
あるいはまた、「異なる受信装置」は、一方の受信装置がネットワーク装置であり、他方の受信装置が異なるネットワーク装置であることを意味してもよい。
【０２１７】
あるいはまた、「異なる受信装置」は、一方の受信装置がネットワーク装置であり、他方の受信装置が端末装置であることを意味してもよい。
【０２１８】
第一の参照信号および第二の参照信号の受信装置の上記で挙げた場合は単に記述のための例であり、本発明のこの実施形態はそれに限定されないことを理解しておくべきである。たとえば、第一の参照信号および第二の参照信号の受信装置は同じであってもよい。
【０２１９】
任意的に、第二の参照信号は第一の送信装置によって送られる。
【０２２０】
具体的には、送信装置#A（つまり、第一の送信装置の例）が参照信号#B（つまり、第二の参照信号の例）を生成する。参照信号#Bを生成するプロセスは、従来技術におけるものと同様であってもよい。反復を避けるため、詳細な記述はここでは割愛する。
【０２２１】
さらに、送信装置#Aが参照信号#Bに対応する符号資源（つまり符号資源#B）を決定してもよい。
【０２２２】
この場合、参照信号#Bの受信装置は参照信号#Aの受信装置とは異なっていてもよい。
【０２２３】
たとえば、第一の送信装置は第一のネットワーク装置であり、第一の受信装置は端末装置であり、第二の受信装置は第二のネットワーク装置である。
【０２２４】
具体的には、本発明のこの実施形態において、送信装置#Aは参照信号#Bおよび参照信号#A両方の送信装置として使用されてもよい。この場合、たとえば、送信装置#Aはネットワーク装置（つまり、前記第一のネットワーク装置）であってもよい。
【０２２５】
さらに、たとえば、参照信号#Aの受信装置は端末装置であってもよい。具体的には、参照信号#Aに対応する通信リンクはセルラー・リンクであってもよい。
【０２２６】
もう一つの例として、参照信号#Bの受信装置はネットワーク装置（つまり、前記第二のネットワーク装置の例）であってもよい。具体的には、参照信号#Bに対応する通信リンクはバックホール・リンクであってもよい。
【０２２７】
参照信号#Aおよび参照信号#Bの送信装置および受信装置の上記で挙げた場合は単に記述のための例であることを理解しておくべきである。これは、本発明のこの実施形態において特に限定されない。換言すれば、参照信号#Aおよび参照信号#Bの送信装置は同じであってもよく、あるいは異なっていてもよい。参照信号#Aおよび参照信号#Bの受信装置は同じであってもよく、あるいは異なっていてもよい。これは、参照信号#Aおよび参照信号#Bの型が異なっている（換言すれば、少なくとも一つの信号パラメータが異なる）ことが保証される限り、本発明のこの実施形態において特に限定されない。
【０２２８】
本発明のこの実施形態において、参照信号#Bは送信装置#B（送信装置#Aとは異なる送信装置）によって送られてもよい。この場合、送信装置#B（つまり、第二の送信装置の例）が参照信号#B（つまり、第二の参照信号の例）を生成する。参照信号#Bを生成するプロセスは、従来技術におけるものと同様であってもよい。反復を避けるため、詳細な記述はここでは割愛する。さらに、送信装置#Bは、参照信号#Bに対応する符号資源#B（つまり、第二の符号資源の例）を決定してもよい。
【０２２９】
まとめると、本発明のこの実施形態において、参照信号#Aおよび参照信号#Bの送信装置および受信装置は以下の場合を含みうる。
【０２３０】
場合１。
【０２３１】
参照信号#Aおよび参照信号#Bの送信装置が同じであり、参照信号#Aおよび参照信号#Bの受信装置も同じである。この場合、参照信号#Aおよび参照信号#Bの機能（つまり、少なくとも一つの信号パラメータ）が異なる。
【０２３２】
場合２。
【０２３３】
参照信号#Aおよび参照信号#Bの送信装置が同じであり、参照信号#Aおよび参照信号#Bの受信装置は異なる。この場合、参照信号#Aおよび参照信号#Bの機能（つまり、少なくとも一つの信号パラメータ）は同じであってもよく、あるいは異なっていてもよい。
【０２３４】
限定ではなく例として、この場合、たとえば、参照信号#Aおよび参照信号#Bの送信装置はネットワーク装置であってもよく、参照信号#Aの受信装置は端末装置であってもよく、参照信号#Bの受信装置はネットワーク装置であってもよい。
【０２３５】
場合３。
【０２３６】
参照信号#Aおよび参照信号#Bは異なっており、参照信号#Aおよび参照信号#Bの受信装置は同じである。この場合、参照信号#Aおよび参照信号#Bの機能（つまり、少なくとも一つの信号パラメータ）は同じであってもよく、あるいは異なっていてもよい。
【０２３７】
場合４。
【０２３８】
参照信号#Aおよび参照信号#Bは異なり、参照信号#Aおよび参照信号#Bの受信装置も異なる。この場合、参照信号#Aおよび参照信号#Bの機能（つまり、少なくとも一つの信号パラメータ）は同じであってもよく、あるいは異なっていてもよい。
【０２３９】
具体的には、場合４において、参照信号#Aおよび参照信号#Bは、異なるセルにおいて伝送される参照信号であってもよい。
【０２４０】
限定ではなく例として、この場合、たとえば、参照信号#Aの送信装置は端末装置であってもよく、参照信号#Aの受信装置はネットワーク装置であってもよく、参照信号#Bの送信装置はネットワーク装置であってもよく、参照信号#Bの受信装置は端末装置であってもよい。具体的には、参照信号#Aはセルの上りリンク参照信号であってもよく、参照信号#Aは別のセルの下りリンク参照信号であってもよい。
【０２４１】
符号資源#Aが符号資源#Bに直交する上記で挙げた場合は単に記述のための例であり、符号資源#Aが符号資源#Bと異なり、参照信号#Aおよび参照信号#Bが符号資源#Aおよび符号資源#Bに基づいて同じ時間‐周波数資源上に多重化できることが保証される限り、本発明のこの実施形態はそれに限定されないことを注意しておくべきである。
【０２４２】
さらに、本発明のこの実施形態において、符号資源#Aの符号長および符号資源#Bの符号長は同じであってもよく、あるいは異なっていてもよい。これは、本発明のこの実施形態において特に限定されない。
【０２４３】
さらに、本発明のこの実施形態において、参照信号#Aの送信装置はネットワーク装置または端末装置であってもよく、参照信号#Aの受信装置はネットワーク装置または端末装置であってもよい；同様に、参照信号#Bの送信装置はネットワーク装置または端末装置であってもよく、参照信号#Bの受信装置はネットワーク装置または端末装置であってもよい。本発明のこの実施形態においてこれは特に限定されない。
【０２４４】
さらに、S210において、参照信号#Aの受信装置（これは理解の容易のため下記では受信装置#Aとしてマークされる）は、符号資源#Aを決定してもよい。受信装置#Aにより符号資源#Aを決定するプロセスは、送信装置#Aにより符号資源#Aを決定するプロセスと同様であってもよい。反復を避けるため、詳細な記述はここでは割愛する。
【０２４５】
S220では、送信装置#Aは、参照信号#Aを伝送するために使われる（または参照信号#Aおよび参照信号#Bを伝送するために使われる）時間‐周波数資源（つまり、少なくとも一つの第一の時間‐周波数資源グループの例。これは、理解および記述の簡単のため下記では時間‐周波数資源＃１としてマークされる）を決定してもよい。
【０２４６】
具体的には、本発明のこの実施形態において、送信装置#Aは、符号資源#Aの符号長に基づいて時間‐周波数資源＃１を決定してもよい。それにより、時間‐周波数資源＃１によって占有される資源要素（RE）の数の値は、符号資源#Aの符号長の値に対応する。たとえば、本発明のこの実施形態において、時間‐周波数資源＃１は複数の時間‐周波数資源グループを含んでいてもよく、各時間‐周波数資源グループのサイズ（たとえば含まれるREの数）は符号資源#Aの符号長と同じであってもよい。すなわち、時間‐周波数資源＃１のサイズの値は、符号資源#Aの符号長の値の正の整数倍であってもよい。
【０２４７】
符号資源#Aと時間‐周波数資源＃１との間の上記で挙げた関係は、記述のための例であり、本発明のこの実施形態はそれに限定されないことを理解しておくべきである。たとえば、時間‐周波数資源＃１によって占められるREの数の値は符号資源#Aの符号長の値以上であってもよい。本発明のこの実施形態においてこれは特に限定されない。
【０２４８】
本発明のこの実施形態では、通信システムは複数の時間‐周波数資源グループ（第一の時間‐周波数資源グループおよび第二の時間‐周波数資源グループを含む）を提供してもよい。
【０２４９】
さらに、各時間‐周波数資源グループは、システム時間‐周波数資源における規定された数の資源要素を含んでいてもよい。資源要素は、時間‐周波数資源の最小の分割単位であってもよい。たとえば、一つの資源要素は一つのREに対応してもよい。
【０２５０】
たとえば、任意的に、前記少なくとも一つの第一の時間‐周波数資源グループのそれぞれは4N個のREを占有し、前記少なくとも一つの第二の時間‐周波数資源グループのそれぞれは4M個のREを占有し、Nは1以上の整数であり、Mは1以上の整数である。
【０２５１】
換言すれば、限定ではなく例として、本発明のこの実施形態において、一つの時間‐周波数資源グループは、4の整数倍である数のREを含んでいてもよい。
【０２５２】
一つの時間‐周波数資源グループに含まれるREの上記で挙げた数は単に記述のための例であり、本発明のこの実施形態がそれに限定されないことを理解しておくべきである。たとえば、一つの時間‐周波数資源グループは、2の正の整数倍である数のREを含んでいてもよい。
【０２５３】
たとえば、本発明のこの実施形態において、図４に示されるように、一つの時間‐周波数資源グループは二つのREを含んでいてもよい。さらに、二つのREの位置の間の関係は、時間‐周波数資源グループ＃１によって示されてもよく、あるいは時間‐周波数資源グループ＃２によって示されてもよい。
【０２５４】
あるいはまた、図５に示されるように、一つの時間‐周波数資源グループは四つのREを含んでいてもよい。さらに、四つのREの位置の間の関係は、時間‐周波数資源グループ＃３によって示されてもよく、時間‐周波数資源グループ＃４によって示されてもよく、あるいは時間‐周波数資源グループ＃５によって示されてもよい。
【０２５５】
あるいはまた、図６に示されるように、一つの時間‐周波数資源グループは八つのREを含んでいてもよい。さらに、八つのREの位置の間の関係は、時間‐周波数資源グループ＃６によって示されてもよく、時間‐周波数資源グループ＃７によって示されてもよく、時間‐周波数資源グループ＃８によって示されてもよく、あるいは時間‐周波数資源グループ＃９によって示されてもよい。
【０２５６】
あるいはまた、図７に示されるように、一つの時間‐周波数資源グループは16個のREを含んでいてもよい。さらに、16個のREの位置の間の関係は、時間‐周波数資源グループ＃１０によって示されてもよく、時間‐周波数資源グループ＃１１によって示されてもよく、時間‐周波数資源グループ＃１２によって示されてもよく、時間‐周波数資源グループ＃１３によって示されてもよく、あるいは時間‐周波数資源グループ＃１４によって示されてもよい。
【０２５７】
本発明のこの実施形態において、任意の二つの時間‐周波数資源グループに含まれる資源要素（たとえばRE）の数は同じであってもよく、あるいは異なっていてもよい。本発明のこの実施形態においてこれは特に限定されない。
【０２５８】
さらに、本発明のこの実施形態において、システム時間‐周波数資源における任意の二つの時間‐周波数資源グループの位置は、同じであってもよく、あるいは異なっていてもよい。本発明のこの実施形態においてこれは特に限定されない。
【０２５９】
本発明のこの実施形態において、一つの時間‐周波数資源グループに含まれるREは、中央集中した仕方で（あるいは連続的に）構成されてもよく、あるいは分散式に構成されてもよい。本発明のこの実施形態においてこれは特に限定されない。
【０２６０】
限定ではなく例として、たとえば、本発明のこの実施形態において、一つの時間‐周波数資源グループは、諸システム時間‐周波数資源内で周期的に現われてもよく（時間領域における周期および／または周波数領域における周期を含む）、あるいは本発明のこの実施形態において、一つの時間‐周波数資源グループは、諸システム時間‐周波数資源内の固定位置（時間領域における位置および／または周波数領域における位置）に現われてもよい。本発明のこの実施形態においてこれは特に限定されない。
【０２６１】
もう一つの例として、本発明のこの実施形態において、一つの符号資源は一つまたは複数の時間‐周波数資源グループに対応してもよく、本発明のこの実施形態において、ネットワーク装置は、各符号資源に対応する時間‐周波数資源グループを示すために使われるマッピング関係情報#A（これは第一のマッピング関係情報と称されてもよい）を記憶していてもよい。
【０２６２】
さらにもう一つの例として、本発明のこの実施形態において、ネットワーク装置が、参照信号を伝送するために使われるチャネルのチャネル品質または参照信号を伝送するために使われるリンクのリンク状態に基づいて、参照信号を担持するために使われる時間‐周波数資源グループの位置（具体的には、諸システム時間‐周波数資源における位置）と、時間‐周波数資源グループの数とを決定してもよい。たとえば、チャネル品質またはリンク状態が比較的良好な場合には、比較的少数の時間‐周波数資源グループが使用されてもよい。チャネル品質またはリンク状態が比較的貧弱な場合には、比較的多数の時間‐周波数資源グループが使用されてもよい。
【０２６３】
よって、送信装置#Aがネットワーク装置であるとき、送信装置#Aは、参照信号#Aによって使用される符号資源#Aおよびマッピング関係情報#Aに基づいて、符号資源#Aに対応するα個の時間‐周波数資源グループ（つまり、第一の時間‐周波数資源グループの例。理解および区別の容易のため、下記では時間‐周波数資源グループ#Aとしてマークされる）を決定し、それらの時間‐周波数資源グループを、参照信号#Aを送るために使われる時間‐周波数資源グループ＃１として使ってもよい。ここで、α≧1である。さらに、α個の時間‐周波数資源グループ#Aに対応する時間‐周波数資源は、時間‐周波数資源＃１である。さらに、各時間‐周波数資源グループ#Aに含まれるREの数の値は、符号資源#Aの長さの値と同じである。
【０２６４】
送信装置#Aが端末装置であるとき、送信装置#Aがアクセスするネットワーク装置が、参照信号#Aによって使用される符号資源#Aおよびマッピング関係#Aに基づいて、時間‐周波数資源グループ#Aを決定し、時間‐周波数資源グループ#Aの指示情報を送信装置#Aに送ってもよい。
【０２６５】
あるいはまた、本発明のこの実施形態において、参照信号の一つの型は、一つまたは複数の時間‐周波数資源グループに対応していてもよく、本発明のこの実施形態において、ネットワーク装置が、それぞれの型の参照信号に対応する時間‐周波数資源グループを示すために使われるマッピング関係情報#B（これは、第二のマッピング関係情報と称されてもよい）を記憶してもよい。
【０２６６】
したがって、送信装置#Aがネットワーク装置であるときは、送信装置#Aは、参照信号#Aの型およびマッピング関係#Bに基づいて、参照信号#Aの型に対応する時間‐周波数資源グループ#Aを決定してもよい。
【０２６７】
送信装置#Aが端末装置であるときは、送信装置#Aがアクセスするネットワーク装置が、参照信号#Aの型およびマッピング関係#Bに基づいて、時間‐周波数資源グループ#Aを決定して、時間‐周波数資源グループ#Aの指示情報を送信装置#Aに送ってもよい。
【０２６８】
同様に、参照信号#Aの受信装置（理解の容易のため下記では受信装置#Aとしてマークされる）がネットワーク装置であるときは、受信装置#Aは、参照信号#Aによって使われる符号資源#Aおよびマッピング関係#Aに基づいて、時間‐周波数資源グループ#Aを決定してもよい。
【０２６９】
受信装置#Aが端末装置であるときは、受信装置#Aがアクセスするネットワーク装置が、参照信号#Aによって使われる符号資源#Aおよびマッピング関係#Aに基づいて、時間‐周波数資源グループ#Aを決定して、時間‐周波数資源グループ#Aの指示情報を受信装置#Aに送ってもよい。
【０２７０】
したがって、受信装置#Aがネットワーク装置であるときは、受信装置#Aは、参照信号#Aの型およびマッピング関係#Bに基づいて、時間‐周波数資源グループ#Aを決定してもよい。
【０２７１】
受信装置#Aが端末装置であるときは、受信装置#Aがアクセスするネットワーク装置が、参照信号#Aの型およびマッピング関係#Bに基づいて、時間‐周波数資源グループ#Aを決定して、時間‐周波数資源グループ#Aの指示情報を受信装置#Aに送ってもよい。
【０２７２】
さらに、本発明のこの実施形態において、参照信号#Bを担持するために使われるβ個の時間‐周波数資源グループ（つまり、第二の時間‐周波数資源グループの例。理解および区別の容易のために下記では時間‐周波数資源グループ#Bとしてマークされる）を決定する仕方は、時間‐周波数資源グループ#Aを決定する仕方と同様であってもよい。反復を避けるために、詳細な記述はここでは割愛する。β≧1であり、β個の時間‐周波数資源グループ#Bに対応する時間‐周波数資源は時間‐周波数資源＃１である。さらに、各時間‐周波数資源グループ#Bに含まれるREの数の値は、符号資源#Bの長さの値と同じである。
【０２７３】
本発明のこの実施形態において、諸システム時間‐周波数資源における各時間‐周波数資源グループの位置は、システムまたは通信プロトコルによって規定されていてもよい。この場合、送信装置および受信装置は直接、選択された時間‐周波数資源グループの時間‐周波数位置を決定しうる。
【０２７４】
あるいはまた、本発明のこの実施形態において、諸システム時間‐周波数資源における、参照信号を伝送するために使われる時間‐周波数資源グループの位置が、ネットワーク装置によって決定されて端末装置に指示されてもよい。
【０２７５】
限定ではなく例として、ネットワーク装置は、次の情報のうちの少なくとも一つを端末装置に指示してもよい。それにより、端末装置は、諸システム時間‐周波数資源における時間‐周波数資源グループの位置を決定する：
時間‐周波数資源グループの時間領域の周期；
時間‐周波数資源グループの時間領域のオフセット（たとえば、ネットワーク装置および端末装置によって受け取り確認された基準時点に対するオフセット）；
時間‐周波数資源グループの時間領域の継続時間；
時間‐周波数資源グループの周波数領域の周期；
時間‐周波数資源グループの周波数領域のオフセット（たとえば、ネットワーク装置および端末装置によって受け取り確認された基準周波数に対するオフセット）；
時間‐周波数資源グループの周波数領域の範囲。
【０２７６】
この場合、ネットワーク装置は端末装置に、諸システム時間‐周波数資源における時間‐周波数資源グループの決定された位置を示すために使われる指示情報を送る必要があるので、この場合、システム時間‐周波数資源の数が比較的多く、かつ、時間‐周波数資源グループの数が比較的多い場合、指示情報の情報量が比較的大きくなる。
【０２７７】
よって、本発明のこの実施形態において、システム時間‐周波数資源は、通信システムまたは通信プロトコルの規定に基づいて、複数の時間‐周波数資源集合に分割されてもよく、一つの時間‐周波数資源グループは一つまたは複数の時間‐周波数資源集合に位置していてもよい。
【０２７８】
本発明のこの実施形態において、第一の時間‐周波数資源集合が前記複数の時間‐周波数資源集合に属していてもよく、一つまたは複数の第一の時間‐周波数資源集合があってもよい。本発明のこの実施形態においてこれは特に限定されない。
【０２７９】
送信装置および受信装置は、まず、時間‐周波数資源グループが位置している時間‐周波数資源集合を決定し、次いで、時間‐周波数資源集合から時間‐周波数資源グループを決定してもよい。それにより、指示情報の情報量が削減される。
【０２８０】
下記は、時間領域における時間‐周波数資源の構成を記述する。
【０２８１】
たとえば、本発明のこの実施形態において、時間領域における時間‐周波数資源集合の位置が固定されていてもよい。
【０２８２】
あるいはまた、図８に示されるように、時間‐周波数資源集合は、規定された継続時間の時間領域周期をもって、時間領域で繰り返し生起してもよい。換言すれば、本発明のこの実施形態では、諸システム時間‐周波数資源において時間‐周波数資源集合が現われる周期は、前記時間領域周期を含んでいてもよい。
【０２８３】
一つの時間領域周期内に時間‐周波数資源集合が現われる範囲は、たとえば図９における態様１において示されるように、時間領域周期全体をカバーしてもよい。
【０２８４】
あるいはまた、一つの時間領域周期内に時間‐周波数資源集合が現われる範囲は、たとえば図９における態様２において示されるように、周期の一部をカバーしてもよい。
【０２８５】
下記は、周波数領域における時間‐周波数資源の構成を記述する。
【０２８６】
たとえば、本発明のこの実施形態において、周波数領域における時間‐周波数資源集合の位置が固定されていてもよい。
【０２８７】
あるいはまた、時間‐周波数資源集合は、規定された周波数領域幅の周波数領域周期をもって、周波数領域で繰り返し生起してもよい。換言すれば、本発明のこの実施形態では、諸システム時間‐周波数資源において時間‐周波数資源集合が現われる周期は、前記周波数領域周期を含んでいてもよい。
【０２８８】
時間‐周波数資源集合を構成する上記で挙げた仕方は単に記述のための例であり、本発明のこの実施形態はそれに限定されないことを理解しておくべきである。たとえば、時間‐周波数資源集合は、規定された周波数領域幅の周波数領域周期をもって周波数領域において繰り返し現われてもよく、時間‐周波数資源集合は、規定された継続時間の時間領域周期をもって時間領域において繰り返し現われてもよい。換言すれば、本発明のこの実施形態において、諸システム時間‐周波数資源において時間‐周波数資源集合が現われる周期は、周波数領域周期および時間領域周期の両方を含んでいてもよい。
【０２８９】
本発明のこの実施形態において、システム時間‐周波数資源は、通信システムまたは通信プロトコルの規定に基づいて、複数の資源ブロック（RB）に分割されてもよい。
【０２９０】
本発明のこの実施形態において、一つの時間‐周波数資源集合は一つまたは複数のRBを含んでいてもよい。
【０２９１】
この場合、たとえば、図１０に示されるように、諸システム時間‐周波数資源において時間‐周波数資源集合が現われる周期は、時間領域の周期であってもよく、一つの時間領域周期は、時間領域で一次元的に配列されるP個のRBを含んでいてもよく、一つの時間‐周波数資源集合は、前記P個のRBにおける規定された時間領域位置において、一つまたは複数のRBを含んでいてもよい。P≧2である。
【０２９２】
もう一つの例として、図１１に示されるように、諸システム時間‐周波数資源において時間‐周波数資源集合が現われる周期は、周波数領域の周期であってもよく、一つの周波数領域周期は、周波数領域で一次元的に配列されるQ個のRBを含んでいてもよく、一つの時間‐周波数資源集合は、前記Q個のRBにおける規定された周波数領域位置において、一つまたは複数のRBを含んでいてもよい。Q≧2である。
【０２９３】
さらにもう一つの例として、図１２に示されるように、本発明のこの実施形態において、諸システム時間‐周波数資源において時間‐周波数資源集合が現われる周期は、周波数領域の周期および時間領域の周期の両方を含んでいてもよい。具体的には、それぞれの出現周期は、W個の二次元的に配列されたRBを含み、一つの時間‐周波数資源集合は、前記W個のRBにおける規定された周波数領域位置において、一つまたは複数のRBを含んでいてもよい。W≧3である。
【０２９４】
時間‐周波数資源集合を構成する上記で挙げた仕方は単に記述のための例であり、本発明のこの実施形態はそれに限定されないことを理解しておくべきである。複数のシステム時間‐周波数資源における時間‐周波数資源（たとえばRE）の間の区別をするために使用できる他の分割態様が、本発明の実施形態の保護範囲内にはいる。
【０２９５】
たとえば、図１３に示されるように、一つの時間‐周波数資源集合は、時間領域において一つのシンボルを含み、周波数領域において12個のサブキャリアを含んでいてもよい。
【０２９６】
もう一つの例として、図１４および図１５に示されるように、一つの時間‐周波数資源集合は、時間領域において四つのシンボルを含み、周波数領域において12個のサブキャリアを含んでいてもよい。
【０２９７】
さらにもう一つの例として、図１６ないし図２０に示されるように、一つの時間‐周波数資源集合は、時間領域において14個のシンボルを含み、周波数領域において12個のサブキャリアを含んでいてもよい。
【０２９８】
図１３ないし図２０における時間‐周波数資源集合を構成する上記で挙げた仕方は単に記述のための例であり、本発明のこの実施形態はそれに限定されないことを理解しておくべきである。一つの時間‐周波数資源集合に含まれる時間領域資源の数および／または周波数領域資源の数は、必要に応じてランダムに修正されてもよい。たとえば、一つの時間‐周波数資源集合は、時間領域において7個のシンボルを含んでいてもよい。
【０２９９】
下記は、時間‐周波数資源集合において時間‐周波数資源グループを構成する仕方を記述する。
【０３００】
時間領域。
【０３０１】
たとえば、図１３に示されるように、本発明のこの実施形態において、一つの時間‐周波数資源グループは、その時間‐周波数資源グループが位置している時間‐周波数資源集合における、時間領域におけるすべての時間周期（たとえばすべてのシンボル）を含んでいてもよい。
【０３０２】
あるいはまた、図１４ないし図２０に示されるように、一つの時間‐周波数資源グループは、その時間‐周波数資源グループが位置している時間‐周波数資源集合における、いくつかの時間周期（たとえばいくつかのシンボル）を含んでいてもよい。
【０３０３】
周波数領域。
【０３０４】
たとえば、本発明のこの実施形態において、一つの時間‐周波数資源グループは、その時間‐周波数資源グループが位置している時間‐周波数資源集合における、周波数領域におけるすべての周波数帯域（たとえばすべてのサブキャリア）を含んでいてもよい。
【０３０５】
あるいはまた、図１４ないし図２０に示されるように、一つの時間‐周波数資源グループは、その時間‐周波数資源グループが位置している時間‐周波数資源集合における、いくつかの周波数帯域（たとえばいくつかのサブキャリア）を含んでいてもよい。
【０３０６】
下記は、参照信号を担持するために使われる、時間‐周波数資源集合および時間‐周波数資源グループに基づく、時間‐周波数資源を指示する仕方を記述する。
【０３０７】
時間‐周波数資源集合を決定する仕方をまず記述する。
【０３０８】
たとえば、本発明のこの実施形態において、諸システム時間‐周波数資源における複数の時間‐周波数資源集合のそれぞれの位置が固定されていてもよい（たとえば通信システムまたは通信プロトコルによって規定されている）。この場合、ネットワーク装置は、時間‐周波数資源集合の指示情報（つまり、第一の指示情報の例）を端末装置に送る必要はない。
【０３０９】
もう一つの例として、本発明のこの実施形態において、諸システム時間‐周波数資源における複数の時間‐周波数資源集合のそれぞれの位置が動的に変化してもよい。この場合、ネットワーク装置は、諸システム時間‐周波数資源における各時間‐周波数資源集合の位置を示すために使われる指示情報（つまり、第一の指示情報のもう一つの例）を端末装置に送ってもよい。
【０３１０】
さらにもう一つの例として、本発明のこの実施形態において、諸システム時間‐周波数資源における複数の時間‐周波数資源集合におけるいくつかの時間‐周波数資源集合（理解および区別の容易のため下記では動的な時間‐周波数資源集合としてマークされる）の位置が動的に変化してもよく、諸システム時間‐周波数資源における前記複数の時間‐周波数資源集合における他の時間‐周波数資源集合（理解および区別の容易のため、下記では固定の時間‐周波数資源集合としてマークされる）の位置が固定されていてもよい。この場合、ネットワーク装置は、諸システム時間‐周波数資源における各動的な時間‐周波数資源集合の位置を示すために使われる指示情報（つまり、第一の指示情報のもう一つの例）を端末装置に送ってもよい。
【０３１１】
本発明のこの実施形態において、諸システム時間‐周波数資源における各時間‐周波数資源にアドレスが割り当てられてもよく、第一の指示情報は、一つまたは複数の時間‐周波数資源集合に対応する時間‐周波数資源のアドレスの指示情報であってもよい。
【０３１２】
あるいはまた、本発明のこの実施形態において、諸システム時間‐周波数資源における一つまたは複数の時間‐周波数資源（これは、理解および記述の容易のために下記では初期の時間‐周波数資源としてマークされる）の位置（たとえばアドレス）がネットワーク装置および端末装置によってネゴシエーションを通じて決定されてもよく、あるいは通信プロトコルによって規定されてもよい。この場合、第一の指示情報は、前記一つまたは複数の時間‐周波数資源集合のサイズ（たとえば含まれているRBまたはREの数）および前記初期の時間‐周波数資源に対するオフセットの指示情報であってもよい。
【０３１３】
上記のように、通信システムまたは通信プロトコルの規定および／または第一の指示情報に基づいて、ネットワーク装置および端末装置は、ネゴシエーションを通じて、参照信号（たとえば第一の参照信号）を伝送するために使われる時間‐周波数資源グループ（つまり、第一の時間‐周波数資源グループの例）が位置している時間‐周波数資源集合（つまり、第一の時間‐周波数資源集合の例）を決定してもよい。
【０３１４】
本発明のこの実施形態において、一つまたは複数の第一の時間‐周波数資源集合の位置が固定されていてもよいことを注意しておくべきである。この場合、第一の指示情報の指示は必要とされない。
【０３１５】
あるいはまた、本発明のこの実施形態において、一つまたは複数の第一の時間‐周波数資源集合の位置が動的に変化してもよい。この場合、前記一つまたは複数の第一の時間‐周波数資源集合のすべてが、第一の指示情報を使うことによって指示される必要がある。
【０３１６】
あるいはまた、本発明のこの実施形態において、複数の第一の時間‐周波数資源集合のうちいくつかのものの位置が固定されていてもよく、他の第一の時間‐周波数資源集合の位置が動的に変化してもよい。この場合、前記複数の第一の時間‐周波数資源集合における、その位置が動的に変化する第一の時間‐周波数資源集合が、第一の指示情報を使って指示される必要がある。
【０３１７】
時間‐周波数資源集合を指示する上記で挙げた仕方は単に記述のための例であり、本発明のこの実施形態はそれに限定されないことを理解しておくべきである。たとえば、第一の指示情報はさらに、下記の属性のうちの少なくとも一つを示してもよい：
時間‐周波数資源集合の時間領域の周期；
時間‐周波数資源集合の時間領域のオフセット（たとえば、ネットワーク装置および端末装置によって受け取り確認された基準時点に対するオフセット）；
時間‐周波数資源集合の時間領域の継続時間；
時間‐周波数資源集合の周波数領域の周期；
時間‐周波数資源集合の周波数領域のオフセット（たとえば、ネットワーク装置および端末装置によって受け取り確認された基準周波数に対するオフセット）；
時間‐周波数資源集合の周波数領域の範囲。
【０３１８】
下記は、時間‐周波数資源グループを決定する仕方を記述する。
【０３１９】
たとえば、本発明のこの実施形態において、時間‐周波数資源グループが位置している時間‐周波数資源集合における該時間‐周波数資源グループの位置が固定されていてもよい（たとえば通信システムまたは通信プロトコルによって規定されている）。この場合、ネットワーク装置は、時間‐周波数資源集合の指示情報（つまり、第二の指示情報の例）を端末装置に送る必要はない。
【０３２０】
もう一つの例として、本発明のこの実施形態において、時間‐周波数資源グループの時間‐周波数資源集合における該時間‐周波数資源グループの位置が動的に変化してもよい。この場合、ネットワーク装置は、時間‐周波数資源グループの時間‐周波数資源集合における該時間‐周波数資源グループの位置を示すために使われる指示情報（つまり、第二の指示情報のもう一つの例）を端末装置に送ってもよい。
【０３２１】
さらにもう一つの例として、本発明のこの実施形態において、時間‐周波数資源グループが位置している時間‐周波数資源集合における該時間‐周波数資源グループ内のいくつかの時間‐周波数資源（理解および区別の容易のために下記では動的な時間‐周波数資源としてマークされる）が動的に変化してもよく、該時間‐周波数資源グループが位置している時間‐周波数資源集合における該時間‐周波数資源グループ内の他の時間‐周波数資源（理解および区別の容易のために下記では固定の時間‐周波数資源としてマークされる）が固定されていてもよい。この場合、ネットワーク装置は、該時間‐周波数資源グループが位置している時間‐周波数資源集合におけるそれぞれの動的な時間‐周波数資源の位置を示すために使われる指示情報（つまり、第二の指示情報のもう一つの例）を端末装置に送ってもよい。
【０３２２】
本発明のこの実施形態において、時間‐周波数資源集合における各時間‐周波数資源にアドレスが割り当てられてもよく、第二の指示情報は、時間‐周波数資源グループ（これは特定的には該時間‐周波数資源グループ内の動的な時間‐周波数資源である）のアドレスの指示情報であってもよい。
【０３２３】
あるいはまた、本発明のこの実施形態において、時間‐周波数資源集合における一つまたは複数の時間‐周波数資源（理解および記述の容易のために下記では初期の時間‐周波数資源としてマークされる）の位置（たとえばアドレス）が、ネットワーク装置および端末装置によってネゴシエーションを通じて決定されてもよく、あるいは通信プロトコルによって規定されてもよい。この場合、第二の指示情報は、時間‐周波数資源グループ（特定的には該時間‐周波数資源グループ内の動的な時間‐周波数資源）のサイズ（たとえば含まれているREの数）および前記初期の時間‐周波数資源に対するオフセットの指示情報であってもよい。
【０３２４】
上記のように、通信システムまたは通信プロトコルの規定および／または第二の指示情報に基づいて、ネットワーク装置および端末装置は、ネゴシエーションを通じて、参照信号を伝送するために使われる時間‐周波数資源グループの、時間‐周波数資源グループが位置している時間‐周波数資源集合における、位置を決定してもよい。
【０３２５】
任意的に、第一の指示情報は、物理層制御チャネル上で担持される；または
第一の指示情報は、媒体アクセス制御層制御要素上で担持される；または
第一の指示情報は、無線資源制御層制御信号上で担持される。
【０３２６】
任意的に、第二の指示情報は、物理層制御チャネル上で担持される；または
第二の指示情報は、媒体アクセス制御層制御要素上で担持される；または
第二の指示情報は、無線資源制御層制御信号上で担持される。
【０３２７】
さらに、本発明のこの実施形態において、指示情報（たとえば第一の指示情報または第二の指示情報）は、特定の端末装置に向けられてもよく、あるいは端末装置のグループに向けられてもよい。
【０３２８】
さらに、指示情報（たとえば第一の指示情報または第二の指示情報）は、当該ネットワーク装置によってサービスされる、接続されたモードにあるすべての端末装置に向けられてもよく、あるいは当該ネットワーク装置にキャンプオンする、非接続モードにある端末装置に向けられてもよく、あるいは当該ネットワーク装置のシステム情報を読む（たとえば復調し、デコードする）ことができる（および／または「許容されている」）すべての端末装置に向けられてもよい。
【０３２９】
特定の端末装置に向けられた指示情報は、UE固有物理層制御信号伝達、たとえばセル無線ネットワーク一時識別子（Cell  Radio  Network  Temporary  Identifier、C-RNTI）を使ってスクランブルされる信号伝達であってもよく、あるいは特定の端末装置に向けられた指示情報は、MAC層コマンド、UE固有RRC信号伝達または他のUE固有の、より上位層の信号伝達であってもよい。
【０３３０】
端末装置のグループに向けられた指示情報は、UEグループ固有物理層制御信号伝達、たとえばUEグループ固有の無線ネットワーク一時識別子（Radio  Network  Temporary  Identifier、RNTI）を使ってスクランブルされる信号伝達であってもよく、あるいは端末装置のグループに向けられた指示情報は、MAC層コマンド、UEグループ固有RRC信号伝達または他のUEグループ固有の、より上位層の信号伝達であってもよい。
【０３３１】
当該ネットワーク装置によってサービスされる、接続されたモードにあるすべての端末装置に向けられた情報は、ブロードキャスト・チャネルおよびマルチキャスト・チャネルを使って、マスター情報ブロック（MIB）内に、あるいは接続状態にある端末装置が読むことのできるシステム情報ブロック（SIB）内に置かれてもよく、あるいはRRC層の共通情報要素（common  IE）内に置かれてもよい。
【０３３２】
当該ネットワーク装置にキャンプオンする、非接続モードにある端末装置に向けられた指示情報は、MIB内に、および非接続状態にある端末装置が読むことができるSIBおよびMIB内に置かれてもよい。
【０３３３】
よって、S220において、受信装置#Aは、参照信号#Aを伝送するために使われる（あるいは参照信号#Aおよび参照信号#Bを伝送するために使われる）時間‐周波数資源グループ#A（または時間‐周波数資源＃１、つまり、第一の時間‐周波数資源グループの例）を決定してもよい。
【０３３４】
その後、送信装置#Aは、参照信号#Aを、符号資源#Aに基づいて時間‐周波数資源グループ#Aに多重化してもよく、参照信号#Aを受信装置＃Aに送ってもよい。対応して、受信装置#Aは、時間‐周波数資源グループ#A上に担持される参照信号（参照信号＃Aおよび参照信号#Bを含む）を受信して、時間‐周波数資源グループ#A上に担持される参照信号から参照信号#Aを決定して、参照信号#Aの伝送プロセスを実装してもよい。
【０３３５】
本発明のこの実施形態において、参照信号#Bの伝送プロセスは参照信号#Aの伝送プロセスと同様であってもよい。反復を避けるために、詳細な記述はここでは割愛される。
【０３３６】
参照信号を伝送するために使われる時間‐周波数資源の源が上記では「システム時間‐周波数資源」に言及して記述されていることを注意しておくべきである。本発明のこの実施形態において、「システム時間‐周波数資源」は、通信システム（たとえば通信システム１００）または通信プロトコルによって規定されている、該通信システムにおいて一つまたは複数のネットワーク装置と端末装置の間で無線通信が実行されるときに使われる時間‐周波数資源であってもよい。
【０３３７】
本発明のこの実施形態において、システム時間‐周波数資源は、承認された時間‐周波数資源であってもよく、あるいは承認不要の時間‐周波数資源であってもよい。あるいはまた、本発明のこの実施形態において、送信装置および受信装置は、承認不要伝送方式に基づくシステム時間‐周波数資源を使ってもよく、あるいは承認方式に基づいてシステム時間‐周波数資源を使ってもよい。これは、本発明のこの実施形態において特に限定されない。
【０３３８】
承認不要の時間‐周波数資源は、システムによって割り当てられる必要がなく、通信装置によって共有されることができる、ライセンス不要の時間‐周波数領域資源である。ライセンス不要の周波数帯域上での資源共有は、特定の周波数スペクトルが使用されるときに、その周波数帯域を合同で使う複数の装置が基本的な共存要件を満たすことを保証するよう、送信電力または帯域外漏洩といった指標に対する制限のみが規定されることを意味する。事業者は、ライセンス不要の周波数帯域資源を使ってネットワーク容量オフロードを実装してもよいが、異なる地域およびライセンス不要の周波数帯域資源上の異なる周波数スペクトルの規制要件に従う必要がある。これらの要件は、通例、レーダーのような一般的なシステムを保護するとともに、複数のシステムがうまく共存するよう互いにできるだけ有害な効果を及ぼさないことを保証するために制定され、送信電力制限、帯域外漏洩指標制限、屋内および屋外使用制限、いくつかの地域におけるいくつかの追加的な共存ポリシーなどを含む。たとえば、通信装置は、競合式または傾聴式、たとえばリッスンビフォアトーク（LBT）のよって規定される仕方で、時間‐周波数資源を使うことができる。
【０３３９】
将来のネットワークにおける大量のMTC型サービスを解決するとともに、短い遅延および高い信頼性のサービス伝送を満たすために、本願は承認不要の伝送方式を提供する。承認不要の伝送は英語では、Grant  Freeと表現されうる。本願での承認不要の伝送は、上りリンク・データ伝送のためであってもよい。承認不要の伝送は、次の意味のうちの任意の一つまたは複数、あるいは複数の意味におけるいくつかの技術的特徴の組み合わせ、あるいは他の同様の意味として理解されうる。
【０３４０】
承認不要の伝送は次のようなものであってもよい：ネットワーク装置が複数の伝送資源を事前割り当てし、端末装置に該複数の伝送資源を通知する。端末装置が上りリンク・データを送信する必要があるとき、端末装置は、ネットワーク装置によって事前割り当てされた前記複数の伝送資源から少なくとも一つの伝送資源を選択し、選択された伝送資源を使って、上りリンク・データを送る。ネットワーク装置は、前記複数の事前割り当てされた伝送資源のうちの一つまたは複数において、端末装置によって送られた上りリンク・データを検出する。検出は、ブラインド検出であってもよく、あるいは上りリンク・データにおける特定の制御ドメインに基づいて実行される検出であってもよく、あるいは別の仕方で実行される検出であってもよい。
【０３４１】
承認不要の伝送は次のようなものであってもよい：ネットワーク装置が複数の伝送資源を事前割り当てし、端末装置に該複数の伝送資源を通知する。それにより、端末装置が上りリンク・データを送信する必要があるとき、端末装置は、ネットワーク装置によって事前割り当てされた前記複数の伝送資源から少なくとも一つの伝送資源を選択し、選択された伝送資源を使って、上りリンク・データを送る。
【０３４２】
承認不要の伝送は次のようなものであってもよい：事前割り当てされた複数の伝送資源についての情報が取得され、上りリンク・データが伝送される必要があるとき、前記複数の伝送資源から少なくとも一つの伝送資源が選択され、選択された伝送資源を使って、上りリンク・データが送られる。前記情報はネットワーク装置から得られてもよい。
【０３４３】
承認不要の伝送は、ネットワーク装置によって実行される動的なスケジューリングなしに端末装置の上りリンク・データを送信するための方法であってもよい。動的なスケジューリングは、端末装置のそれぞれの上りリンク・データ送信について、ネットワーク装置が、信号伝達を使って、伝送資源を端末装置に示すスケジューリング様式であってもよい。任意的に、端末装置の上りリンク・データの伝送は、次のように理解されてもよい：少なくとも二つの端末装置のデータが、同じ時間‐周波数資源上で伝送されることを許容される。任意的に、伝送資源は、端末装置が信号伝達を受信した時点後の一つまたは複数の伝送時間単位の伝送資源であってもよい。一つの伝送時間単位は、一つの伝送のための最小の時間単位、たとえば伝送時間区間（TTI）であってもよく、値は1msであってもよい。あるいはまた、一つの伝送時間単位は事前設定された伝送時間単位であってもよい。
【０３４４】
承認不要の伝送は次のようなものであってもよい：端末装置が、ネットワーク装置の承認なしに上りリンク・データを送信する。前記承認は、端末装置がネットワーク装置に上りリンク・スケジューリング要求を送り、該スケジューリング要求を受信後、ネットワーク装置が上りリンク承認を端末装置に送ることを意味しうる。上りリンク承認は、端末装置に割り当てられた上りリンク伝送資源を示す。
【０３４５】
承認不要の伝送は、競合送信方式であってもよく、具体的には、複数の端末が上りリンク・データを同じ事前割り当てされた時間‐周波数資源上で同時に、基地局の承認なしに送信することを意味しうる。
【０３４６】
データは、サービス・データまたは信号伝達データでありうる。
【０３４７】
ブラインド検出は、次のように理解されてもよい：データが到着するかどうか予測されていないときに到着しうるデータが検出される。ブラインド検出は、明示的な信号伝達指示なしの検出として理解されてもよい。
【０３４８】
伝送資源は、次の資源のうちの一つまたは複数の組み合わせを含みうるが、それに限られない：
α：無線フレーム、サブフレームまたはシンボルのような時間領域資源；
β：サブキャリアまたは資源ブロックのような周波数領域資源；
γ：送信アンテナまたはビームのような空間領域資源；
θ：疎符号多重アクセスのような符号資源（SCMA）コードブック、低密度シグネチャー（LDS）シーケンスまたはCDMA符号；および
δ：上りリンク・パイロット資源。
【０３４９】
伝送資源は、次の制御機構を含むがそれに限られない制御機構に基づいて伝送されてもよい：
ａ：上りリンク送信電力上限制御のような上りリンク電力制御；
ｂ：トランスポート・ブロック・サイズ、符号化率または変調次数のような変調および符号化方式設定；
ｃ：HARQ機構のような再送信機構。
【０３５０】
競合伝送単位（CTU）は、承認不要な伝送のための基本的な伝送資源であってもよい。CTUは、時間、周波数および符号ドメインを組み合わせた伝送資源であってもよく、あるいは時間、周波数およびパイロットを組み合わせた伝送資源であってもよく、あるいは時間、周波数、符号ドメインおよびパイロットを組み合わせた伝送資源であってもよい。
【０３５１】
CTUが属するアクセス領域は、CTUに対応する時間‐周波数領域であってもよい。
【０３５２】
「上りリンクの承認不要の伝送方式のためのシステムおよび方法」と題する特許出願第PCT/CN2014/073084号は、上りリンクの承認不要の伝送のための技術的解決策を提供する。出願第PCT/CN2014/073084号に記載されているように、無線資源はさまざまなCTUに分割され、割り当てられる符号のグループは、CDMA符号のグループであってもよく、あるいはSCMAコードブック・セット、LDSシーケンス・グループ、シグネチャー・グループなどであってもよい。各符号はパイロットの一つのグループに対応してもよい。ユーザーは、上りリンク伝送を実行するために、符号の一つのピースと、符号に対応するパイロット・グループ内の一つのパイロットとを選択してもよい。出願第PCT/CN2014/073084号の内容が参照によって本発明の実施形態の内容の一部として理解されてもよく、詳細はここでは述べない。
【０３５３】
源ネットワーク装置のカバー範囲にはいるとき、端末装置は、そのネットワーク装置によって送られる、より上位層の信号伝達を受信しうる。より上位層の信号伝達はCTUアクセス領域定義、CTUの総数、デフォルト・マッピング規則などを担持していてもよい。あるいはまた、端末装置は、デフォルト・マッピング規則を事前構成してもよい。端末装置は、CTU上で承認不要の伝送を実行するよう適切なCTUを決定してもよい。異なる端末装置が同じCTU上で承認不要の伝送を実行するとき、換言すれば同じCTUを求めて競合するとき、コンフリクトが生じうる。端末装置は、ネットワーク装置の指示に基づいて、コンフリクトがあるかどうかを判定してもよい。たとえば、コンフリクトによって引き起こされる問題は、非同期HARQ方法を使って解決されてもよい。しかしながら、コンフリクトの数が事前設定された閾値を超える場合、ネットワーク装置は、CTU再マッピングを実行するよう要求されることがある。ネットワーク装置は、端末装置に、再マッピングが実行されるCTUについての情報を送り、それにより、端末装置は、承認不要の伝送を、再マッピングが実行されるCTU上で実行する。
【０３５４】
この場合、本発明のこの実施形態において、一つの時間‐周波数資源集合は一つまたは複数のCTUを含んでいてもよい。
【０３５５】
限定ではなく例として、本発明のこの実施形態では、承認不要のスペクトル資源は、5GHzの近傍における約900MHzの周波数帯および2.4GHzの近傍における約90MHzの周波数帯域を含んでいてもよい。
【０３５６】
さらに、本発明のこの実施形態において、端末装置およびネットワーク装置はさらに、承認されたスペクトル資源を使って無線通信を実行してもよい。換言すれば、本発明のこの実施形態における通信システム１００は、承認された周波数帯域を使うことのできる通信システムである。
【０３５７】
承認された時間‐周波数資源は、通例、国または地方の無線委員会が認可を承認した後にのみ使用されることができる時間‐周波数資源であり、LTEシステムおよびWi-Fiシステムのような異なるシステムまたは異なる事業者に含まれるシステムは、承認された時間‐周波数資源を共有することができない。
【０３５８】
さらに、本発明の実施形態のいくつかでは、ネットワーク装置は、一つまたは複数の承認不要のセル（承認不要のキャリアとも称されうる）および一つまたは複数の承認されるセル（承認されるキャリアとも称されうる）を提供することができる。
【０３５９】
本発明のこの実施形態において参照信号を伝送するために使われる時間‐周波数資源を示すプロセスは、上記ではネットワーク装置および端末装置を参照して記述されていることを理解しておくべきである。本発明のこの実施形態における送信装置はネットワーク装置であってもよく、その場合、送信装置は、指示プロセスにおけるネットワーク装置のアクションを実行しうる。あるいはまた、本発明のこの実施形態における送信装置は端末装置であってもよく、その場合、送信装置は、指示プロセスにおける端末装置のアクションを実行しうる。同様に、本発明のこの実施形態における受信装置はネットワーク装置であってもよく、その場合、受信装置は、指示プロセスにおけるネットワーク装置のアクションを実行しうる。あるいはまた、本発明のこの実施形態における送信装置は端末装置であってもよく、その場合、受信装置は、指示プロセスにおける端末装置のアクションを実行しうる。
【０３６０】
図２１は、本発明のある実施形態に基づく参照信号送信装置３００の概略的なブロック図である。参照信号送信装置３００は、方法２００において記述された第一の送信装置（たとえば送信装置#A）に対応していてもよく、参照信号送信装置３００におけるモジュールまたはユニットは、方法２００において送信装置によって実行されるアクションまたは処理プロセスを実行するよう別個に構成される。反復を避けるため、詳細な記述はここでは割愛する。
【０３６１】
本発明のこの実施形態において、装置３００は、プロセッサおよびトランシーバを含んでいてもよく、プロセッサはトランシーバに接続される。任意的に、本装置はさらにメモリを含み、該メモリはプロセッサに接続される。さらに任意的に、本装置はバス・システムを含む。プロセッサ、メモリおよびトランシーバは、バス・システムを使って接続されうる。メモリは、命令を記憶するよう構成されてもよく、プロセッサはメモリに記憶された命令を実行して情報または信号を送るようトランシーバを制御するよう構成される。
【０３６２】
図２１に示した装置３００における決定ユニットは、上記プロセッサに対応していてもよく、図２１に示した装置３００におけるトランシーバ・ユニットは、上記トランシーバに対応していてもよい。
【０３６３】
図２２は、本発明のある実施形態に基づく参照信号受信装置４００の概略的なブロック図である。参照信号受信装置４００は、方法２００において記述された第一の受信装置（たとえば受信装置#A）に対応していてもよく、参照信号受信装置４００におけるモジュールまたはユニットは、方法２００において受信装置によって実行されるアクションまたは処理プロセスを実行するよう別個に構成される。反復を避けるため、詳細な記述はここでは割愛する。
【０３６４】
本発明のこの実施形態において、装置４００は、プロセッサおよびトランシーバを含んでいてもよく、プロセッサはトランシーバに接続される。任意的に、本装置はさらにメモリを含み、該メモリはプロセッサに接続される。さらに任意的に、本装置はバス・システムを含む。プロセッサ、メモリおよびトランシーバは、バス・システムを使って接続されうる。メモリは、命令を記憶するよう構成されてもよく、プロセッサはメモリに記憶された命令を実行して情報または信号を受信するようトランシーバを制御するよう構成される。
【０３６５】
図２２に示した装置４００における決定ユニットは、上記プロセッサに対応していてもよく、図２２に示した装置４００におけるトランシーバ・ユニットは、上記トランシーバに対応していてもよい。
【０３６６】
本発明の実施形態における上記の方法実施形態はプロセッサに適用されてもよく、あるいはプロセッサによって実装されてもよいことを注意しておくべきである。プロセッサは、集積回路チップであってもよく、信号処理機能をもつ。ある実装プロセスでは、上記の方法実施形態における段階は、プロセッサ内のハードウェア集積論理回路を使って、あるいはソフトウェアの形の命令を使って実装されうる。プロセッサは、汎用プロセッサ、デジタル信号プロセッサ（DSP）、特定用途向け集積回路（ASIC）、フィールドプログラマブルゲートアレイ（FPGA）または他のプログラム可能な論理デバイス、離散的なゲートまたはトランジスタ論理デバイスまたは離散的なハードウェアコンポーネントでありうる。本発明の実施形態において開示されている方法、段階および論理ブロック図を、プロセッサが実装または実行しうる。汎用プロセッサはマイクロプロセッサであってもよく、プロセッサは任意の通常のプロセッサなどであってもよい。本発明の実施形態を参照して開示されている方法の段階は、ハードウェア・デコーディング・プロセッサによって直接、実行され、完了されてもよく、あるいはデコーディング・プロセッサにおけるハードウェアおよびソフトウェアの組み合わせを使って実行され、完了されてもよい。ソフトウェア・モジュールは当技術分野における成熟した記憶媒体、たとえばランダムアクセスメモリ、フラッシュメモリ、読み出し専用メモリ、プログラム可能型読み出し専用メモリまたは電気的に消去可能なプログラム可能型メモリまたはレジスタに位置されていてもよい。記憶媒体はメモリに位置されており、プロセッサはメモリ内の情報を読み、プロセッサのハードウェアとの組み合わせで上記方法における段階を完了する。
【０３６７】
本発明の実施形態におけるメモリは、揮発性メモリまたは不揮発性メモリであってもよく、あるいは揮発メモリおよび不揮発性メモリを含んでいてもよい。不揮発性メモリは、読み出し専用メモリ（ROM）、プログラム可能型読み出し専用メモリ（PROM）、消去可能なプログラム可能型読み出し専用メモリ（EPROM）、電気的に消去可能なプログラム可能型読み出し専用メモリ（EEPROM）またはフラッシュメモリでありうる。揮発性メモリは、外部キャッシュとして使われるランダムアクセスメモリ（RAM）であってもよい。限定ではなく例として、RAMの多くの形が利用されうる。たとえば、静的ランダムアクセスメモリ（SRAM）、動的ランダムアクセスメモリ（DRAM）、同期動的ランダムアクセスメモリ（SDRAM）、倍速同期動的ランダムアクセスメモリ（Double  Data  Rate  SDRAM、DDR  SDRAM）、向上同期動的ランダムアクセスメモリ（Enhanced  SDRAM、ESDRAM）、同期リンク動的ランダムアクセスメモリ（Synchlink  DRAM、SLDRAM）および直接ランバス・ランダムアクセスメモリ（Direct  Rambus  RAM、DR  RAM）である。本明細書に記載されるシステムおよび方法のメモリは、これらのメモリおよび他の適切な型の任意のメモリを含むが、それに限られないことを注意しておくべきである。
【０３６８】
本明細書における用語「および／または」は、関連するオブジェクトを記述するための関連関係を述べるだけであり、三つの関係が存在しうることを表わすことを理解しておくべきである。たとえば、Aおよび／またはBは、次の三つの場合を表わしうる：Aのみが存在する、AおよびBの両方が存在する、Bのみが存在する。加えて、本明細書における記号「／」は、一般に、関連するオブジェクトの間の「または」の関係を示す。
【０３６９】
上記の諸プロセスのシーケンス番号は本発明のさまざまな実施形態の実行シーケンスを意味するものではないことを理解しておくべきである。プロセスの実行シーケンスは、プロセスの機能および内部論理に基づいて決定されるべきであり、前記シーケンスは、本発明の実施形態の実装プロセスに対するいかなる限定としても解釈されるべきではない。
る。
【０３７０】
当業者は、本明細書において開示される実施形態を参照して記述される例におけるユニットおよびアルゴリズム段階は、電子的ハードウェア、あるいはコンピュータ・ソフトウェアおよび電子的ハードウェアの組み合わせによって実装されてもよいことを認識しうる。機能がハードウェアによって実行されるかソフトウェアによって実行されるかは、技術的解決策の具体的な用途および設計制約条件に依存する。当業者は、それぞれの特定の用途のために、記載される機能を実装するために異なる方法を使ってもよいが、かかる実装が本発明の実施形態の範囲を超えると考えられるべきではない。
【０３７１】
当業者は、簡潔な記述のために、上記のシステム、装置およびユニットの詳細な作動プロセスについては、上記の方法実施形態における対応するプロセスが参照されうることを明瞭に理解しうる。詳細をここで再び述べることはしない。
【０３７２】
本願で提供されるいくつかの実施形態では、開示されるシステム、装置および方法が他の仕方で実装されうることが理解されるべきである。たとえば、記載される装置実施形態は単に例である。たとえば、ユニット分割は単に論理的な機能分割であり、実際の実装では他の分割であってもよい。たとえば、複数のユニットまたはコンポーネントが組み合わされ、あるいは別のシステムに統合されてもよいし、あるいはいくつかの特徴が無視されたり、あるいは実行されなかったりしてもよい。さらに、表示されるまたは論じられる相互結合または直接結合または通信接続は、いくつかのインターフェースによって実装されてもよい。装置またはユニットの間の間接的な結合または通信接続は、電気的、機械的または他の形で実装されうる。
【０３７３】
別個の部分として記載されるユニットは、物理的に別個であってもなくてもよい。ユニットとして表示される部分は物理的なユニットであってもなくてもよく、一つの位置に位置していてもよく、あるいは複数のネットワーク・ユニット上に分散されていてもよい。それらのユニットの一部または全部は、実施形態の解決策の目的を達成するために実際の必要性に依存して選択されうる。
【０３７４】
さらに、本発明の実施形態における機能ユニットは、一つの処理ユニットに統合されてもよく、あるいは各ユニットが物理的に単体で存在していてもよく、あるいは二つ以上のユニットが一つのユニットに統合されてもよい。
【０３７５】
機能がソフトウェア機能ユニットの形で実装され、独立したプロダクトとして販売または使用されるときは、それらの機能はコンピュータ可読記憶媒体において記憶されてもよい。そのような理解に基づいて、本発明の実施形態の技術的解決策、あるいは従来技術に貢献する部分または技術的解決策の一部は、ソフトウェア・プロダクトの形で実装されてもよい。コンピュータ・ソフトウェア・プロダクトは記憶媒体に記憶され、本発明の実施形態において記載された方法の段階の全部または一部を実行するようコンピュータ装置（これはパーソナル・コンピュータ、サーバー、ネットワーク装置などでありうる）に命令するためのいくつかの命令を含む。上記の記憶媒体は、プログラム・コードを記憶することのできる任意の媒体、たとえばUSBフラッシュドライブ、リムーバブルハードディスク、読み出し専用メモリ（ROM）、ランダムアクセスメモリ（RAM）、磁気ディスクまたは光ディスクを含む。
【０３７６】
上記の記述は単に本発明の実施形態の具体的実装であり、本発明の実施形態の保護範囲を限定することは意図されていない。本発明において開示されている技術的範囲内で当業者によって容易に割り出されるいかなる変形または置換も、本発明の実施形態の保護範囲内にはいる。したがって、本発明の実施形態の保護範囲は、請求項の保護範囲に従う。
【国際調査報告】
2019533331.tif 000025
2019533331.tif 000026
2019533331.tif 000027
2019533331.tif 000028
2019533331.tif 000029